(57)【要約】【課題】モアレやアーティファクトを軽減できるようにする。【解決手段】多値画像を記憶領域１１に展開する展開ステップと、記憶領域１１に展開された多値画像を、基本パターンを複数そなえて構成され、複数箇所から互いに同一形状のドットがそれぞれ順番に成長するように画素の点灯順序を設定された２値化ディザマトリクスパターン１２ａに基づいて２値化し、その２値化結果に基づいて画像を形成する画像形成ステップとをそなえる。【選択図】        図１
2004208047.tif 000002
【特許請求の範囲】
【請求項１】
多値画像を記憶領域に展開する展開ステップと、
該記憶領域に展開された多値画像を、２値化ディザマトリクスパターンに基づいて２値化し、その２値化結果に基づいて画像を形成する画像形成ステップとをそなえ、
該２値化ディザマトリクスパターンが、順次点灯される複数の画素をマトリクス状に配列した矩形パターンとして構成され、当該矩形パターンが、８行×７列の欠落マトリクスにおいて、その１行目を構成する４列目から６列目の画素が、それぞれ、２９，３５，３９番目に点灯され、その２行目を構成する１列目から６列目の画素が、それぞれ、３７，２７，１５，１７，２５，３１番目に点灯され、その３行目を構成する１列目から６列目の画素が、それぞれ、３３，２１，９，７，１１，１９番目に点灯され、その４行目を構成する１列目から７列目の画素が、それぞれ、２８，１０，３，１，５，１３，２３番目に点灯され、その５行目を構成する１列目から７列目の画素が、それぞれ、２２，１２，４，２，６，１８，３４番目に点灯され、その６行目を構成する２列目から７列目の画素が、それぞれ、２６，１６，８，１４，３０，３８番目に点灯され、その７行目を構成する２列目から５列目の画素が、それぞれ、３６，３２，２４，２０番目に点灯され、その８行目を構成する２列目の画素が４０番目に点灯されるように形成された基本パターンを複数そなえて構成され、複数箇所から、互いに同一形状のドットがそれぞれ順番に成長するように該画素の点灯順序を設定されたものであることを特徴とする、印刷方法。
【請求項２】
多値画像を記憶領域に展開する展開ステップと、
該記憶領域に展開された多値画像を、２値化ディザマトリクスパターンに基づいて２値化し、その２値化結果に基づいて画像を形成する画像形成ステップとをそなえ、
該２値化ディザマトリクスパターンが、順次点灯される複数の画素をマトリクス状に配列した矩形パターンとして構成され、当該矩形パターンが、８行×７列の欠落マトリクスにおいて、その１行目を構成する４列目から６列目の画素が、それぞれ、ｎ＋２８×ｍ，ｎ＋３４×ｍ，ｎ＋３８×ｍ番目に点灯され、その２行目を構成する１列目から６列目の画素が、それぞれ、ｎ＋３６×ｍ，ｎ＋２６×ｍ，ｎ＋１４×ｍ，ｎ＋１６×ｍ，ｎ＋２４×ｍ，ｎ＋３０×ｍ番目に点灯され、その３行目を構成する１列目から６列目の画素が、それぞれ、ｎ＋３２×ｍ，ｎ＋２０×ｍ，ｎ＋８×ｍ，ｎ＋６×ｍ，ｎ＋１０×ｍ，ｎ＋１８×ｍ番目に点灯され、その４行目を構成する１列目から７列目の画素が、それぞれ、ｎ＋２７×ｍ，ｎ＋９×ｍ，ｎ＋２×ｍ，ｎ，ｎ＋４×ｍ，ｎ＋１２×ｍ，ｎ＋２２×ｍ番目に点灯され、その５行目を構成する１列目から７列目の画素が、それぞれ、ｎ＋２１×ｍ，ｎ＋１１×ｍ，ｎ＋３×ｍ，ｎ＋ｍ，ｎ＋５×ｍ，ｎ＋１７×ｍ，ｎ＋３３×ｍ番目に点灯され、その６行目を構成する２列目から７列目の画素が、それぞれ、ｎ＋２５×ｍ，ｎ＋１５×ｍ，ｎ＋７×ｍ，ｎ＋１３×ｍ，ｎ＋２９×ｍ，ｎ＋３７×ｍ番目に点灯され、その７行目を構成する２列目から５列目の画素が、それぞれ、ｎ＋３５×ｍ，ｎ＋３１×ｍ，ｎ＋２３×ｍ，ｎ＋１９×ｍ番目に点灯され、その８行目を構成する２列目の画素がｎ＋３９×ｍ番目に点灯されるように形成された基本パターン（ただし、ｎは任意の自然数）をｍ個（ただし、ｍは任意の自然数）並べることによって形成されたサブパターンを複数そなえて構成され、当該複数のサブパターンから、互いに同一形状のドットがそれぞれ順番に成長するように該画素の点灯順序を設定されたものであることを特徴とする、印刷方法。
【請求項３】
多値画像を記憶領域に展開する展開ステップと、
該記憶領域に展開された多値画像を、２値化ディザマトリクスパターンに基づいて２値化し、その２値化結果に基づいて画像を形成する画像形成ステップとをそなえ、
該２値化ディザマトリクスパターンが、順次点灯される複数の画素をマトリクス状に配列した矩形パターンとして構成され、当該矩形パターンが、７行×６列の欠落マトリクスにおいて、その１行目を構成する１列目から６列目の画素が、それぞれ、３４，２６，１４，２４，３２，３６番目に点灯され、その２行目を構成する１列目から６列目の画素が、それぞれ、３０，１６，８，１２，２０，２８番目に点灯され、その３行目を構成する１列目から６列目の画素が、それぞれ、２２，６，２，４，１０，１８番目に点灯され、その４行目を構成する１列目から６列目の画素が、それぞれ、１５，５，１，３，１１，２３番目に点灯され、その５行目を構成する１列目から６列目の画素が、それぞれ、２５，１３，７，９，１９，３１番目に点灯され、その６行目を構成する１列目から６列目の画素が、それぞれ、３３，２９，２１，１７，２７，３５番目に点灯され、その７行目を構成する１列目の画素が３７番目に点灯されるように形成された基本パターンを複数そなえて構成され、複数箇所から、互いに同一形状のドットがそれぞれ順番に成長するように該画素の点灯順序を設定されたものであることを特徴とする、印刷方法。
【請求項４】
多値画像を記憶領域に展開する展開ステップと、
該記憶領域に展開された多値画像を、２値化ディザマトリクスパターンに基づいて２値化し、その２値化結果に基づいて画像を形成する画像形成ステップとをそなえ、
該２値化ディザマトリクスパターンが、順次点灯される複数の画素をマトリクス状に配列した矩形パターンとして構成され、当該矩形パターンが、７行×６列の欠落マトリクスにおいて、その１行目を構成する１列目から６列目の画素が、それぞれ、ｎ＋３３×ｍ，ｎ＋２５×ｍ，ｎ＋１３×ｍ，ｎ＋２３×ｍ，ｎ＋３１×ｍ，ｎ＋３５×ｍ番目に点灯され、その２行目を構成する１列目から６列目の画素が、それぞれ、ｎ＋２９×ｍ，ｎ＋１５×ｍ，ｎ＋７×ｍ，ｎ＋１１×ｍ，ｎ＋１９×ｍ，ｎ＋２７×ｍ番目に点灯され、その３行目を構成する１列目から６列目の画素が、それぞれ、ｎ＋２１×ｍ，ｎ＋５×ｍ，ｎ＋ｍ，ｎ＋３×ｍ，ｎ＋９×ｍ，ｎ＋１７×ｍ番目に点灯され、その４行目を構成する１列目から６列目の画素が、それぞれ、ｎ＋１４×ｍ，ｎ＋４×ｍ，ｎ，ｎ＋２×ｍ，ｎ＋１０×ｍ，ｎ＋２２×ｍ番目に点灯され、その５行目を構成する１列目から６列目の画素が、それぞれ、ｎ＋２４×ｍ，ｎ＋１２×ｍ，ｎ＋６×ｍ，ｎ＋８×ｍ，ｎ＋１８×ｍ，ｎ＋３０×ｍ番目に点灯され、その６行目を構成する１列目から６列目の画素が、それぞれ、ｎ＋３２×ｍ，ｎ＋２８×ｍ，ｎ＋２０×ｍ，ｎ＋１６×ｍ，ｎ＋２６×ｍ，ｎ＋３４×ｍ番目に点灯され、その７行目を構成する１列目の画素がｎ＋３６×ｍ番目に点灯されるように形成された基本パターン（ただし、ｎは任意の自然数）をｍ個（ただし、ｍは任意の自然数）並べることによって形成されたサブパターンを複数そなえて構成され、当該複数のサブパターンから、互いに同一形状のドットがそれぞれ順番に成長するように該画素の点灯順序を設定されたものであることを特徴とする、印刷方法。
【請求項５】
多値画像を記憶領域に展開する展開ステップと、
該記憶領域に展開された多値画像を、２値化ディザマトリクスパターンに基づいて２値化し、その２値化結果に基づいて画像を形成する画像形成ステップとをそなえ、
該２値化ディザマトリクスパターンが、順次点灯される複数の画素をマトリクス状に配列した矩形パターンとして構成され、当該矩形パターンが、６行×５列の欠落マトリクスにおいて、その１行目を構成する１列目から５列目の画素が、それぞれ、ｎ＋２２×ｍ，ｎ＋１４×ｍ，ｎ＋１２×ｍ，ｎ＋２０×ｍ，ｎ＋２４×ｍ番目に点灯され、その２行目を構成する１列目から５列目の画素が、それぞれ、ｎ＋１８×ｍ，ｎ＋６×ｍ，ｎ＋４×ｍ，ｎ＋８×ｍ，ｎ＋１６×ｍ番目に点灯され、その３行目を構成する１列目から５列目の画素が、それぞれ、ｎ＋１１×ｍ，ｎ＋３×ｍ，ｎ，ｎ＋２×ｍ，ｎ＋１０×ｍ番目に点灯され、その４行目を構成する１列目から５列目の画素が、それぞれ、ｎ＋１３×ｍ，ｎ＋５×ｍ，ｎ＋ｍ，ｎ＋７×ｍ，ｎ＋１９×ｍ番目に点灯され、その５行目を構成する１列目から５列目の画素が、それぞれ、ｎ＋２１×ｍ，ｎ＋１７×ｍ，ｎ＋９×ｍ，ｎ＋１５×ｍ，ｎ＋２３×ｍ番目に点灯され、その６行目を構成する１列目の画素がｎ＋２５×ｍ番目に点灯されるように形成された基本パターン（ただし、ｎは任意の自然数）をｍ個（ただし、ｍは任意の自然数）並べることによって形成されたサブパターンを複数そなえて構成され、当該複数のサブパターンから、互いに同一形状のドットがそれぞれ順番に成長するように該画素の点灯順序を設定されたものであることを特徴とする、印刷方法。
【発明の詳細な説明】
【０００１】
【発明の属する技術分野】
本発明は、自然画像，グラフィック画像，色文字等の多値画像（Continuous Tone Image）を二値画像に変換する２値化処理に用いられる２値化ディザマトリクスパターン（ディザパターンテーブル）、並びに当該２値化ディザマトリクスパターンを用いた技術に関する。
【０００２】
【従来の技術】
スキャナ等の入力機器から取り込むあるいは作成する等して得られた、自然画像やグラフィック画像，色文字などの多値画像をプリンタ等の出力装置から出力する際には、この多値画像を色材（インクやトナー等；以下、ドットという場合もある）のＯＮ／ＯＦＦで表現するために、２値化処理を行なう必要がある。
【０００３】
この２値化手法のひとつとしてディザ法が知られている。ディザ法は、多値画像における特定のピクセル（対象ピクセル）の値と予め設定された閾値との大小を比較することによって画素の階調濃度を決定し、予め用意した２値化ディザマトリクスパターンを用いて、この画素の階調濃度に応じてピクセルについてのドットのＯＮ／ＯＦＦを決定する手法である。
【０００４】
例えば、特公昭５８−１８９６４１号公報に開示された手法によれば、色材が定着する領域の重心がｔａｎθ＝１／３（約１８．４３゜）で並ぶようなディザパターンを得ることができ、０゜，４５゜以外のディザ角度を使用することによりモアレや人工的な縞模様（アーティファクト；Ａｒｔｉｆａｃｔ）を少なくすることができる。
【０００５】
【特許文献１】
特公昭５８−１８９６４１号公報（第３−４頁、第１図，第２図）
【特許文献２】
特願２００１−１９３６５７号
【０００６】
【発明が解決しようとする課題】
しかしながら、上述の如き、特公昭５８−１８９６４１号公報に開示された手法によって取得されたディザパターンでは、縦方向（印刷方向）や横方向（印刷方向に直交する方向）のモアレを軽減することができず印刷品質が低いという課題がある。
【０００７】
本発明は、このような課題に鑑み創案されたもので、モアレやアーティファクトを軽減することができる、２値化ディザマトリクスパターンおよび当該２値化ディザマトリクスパターンを用いた印刷技術を提供することを目的とする。
【０００８】
【課題を解決するための手段】
このため、本発明の印刷方法（請求項１）は、多値画像を記憶領域に展開する展開ステップと、記憶領域に展開された多値画像を、２値化ディザマトリクスパターンに基づいて２値化し、その２値化結果に基づいて画像を形成する画像形成ステップとをそなえ、２値化ディザマトリクスパターンが、順次点灯される複数の画素をマトリクス状に配列した矩形パターンとして構成され、この矩形パターンが、８行×７列の欠落マトリクスにおいて、その１行目を構成する４列目から６列目の画素が、それぞれ、２９，３５，３９番目に点灯され、その２行目を構成する１列目から６列目の画素が、それぞれ、３７，２７，１５，１７，２５，３１番目に点灯され、その３行目を構成する１列目から６列目の画素が、それぞれ、３３，２１，９，７，１１，１９番目に点灯され、その４行目を構成する１列目から７列目の画素が、それぞれ、２８，１０，３，１，５，１３，２３番目に点灯され、その５行目を構成する１列目から７列目の画素が、それぞれ、２２，１２，４，２，６，１８，３４番目に点灯され、その６行目を構成する２列目から７列目の画素が、それぞれ、２６，１６，８，１４，３０，３８番目に点灯され、その７行目を構成する２列目から５列目の画素が、それぞれ、３６，３２，２４，２０番目に点灯され、その８行目を構成する２列目の画素が４０番目に点灯されるように形成された基本パターンを複数そなえて構成され、複数箇所から、互いに同一形状のドットがそれぞれ順番に成長するように画素の点灯順序を設定されたものであることを特徴としている。
【０００９】
また、本発明の印刷方法（請求項２）は、多値画像を記憶領域に展開する展開ステップと、記憶領域に展開された多値画像を、２値化ディザマトリクスパターンに基づいて２値化し、その２値化結果に基づいて画像を形成する画像形成ステップとをそなえ、２値化ディザマトリクスパターンが、順次点灯される複数の画素をマトリクス状に配列した矩形パターンとして構成され、この矩形パターンが、８行×７列の欠落マトリクスにおいて、その１行目を構成する４列目から６列目の画素が、それぞれ、ｎ＋２８×ｍ，ｎ＋３４×ｍ，ｎ＋３８×ｍ番目に点灯され、その２行目を構成する１列目から６列目の画素が、それぞれ、ｎ＋３６×ｍ，ｎ＋２６×ｍ，ｎ＋１４×ｍ，ｎ＋１６×ｍ，ｎ＋２４×ｍ，ｎ＋３０×ｍ番目に点灯され、その３行目を構成する１列目から６列目の画素が、それぞれ、ｎ＋３２×ｍ，ｎ＋２０×ｍ，ｎ＋８×ｍ，ｎ＋６×ｍ，ｎ＋１０×ｍ，ｎ＋１８×ｍ番目に点灯され、その４行目を構成する１列目から７列目の画素が、それぞれ、ｎ＋２７×ｍ，ｎ＋９×ｍ，ｎ＋２×ｍ，ｎ，ｎ＋４×ｍ，ｎ＋１２×ｍ，ｎ＋２２×ｍ番目に点灯され、その５行目を構成する１列目から７列目の画素が、それぞれ、ｎ＋２１×ｍ，ｎ＋１１×ｍ，ｎ＋３×ｍ，ｎ＋ｍ，ｎ＋５×ｍ，ｎ＋１７×ｍ，ｎ＋３３×ｍ番目に点灯され、その６行目を構成する２列目から７列目の画素が、それぞれ、ｎ＋２５×ｍ，ｎ＋１５×ｍ，ｎ＋７×ｍ，ｎ＋１３×ｍ，ｎ＋２９×ｍ，ｎ＋３７×ｍ番目に点灯され、その７行目を構成する２列目から５列目の画素が、それぞれ、ｎ＋３５×ｍ，ｎ＋３１×ｍ，ｎ＋２３×ｍ，ｎ＋１９×ｍ番目に点灯され、その８行目を構成する２列目の画素がｎ＋３９×ｍ番目に点灯されるように形成された基本パターン（ただし、ｎは任意の自然数）をｍ個（ただし、ｍは任意の自然数）並べることによって形成されたサブパターンを複数そなえて構成され、当該複数のサブパターンから、互いに同一形状のドットがそれぞれ順番に成長するように画素の点灯順序を設定されたものであることを特徴としている。
【００１０】
さらに、本発明の印刷方法（請求項３）は、多値画像を記憶領域に展開する展開ステップと、記憶領域に展開された多値画像を、２値化ディザマトリクスパターンに基づいて２値化し、その２値化結果に基づいて画像を形成する画像形成ステップとをそなえ、２値化ディザマトリクスパターンが、順次点灯される複数の画素をマトリクス状に配列した矩形パターンとして構成され、この矩形パターンが、７行×６列の欠落マトリクスにおいて、その１行目を構成する１列目から６列目の画素が、それぞれ、３４，２６，１４，２４，３２，３６番目に点灯され、その２行目を構成する１列目から６列目の画素が、それぞれ、３０，１６，８，１２，２０，２８番目に点灯され、その３行目を構成する１列目から６列目の画素が、それぞれ、２２，６，２，４，１０，１８番目に点灯され、その４行目を構成する１列目から６列目の画素が、それぞれ、１５，５，１，３，１１，２３番目に点灯され、その５行目を構成する１列目から６列目の画素が、それぞれ、２５，１３，７，９，１９，３１番目に点灯され、その６行目を構成する１列目から６列目の画素が、それぞれ、３３，２９，２１，１７，２７，３５番目に点灯され、その７行目を構成する１列目の画素が３７番目に点灯されるように形成された基本パターンを複数そなえて構成され、複数箇所から、互いに同一形状のドットがそれぞれ順番に成長するように画素の点灯順序を設定されたものであることを特徴としている。
【００１１】
また、本発明の印刷方法（請求項４）は、多値画像を記憶領域に展開する展開ステップと、記憶領域に展開された多値画像を、２値化ディザマトリクスパターンに基づいて２値化し、その２値化結果に基づいて画像を形成する画像形成ステップとをそなえ、２値化ディザマトリクスパターンが、順次点灯される複数の画素をマトリクス状に配列した矩形パターンとして構成され、この矩形パターンが、７行×６列の欠落マトリクスにおいて、その１行目を構成する１列目から６列目の画素が、それぞれ、ｎ＋３３×ｍ，ｎ＋２５×ｍ，ｎ＋１３×ｍ，ｎ＋２３×ｍ，ｎ＋３１×ｍ，ｎ＋３５×ｍ番目に点灯され、その２行目を構成する１列目から６列目の画素が、それぞれ、ｎ＋２９×ｍ，ｎ＋１５×ｍ，ｎ＋７×ｍ，ｎ＋１１×ｍ，ｎ＋１９×ｍ，ｎ＋２７×ｍ番目に点灯され、その３行目を構成する１列目から６列目の画素が、それぞれ、ｎ＋２１×ｍ，ｎ＋５×ｍ，ｎ＋ｍ，ｎ＋３×ｍ，ｎ＋９×ｍ，ｎ＋１７×ｍ番目に点灯され、その４行目を構成する１列目から６列目の画素が、それぞれ、ｎ＋１４×ｍ，ｎ＋４×ｍ，ｎ，ｎ＋２×ｍ，ｎ＋１０×ｍ，ｎ＋２２×ｍ番目に点灯され、その５行目を構成する１列目から６列目の画素が、それぞれ、ｎ＋２４×ｍ，ｎ＋１２×ｍ，ｎ＋６×ｍ，ｎ＋８×ｍ，ｎ＋１８×ｍ，ｎ＋３０×ｍ番目に点灯され、その６行目を構成する１列目から６列目の画素が、それぞれ、ｎ＋３２×ｍ，ｎ＋２８×ｍ，ｎ＋２０×ｍ，ｎ＋１６×ｍ，ｎ＋２６×ｍ，ｎ＋３４×ｍ番目に点灯され、その７行目を構成する１列目の画素がｎ＋３６×ｍ番目に点灯されるように形成された基本パターン（ただし、ｎは任意の自然数）をｍ個（ただし、ｍは任意の自然数）並べることによって形成されたサブパターンを複数そなえて構成され、当該複数のサブパターンから、互いに同一形状のドットがそれぞれ順番に成長するように画素の点灯順序を設定されたものであることを特徴としている。
【００１２】
さらに、本発明の印刷方法（請求項５）は、多値画像を記憶領域に展開する展開ステップと、記憶領域に展開された多値画像を、２値化ディザマトリクスパターンに基づいて２値化し、その２値化結果に基づいて画像を形成する画像形成ステップとをそなえ、２値化ディザマトリクスパターンが、順次点灯される複数の画素をマトリクス状に配列した矩形パターンとして構成され、この矩形パターンが、６行×５列の欠落マトリクスにおいて、その１行目を構成する１列目から５列目の画素が、それぞれ、ｎ＋２２×ｍ，ｎ＋１４×ｍ，ｎ＋１２×ｍ，ｎ＋２０×ｍ，ｎ＋２４×ｍ番目に点灯され、その２行目を構成する１列目から５列目の画素が、それぞれ、ｎ＋１８×ｍ，ｎ＋６×ｍ，ｎ＋４×ｍ，ｎ＋８×ｍ，ｎ＋１６×ｍ番目に点灯され、その３行目を構成する１列目から５列目の画素が、それぞれ、ｎ＋１１×ｍ，ｎ＋３×ｍ，ｎ，ｎ＋２×ｍ，ｎ＋１０×ｍ番目に点灯され、その４行目を構成する１列目から５列目の画素が、それぞれ、ｎ＋１３×ｍ，ｎ＋５×ｍ，ｎ＋ｍ，ｎ＋７×ｍ，ｎ＋１９×ｍ番目に点灯され、その５行目を構成する１列目から５列目の画素が、それぞれ、ｎ＋２１×ｍ，ｎ＋１７×ｍ，ｎ＋９×ｍ，ｎ＋１５×ｍ，ｎ＋２３×ｍ番目に点灯され、その６行目を構成する１列目の画素がｎ＋２５×ｍ番目に点灯されるように形成された基本パターン（ただし、ｎは任意の自然数）をｍ個（ただし、ｍは任意の自然数）並べることによって形成されたサブパターンを複数そなえて構成され、当該複数のサブパターンから、互いに同一形状のドットがそれぞれ順番に成長するように該画素の点灯順序を設定されたものであることを特徴としている。
【００１３】
【発明の実施の形態】
以下、図面を参照して本発明の実施の形態を説明する。
図１は本発明の一実施形態としての印刷システムの機能構成を模式的に示す図、図２はその印刷システムのハードウェア構成を模式的に示す図である。
本印刷システム１は、図２に示すように、パーソナルコンピュータ（PersonalComputer：ＰＣ）２と印刷装置３とをそなえて構成され、ＰＣ２によって作成もしくは取得した多値画像を２値化用パターン（２値化ディザマトリクスパターン；詳細は後述）を用いて２値化することによって、色材のＯＮ／ＯＦＦを制御し、この２値化結果に基づいて画像を形成（印刷）するものである。又、本印刷システムは、多値画像を、紙やフィルム，印刷版等の表面に乗る色材の微少なドット（網点）の大小によって表現するようになっており、単位面積当たりのドットの面積比によって画像の濃度を表現するようになっている。
【００１４】
印刷装置３は、例えば、インクジェットプリンタ，レーザビームプリンタ，熱転写プリンタ，昇華型プリンタ，ＬＥＤプリンタ，印刷装置等の、印刷用紙等の媒体上に色材（トナーやインク等）を形成（打点）することにより画像を形成（印刷）するものであって、印刷媒体上に形成する色材（ドット）の面積によって多値画像（連続色調画像）の階調を再現するようになっている。
【００１５】
なお、本実施形態において２値化の処理の対象となる各画素はそれぞれ、例えば、０〜２５５のいずれかの値（多値）を有し、又、２値化（ハーフトーン化）処理後の各画素はそれぞれ０もしくは２５５のいずれかの値（２値）を有するものとする。このように定義しても一般性は失わないものである。
印刷装置３は、ＣＰＵ（Central Processing Unit：中央処理装置）３１，ＲＯＭ（Read Only Memory）３２，ＲＡＭ（Random Access Memory）３３および画像形成部３４をそなえて構成されている。ＲＯＭ３２には、後述する、色演算部１０，階調特性変更部１３およびドットデータ生成部１４を実現するためのアプリケーションプログラム（２値化プログラム，印刷プログラム）が格納されており、ＣＰＵ３１がＲＯＭ３２から上記アプリケーションプログラムを実行することにより、色演算部１０，階調特性変更部１３，ドットデータ生成部１４としての機能（その詳細については後述）が実現され、本発明の印刷方法が実現されるようになっている。
【００１６】
ここで、コンピュータとは、ハードウェアとオペレーションシステムとを含む概念であり、オペレーションシステムの制御の下で動作するハードウェアを意味している。又、オペレーションシステムが不要でアプリケーションプログラム単独でハードウェアを動作させるような場合には、そのハードウェア自体がコンピュータに相当する。ハードウェアは少なくともＣＰＵ（Central Processing Unit：中央処理装置）等のマイクロプロセッサと、記録媒体に記録されたコンピュータプログラムを読み取るための手段とをそなえている。
【００１７】
なお、本実施形態において、コンピュータとは、ハードウェアとオペレーティングシステムとを含む概念であり、オペレーティングシステムの制御の下で動作するハードウェアを意味している。又、オペレーティングシステムが不要でアプリケーションプログラム単独でハードウェアを動作させるような場合には、そのハードウェア自体がコンピュータに相当する。ハードウェアは、少なくとも、ＣＰＵ等のマイクロプロセッサと、記録媒体に記録されたコンピュータプログラムを読み取るための手段とをそなえており、本実施形態においては、印刷装置３がコンピュータとしての機能を有しているのである。
【００１８】
また、色演算部１０，階調特性変更部１３，ドットデータ生成部１４としての機能を実現するためのプログラム（２値化プログラム，印刷プログラム）は、例えばフレキシブルディスク，ＣＤ−ＲＯＭ，ＣＤ−Ｒ，ＣＤ−Ｒ／Ｗ，ＤＶＤ，ＤＶＤ−Ｒ，ＤＶＤ−Ｒ／Ｗ，磁気ディスク，光ディスク，光磁気ディスク等の、コンピュータ読取可能な記録媒体に記録された形態で提供される。そして、コンピュータはその記録媒体からプログラムを読み取って内部記憶装置または外部記憶装置に転送し格納して用いる。又、そのプログラムを、例えば磁気ディスク，光ディスク，光磁気ディスク等の記憶装置（記録媒体）に記録しておき、その記憶装置から通信経路を介してコンピュータに提供するようにしてもよい。
【００１９】
色演算部１０，階調特性変更部１３およびドットデータ生成部１４としての機能を実現する際には、内部記憶装置（本実施形態ではプリンタのＲＡＭやＲＯＭ）に格納されたプログラムがコンピュータのマイクロプロセッサ（本実施形態ではプリンタのＣＰＵ）によって実行される。このとき、記録媒体に記録されたプログラムをコンピュータが読み取って実行するようにしてもよい。
【００２０】
さらに、本実施形態における記録媒体としては、上述したフレキシブルディスク，ＣＤ−ＲＯＭ，ＣＤ−Ｒ，ＣＤ−Ｒ／Ｗ，ＤＶＤ，ＤＶＤ−Ｒ，ＤＶＤ−Ｒ／Ｗ，磁気ディスク，光ディスク，光磁気ディスクのほか、ＩＣカード，ＲＯＭカートリッジ，磁気テープ、パンチカード、コンピュータの内部記憶装置（ＲＡＭやＲＯＭなどのメモリ），外部記憶装置等や、バーコードなどの符号が印刷された印刷物等のコンピュータ読取可能な種々の媒体を利用することができる。
【００２１】
本印刷システムは１、多値画像の画像信号に基づいて紙やフィルム，印刷版等の表面にドットを生成するようになっており、図１に示すように、色演算部１０，画像信号メモリ（記憶領域）１１，パターンメモリ（２値化ディザマトリクスパターン設定部）１２，階調特性変更部１３，ドットデータ生成部（選択２値化パターン生成部）１４および画像形成部１５としての機能をそなえて構成されている。
【００２２】
色演算部１０は、多値画像の画像信号に関する色演算を行なうものであって、入力された画像信号（例えば、０〜２５５の画素値で表わされる）に対して、色修正，階調補正，墨版形成，下色除去，鮮鋭度強調等の種々の処理を行なうものである。
画像信号メモリ１１は、色演算部１０によって処理された画像信号を記憶するものであって、多値画像を展開する記憶領域として機能するものである。
【００２３】
パターンメモリ１２は、図３（ａ）に示すような２値化ディザマトリクスパターン（以下、２値化用パターンという場合もある）１２ａを格納するものである。なお、実際は、ＲＡＭ（Random Access Memory）３３やＲＯＭ(Read Only Memory)３２，その他の記憶媒体（例えばＰＣ２の記憶装置等）に２値化プログラムや印刷プログラムが格納されており、印刷装置３のＣＰＵ３１やＰＣのＣＰＵ（図示省略）がこれらの２値化プログラムや印刷プログラムを実行することによりパターンメモリ１２が実現され、これによりパターンメモリ１２に２値化用パターン１２ａが格納されているものとみなすことができる。
【００２４】
図３（ａ），（ｂ）は本発明の一実施形態の印刷装置において用いられる２値化用パターン（２値化ディザマトリクスパターン）１２ａを示す図、図４はその基本パターンを示す図、図５はその２値化用パターン１２ａの形成方法を説明するための図である。なお、これらの図３（ａ），（ｂ）および図４においては、図中の数値は画素の点灯順序を示すものである。又、図３（ａ）中に示す２値化用パターン１２ａには点灯順序が１の画素に○を付しており、図３（ｂ）中に示す２値化用パターン１２ａには点灯順序が１および２の画素に○を付している。又、図３（ａ），（ｂ）に示す２値化用パターン１２ａは、その基本パターン部分（図４参照；詳細は後述）を破線で囲って示している。
【００２５】
２値化用パターン１２ａは、順次点灯される複数の画素をマトリクス状に配列した矩形パターンであって、図３（ａ），（ｂ）に示すように、１０行×１０列のマトリクス状に配列される１００個の画素によって構成され（矩形パターン）、これらの各画素に色材（トナーやインク等）が形成（点灯）される順番（以下、この順番のことを点灯順序という）が設定されている。
【００２６】
そして、この２値化用パターン１２ａにおいては、図３（ａ），（ｂ）に示すように、複数箇所（この２値化用パターン１２ａにおいては、数値１が付されている画素）から互いに同一形状のドットがそれぞれ順番に成長するように、点灯順序が設定されている。
この２値化用パターン１２ａは、図５に示すように、図４に示す基本パターン１２１を縦方向および横方向にくり返し配置することによって形成されている。基本パターン１２１は、図４に示すように、４行×３列の１２個の画素からなる矩形マトリクスを部分的に切り欠いて形成されている。本実施形態においては、基本パターン１２１は右下の２画素（４行目の２列目と３列目の画素）を切り欠いて構成されている。以下、このように部分的な切り欠きを有するマトリクスを欠落マトリクスと称する。
【００２７】
また、この基本パターン（欠落マトリクス）１２１においては、図４に示すように、この基本パターン１２１における特定点（本実施形態では基本パターン１２１の図心）に最も近く、且つ、点灯済の画素がある場合にはこの点灯画素に隣接する未点灯画素を点灯した後、基本パターン１２１の特定点を基準として点対称の位置に対応する画素を点灯させることにより、ドットがほぼ円形に成長するように点灯順序が設定されている。
【００２８】
すなわち、この図４に示す基本パターン１２１においては、数値の小さい方から大きい方に順番に色材が載せられるようになっており、これにより、基本パターン１２１の図心（特定点）から順番に、ほぼ円形にドットが成長するようになっていて、２値化用パターン１２ａが、ドット集中型の２値化用パターン（２値化ディザマトリクスパターン；ディザパターン）として機能するのである。
【００２９】
この基本パターン１２１は、４行×３列の欠落マトリクスにおいて、その１行目を構成する１列目から３列目の画素が、それぞれ、７，５，９番目に点灯され、その２行目を構成する１列目から３列目の画素が、それぞれ、４，１，３番目に点灯され、その３行目を構成する１列目から３列目の画素が、それぞれ、６，２，８番目に点灯され、その４行目を構成する１列目の画素が１０番目に点灯されるように形成されている。
【００３０】
そして、２値化用パターン１２ａは、図５に示すように、上述した基本パターン（欠落マトリクス）１２１を、その欠落部分（図４では右下部分）に、基本パターン１２１における図心に対して点対称の位置に相当する部分（図４では左上部分）を嵌めるように配置し、その縦方向（行方向）および横方向（列方向）において、点灯順序がくり返し連続するように隙間無く並べた後に、１０行×１０列の任意の矩形部分（図５の太線参照）を切り出すことにより形成されている。
【００３１】
また
、２値化用パターン１２ａにおいては、この２値化用パターン１２ａにそなえられた各基本パターン１２１から、互いに同一形状のドットがそれぞれ順番に成長するように、点灯順序が設定されているのである。
すなわち、２値化用パターン１２ａは、
（１）矩形パターンの１行目を構成する１列目から１０列目の画素が、それぞれ、１０，７，５，９，４，１，３，６，２，８番目に点灯され、
（２）矩形パターンの２行目を構成する１列目から１０列目の画素が、それぞれ、９，４，１，３，６，２，８，１０，７，５番目に点灯され、
（３）矩形パターンの３行目を構成する１列目から１０列目の画素が、それぞれ、３，６，２，８，１０，７，５，９，４，１番目に点灯され、
（４）矩形パターンの４行目を構成する１列目から１０列目の画素が、それぞれ、８，１０，７，５，９，４，１，３，６，２番目に点灯され、
（５）矩形パターンの５行目を構成する１列目から１０列目の画素が、それぞれ、５，９，４，１，３，６，２，８，１０，７番目に点灯され、
（６）矩形パターンの６行目を構成する１列目から１０列目の画素が、それぞれ、１，３，６，２，８，１０，７，５，９，４番目に点灯され、
（７）矩形パターンの７行目を構成する１列目から１０列目の画素が、それぞれ、２，８，１０，７，５，９，４，１，３，６番目に点灯され、
（８）矩形パターンの８行目を構成する１列目から１０列目の画素が、それぞれ、７，５，９，４，１，３，６，２，８，１０番目に点灯され、
（９）矩形パターンの９行目を構成する１列目から１０列目の画素が、それぞれ、４，１，３，６，２，８，１０，７，５，９番目に点灯され、
（１０）矩形パターンの１０行目を構成する１列目から１０列目の画素が、それぞれ、６，２，８，１０，７，５，９，４，１，３番目に点灯されるように、１００個の画素の点灯順序が設定されている。
【００３２】
また、２値化用パターン１２ａにおいては、図３（ａ）に示すように、横方向において隣接する基本パターン１２１の図心どうしを結んだ線（図３（ａ）の一点鎖線参照）が形成する角度、すなわち、ディザ角度（スクリーン角度，網点角度）が１８．４度となるようになっている。
すなわち、図３（ａ）に示す２値化用パターン１２ａは、ディザ角度が１８．４度，出力線数（単位:ｌｐｉ（line per inch））が１９０．０ｌｐｉの２値化用パターンである。
【００３３】
なお、このような２値化用パターン１２ａを用いることにより、印刷を行なう多値画像（原画像）を構成する各画素の画素値（例えば０〜２５５）を、それぞれ１１段階（階調）で表すことができる。
すなわち、この２値化用パターン１２ａにおいては、図４中に示す基本パターン１２１によって１つのドットが形成されるようになっていて、この基本パターン１２ａでは、点灯順序が１の画素だけを点灯させた最小ドットから点灯順序が１〜１０の全ての画素を点灯させた最大ドットに至るまで１０種類の大きさのドットを形成して、原画像の画素の画素値を１１段階で表現することができるのである。
【００３４】
階調特性変更部１３は、画像信号における各画素の画素値を予めそなえられた一次元ルックアップテーブル（ルックアップテーブル；図６参照）に基づいて変換するものである。図６は本発明の一実施形態の印刷装置において用いられる一次元ルックアップテーブルの例を示す図であり、階調特性変更部１３は、この図６に示すような一次元ルックアップテーブルに基づいて画像信号の画素値を変換してドットデータ生成部１２に渡すようになっており、これにより点灯順序を変更するようになっている。
【００３５】
そして、この一次元ルックアップテーブルの値を任意に変更することにより、階調特性（画像の特性）を任意に変更することができるのである。なお、この階調特性変更部１３がルックアップテーブルに基づいて点灯順序を変更する点灯順序変更部として機能するようになっている。
なお、かかるルックアップテーブルに基づく点灯順序の変更に際して、色材が既に色材を定着させた（点灯済の）画素に隣接するように点灯順序を設定することにより、色材が定着し易くなり印刷品質を向上させることができる。
【００３６】
また、この一次元ルックアップテーブルを介して点灯順序を任意に変更することができ、例えば、トーンカーブ等の調節を容易に行なうことができ、又、モアレやアーティファクトを軽減することができる。
さらに、本実施形態においては階調特性変更部１３によって画像信号の画素値を変換しているが、これに限定するものではなく、本発明の趣旨を逸脱しない範囲で種々変更して実施することができる。例えば、階調特性変更部１３は、図３に示す以外のルックアップテーブルによって画素値の変更を行なってもよく、又、階調特性変更部１３による画素値の変更を行なわないようにしてもよい。
【００３７】
ドットデータ生成部（２値化処理部）１４は、階調特性変更部１３から入力される画像信号を、パターンメモリ１２に記録されている２値化用パターン１２ａを用いて２値化して、画像形成部１５によってドットを印刷するためのデータ（ドットデータ）を生成するものである。
具体的には、ドットデータ生成部１４は、画像信号の画素値（例えば０〜２５５）を予め設定された閾値と比較して、２値化用パターン１２ａにおいて点灯すべき画素数を求めた後、２値化用パターン１２ａに設定された点灯順序に従って、求めた画素数と一致するまで点灯させるようなドットデータを生成する。
【００３８】
すなわち、ドットデータ生成部１４は、２値化用パターン１２ａに設定された点灯順序に従って、点灯順序の開始画素（図３（ａ），（ｂ）中では、点灯順序として１が設定された画素）から、求めた画素数と一致する点灯順番が設定された画素までを点灯順序に従って（降順に）選択する（点灯させる）ことにより、色材を形成する画素を決定し、この情報に基づいてドットデータを生成するようになっている。
【００３９】
画像形成部１５は、ドットデータ生成部１４によって生成されたドットデータを印刷するものである。例えば、静電印刷方式の印刷装置においては、露光装置等がこの画像形成部１５として機能するようになっており、この場合には、ドットデータ生成部１４により、露光用データがドットデータとして生成される。
すなわち、画像信号メモリ１１に展開された多値画像をドットデータ生成部１４によって２値化し、画像形成部１５が、この２値化結果に基づいて画像を形成するようになっている。
【００４０】
上述の構成により、本発明の一実施形態の印刷システム１は、予め、パターンメモリ１２に、図３（ａ）に示すような２値化用パターン１２ａを用意しておき（準備ステップ）、ドット生成部１において、入力された画像信号を色演算部１０によって色修正，階調補正，墨版形成，下色除去，鮮鋭度強調等の種々の処理を行なった後、これらの処理を行った画像信号を画像信号メモリ１１に展開する（多値画像を記憶領域に展開する展開ステップ）。又、印刷装置は、画像信号メモリ１１に展開された画像信号に対して、必要に応じて階調特性変更部１３によって画素値の変換を行なう。
【００４１】
そして、ドットデータ生成部１４が、パターンメモリ１２に記録された２値化用パターン１２ａを用いて画像信号を２値化し（２値化ステップ）、ドットデータを作成して画像形成部１５に入力する。
ここで、図３（ａ），（ｂ）を用いて本発明の一実施形態としての印刷装置における２値化処理を説明すると、ドットデータ生成部１４は、これらの図３（ａ），（ｂ）に示すように、２値化パターン１２ａにおける、点灯順序の開始画素から所定の点灯順番が設定された画素までを点灯順序に従って（本実施形態においては、数字の小さいものから大きいものにかけて降順に）選択することにより、色材を形成する画素を決定し、ドットデータを作成する。そして、画像形成部１５は、この作成されたドットデータに従って画像の形成（印刷）を行なう（画像形成ステップ）。
【００４２】
このように、本発明の一実施形態としての印刷装置（２値化用パターン）によれば、ドット集中型の印刷を行なうことができ、この際、モアレやアーティファクト（人工的な縞模様；Ａｒｔｉｆａｃｔ）の少ない画像を印刷することができる。
また、２値化用パターン１２ａが１０行×１０列の矩形パターンとして構成されているので、この２値化用パターン１２ａを記録するパターンメモリ１２の容量を小さくすることができ、２値化処理を高速化できるほか、装置の製造コストを削減することができる。
【００４３】
さらに、２値化用パターン１２ａを用いて２値化を行なうことによって、集中型の画像形成を行なうことができるので、高解像度の印刷を行なう場合においても、印刷媒体（印刷用紙等）に色材（トナーやインク等）を安定して形成することができる。
また、２値化用パターン１２ａにおいては、ディザ角度が１８．４度となるので、印刷装置３の機構上の特性（例えば、印刷エンジンに使用されている弾性部材の伸び縮み等）が原因で、印刷物に生じる原画像にはない縦縞模様やモアレ等を目立たなくさせることができる。
【００４４】
そして、本発明は上述した実施形態に限定されるものではなく、本発明の趣旨を逸脱しない範囲で種々変形して実施することができる。
例えば、上記実施形態では、ドットデータ生成部１４が、図３（ａ），（ｂ）に示した２値化用パターン１２ａを用いて２値化処理を行なっているがそれに限定されるものではなく、本発明の趣旨を逸脱しない範囲で種々変更して実施することができる。
【００４５】
図７〜図２６はそれぞれ本発明の一実施形態の印刷装置に用いられる２値化用パターンの変形例を説明するための図であり、図７，図９，図１０，図１２〜図１６，図１８〜図２３および図２５，図２６はそれぞれ他の２値化用パターンを示す図、図８は図９，図１０に示す２値化用パターン１２ｃ、１２ｄに用いられる基本パターンを示す図、図１１は図１２〜図１６に示す２値化用パターン１２ｅ、１２ｄに用いられる基本パターンを示す図、図１７は図１８〜図２３に示す２値化用パターン１２ｇ、１２ｈに用いられる基本パターンを示す図、図２４は図２５，図２６に示す２値化用パターン１２ｉ、１２ｊに用いられる基本パターンを示す図である。なお、これらの図７〜図２６においても、図中の数値は画素の点灯順序を示すものである。
【００４６】
ドットデータ生成部１４は、これらの図７，図９，図１０，図１２〜図１６，図１８〜図２３および図２５，図２６に示す２値化用パターン１２ｂ〜１２ｊを用いて２値化処理を行なってもよい。又、図７，図９，図１０，図１２〜図１６，図１８〜図２３および図２５，図２６中においては、基本パターンを点線で囲んで示す。
【００４７】
図７に示す本発明の第１変形例としての２値化用パターン１２ｂは、２０行×２０列のマトリクス状に配列される４００個の画素によって構成され、順次点灯される複数の画素をマトリクス状に配列した矩形パターンとして構成されたものであって、図４に示した基本パターン１２１を縦方向および横方向に２つずつ、その欠落部分に、基本パターン１２１における図心に対して点対称の位置に相当する部分を嵌めるように配置し、その縦方向（行方向）および横方向（列方向）において、点灯順序がくり返し連続するように、隙間無く複数（本実施形態では縦方向と横方向に２つずつの計４つ）並べることによって構成したサブパターン１２１１を複数そなえて形成されている。なお、図７中においては、便宜上、一部のサブパターン１２１１に斜線を付して示す。
【００４８】
なお、以下、基本パターンを示す符号としては、複数の基本パターンのうち１つを特定する必要があるときには符号１２１−１〜１２１−ｎ（ｎは自然数）を用いるが、任意の基本パターンを指すときには符号１２１を用いる。又、以下、１つのサブパターン１２１１を構成する基本パターン１２１の個数をｍで表わす。すなわち、本実施形態においては、１≦ｎ≦ｍ（ｎ，ｍは自然数）という関係が成立する。
【００４９】
図７に示す２値化用パターン１２ｂにおいては、サブパターン１２１１は、１２１−１〜１２１−４の計４つの基本パターン１２１をそなえて構成されているので、ｎは１，２，３，４のうちのいずれか任意の自然数であり、ｍ＝４となる。
すなわち、サブパターン１２１１は、４行×３列の欠落マトリクス１２１において、その１行目を構成する１列目から３列目の画素が、それぞれ、ｎ＋６×ｍ，ｎ＋４×ｍ，ｎ＋８×ｍ番目に点灯され、その２行目を構成する１列目から３列目の画素が、それぞれ、ｎ＋３×ｍ，ｎ，ｎ＋２×ｍ番目に点灯され、その３行目を構成する１列目から３列目の画素が、それぞれ、ｎ＋５×ｍ，ｎ＋ｍ，ｎ＋７×ｍ番目に点灯され、その４行目を構成する１列目の画素がｎ＋９×ｍ番目に点灯されるように形成された基本パターン１２１（１２１−１〜１２１−ｎ；ただし、１≦ｎ≦ｍ）をｍ個（ｍ＝４）並べることによって形成されている。
【００５０】
また、図７において斜線を付して示すサブパターン１２１１においては、基本パターン１２１−１の下側に基本パターン１２１−２が配置され、基本パターン１２１−１の左側に基本パターン１２１−３が、又、基本パターン１２１−３の下側に基本パターン１２１−４が配置されている。なお、サブパターン１２１１における、かかる基本パターン１２１の配置は、これに限定されるものではなく、本発明の趣旨を逸脱しない範囲で種々変形して実施することができる。
【００５１】
２値化用パターン１２ｂは、このようなサブパターン１２１１を、縦方向および横方向に、縦方向において隣接する他のサブパターン１２１１における基本パターン１２１−２および基本パターン１２１−４の欠落部分に、基本パターン１２１−１および基本パターン１２１−３を嵌めるように配置し、その縦方向（行方向）および横方向（列方向）において、点灯順序がくり返し連続するように隙間無く複数並べた後に、２０行×２０列の任意の矩形部分を切り出すことにより形成されている。
【００５２】
そして、２値化用パターン１２ｂは、上述したサブパターン１２１１を複数そなえて構成され、これらの複数のサブパターン１２１１から、互いに同一形状のドットがそれぞれ順番に成長するように画素の点灯順序が設定されているのである。
すなわち、２値化用パターン１２ｂにおいては、図７に示すように、
（１）矩形パターンの１行目を構成する１列目から２０列目の画素が、それぞれ、３７，２６，１８，３４，１６，４，１２，２２，６，３０，４０，２７，１９，３５，１３，１，９，２３，７，３１番目に点灯され、
（２）矩形パターンの２行目を構成する１列目から２０列目の画素が、それぞれ、３６，１４，２，１０，２４，８，３２，３８，２５，１７，３３，１５，３，１１，２１，５，２９，３９，２８，２０番目に点灯され、
（３）矩形パターンの３行目を構成する１列目から２０列目の画素が、それぞれ、１２，２２，６，３０，４０，２７，１９，３５，１３，１，９，２３，７，３１，３７，２６，１８，３４，１６，４番目に点灯され、
（４）矩形パターンの４行目を構成する１列目から２０列目の画素が、それぞれ、３２，３８，２５，１７，３３，１５，３，１１，２１，５，２９，３９，２８，２０，３６，１４，２，１０，２４，８番目に点灯され、
（５）矩形パターンの５行目を構成する１列目から２０列目の画素が、それぞれ、１９，３５，１３，１，９，２３，７，３１，３７，２６，１８，３４，１６，４，１２，２２，６，３０，４０，２７番目に点灯され、
（６）矩形パターンの６行目を構成する１列目から２０列目の画素が、それぞれ、３，１１，２１，５，２９，３９，２８，２０，３６，１４，２，１０，２４，８，３２，３８，２５，１７，３３，１５番目に点灯され、
（７）矩形パターンの７行目を構成する１列目から２０列目の画素が、それぞれ、７，３１，３７，２６，１８，３４，１６，４，１２，２２，６，３０，４０，２７，１９，３５，１３，１，９，２３番目に点灯され、
（８）矩形パターンの８行目を構成する１列目から２０列目の画素が、それぞれ、２８，２０，３６，１４，２，１０，２４，８，３２，３８，２５，１７，３３，１５，３，１１，２１，５，２９，３９番目に点灯され、
（９）矩形パターンの９行目を構成する１列目から２０列目の画素が、それぞれ、１６，４，１２，２２，６，３０，４０，２７，１９，３５，１３，１，９，２３，７，３１，３７，２６，１８，３４番目に点灯され、
（１０）矩形パターンの１０行目を構成する１列目から２０列目の画素が、それぞれ、２４，８，３２，３８，２５，１７，３３，１５，３，１１，２１，５，２９，３９，２８，２０，３６，１４，２，１０番目に点灯され、
（１１）矩形パターンの１１行目を構成する１列目から２０列目の画素が、それぞれ、４０，２７，１９，３５，１３，１，９，２３，７，３１，３７，２６，１８，３４，１６，４，１２，２２，６，３０番目に点灯され、
（１２）矩形パターンの１２行目を構成する１列目から２０列目の画素が、それぞれ、３３，１５，３，１１，２１，５，２９，３９，２８，２０，３６，１４，２，１０，２４，８，３２，３８，２５，１７番目に点灯され、
（１３）矩形パターンの１３行目を構成する１列目から２０列目の画素が、それぞれ、９，２３，７，３１，３７，２６，１８，３４，１６，４，１２，２２，６，３０，４０，２７，１９，３５，１３，１番目に点灯され、
（１４）矩形パターンの１４行目を構成する１列目から２０列目の画素が、それぞれ、２９，３９，２８，２０，３６，１４，２，１０，２４，８，３２，３８，２５，１７，３３，１５，３，１１，２１，５番目に点灯され、
（１５）矩形パターンの１５行目を構成する１列目から２０列目の画素が、それぞれ、１８，３４，１６，４，１２，２２，６，３０，４０，２７，１９，３５，１３，１，９，２３，７，３１，３７，２６番目に点灯され、
（１６）矩形パターンの１６行目を構成する１列目から２０列目の画素が、それぞれ、２，１０，２４，８，３２，３８，２５，１７，３３，１５，３，１１，２１，５，２９，３９，２８，２０，３６，１４番目に点灯され、
６，３０，４０，２７，１９，３５，１３，１，９，２３，７，３１，３７，２（１７）矩形パターンの１７行目を構成する１列目から２０列目の画素が、それぞれ、６，１８，３４，１６，４，１２，２２番目に点灯され、
（１８）矩形パターンの１８行目を構成する１列目から２０列目の画素が、それぞれ、２５，１７，３３，１５，３，１１，２１，５，２９，３９，２８，２０，３６，１４，２，１０，２４，８，３２，３８番目に点灯され、
（１９）矩形パターンの１９行目を構成する１列目から２０列目の画素が、それぞれ、１３，１，９，２３，７，３１，３７，２６，１８，３４，１６，４，１２，２２，６，３０，４０，２７，１９，３５番目に点灯され、
（２０）矩形パターンの２０行目を構成する１列目から２０列目の画素が、それぞれ、２１，５，２９，３９，２８，２０，３６，１４，２，１０，２４，８，３２，３８，２５，１７，３３，１５，３，１１番目に点灯されるように、４００個の画素の点灯順序が設定され、複数箇所から、互いに同一形状のドットがそれぞれ順番に成長するように画素の点灯順序が設定されているのである。
【００５３】
また、この２値化用パターン１２ｂも、２値化用パターン１２ａと同様に、ディザ角度（スクリーン角度，網点角度）が１８．４度、出力線数（単位:ｌｐｉ（line per inch））が１９０．０ｌｐｉの２値化用パターンである。
なお、この２値化用パターン１２ｂを用いることにより、印刷を行なう多値画像（原画像）を構成する各画素の画素値（例えば、０〜２５５）を、それぞれ４１段階（階調）で表すことができる。
【００５４】
図９に示す２値化用パターン１２ｃも、順次点灯される複数の画素をマトリクス状に配列した矩形パターンであって、１７行×１７列のマトリクス状に配列される２８９個の画素によって構成され（矩形パターン）、各画素にそれぞれ点灯順序が設定されている。
そして、この２値化用パターン１２ｃにおいては、図９に示すように、複数箇所（この２値化用パターン１２ｃにおいては、数値１が付されている画素）から互いに同一形状のドットがそれぞれ順番に成長するように、点灯順序が設定されている。
【００５５】
この２値化用パターン１２ｃは、図８に示す基本パターン１２２を縦方向および横方向にくり返し配置することによって形成されている。基本パターン１２２は、図８に示すように、５行×４列の２０個の画素からなる矩形マトリクスを部分的に切り欠いて形成された欠落マトリクスであって、本実施形態においては、基本パターン１２２は右下の３画素（５行目の２列目〜４列目の画素）を切り欠いて構成されている。
【００５６】
また、この基本パターン１２２においては、図８に示すように、この基本パターン１２２における特定点（本実施形態では基本パターン１２２の図心）に最も近く、且つ、点灯済の画素がある場合にはこの点灯画素に隣接する未点灯画素を点灯した後、基本パターン１２２の特定点を基準として点対称の位置に対応する画素を点灯させることにより、ドットがほぼ円形に成長するように点灯順序が設定されている。
【００５７】
すなわち、この図８に示す基本パターン１２２においては、数値の小さい方から大きい方に順番に色材が載せられるようになっており、これにより、基本パターン１２２の図心（特定点）付近から順番に、ほぼ円形にドットが成長するようになっていて、２値化用パターン１２ｃが、ドット集中型の２値化用パターン（２値化ディザマトリクスパターン；ディザパターン）として機能するのである。
【００５８】
すなわち、基本パターン１２２は、５行×４列の欠落マトリクスにおいて、その１行目を構成する１列目から４列目の画素が、それぞれ、１４，６，１２，１６番目に点灯され、その２行目を構成する１列目から４列目の画素が、それぞれ、１０，２，４，８番目に点灯され、その３行目を構成する１列目から４列目の画素が、それぞれ、５，１，３，１１番目に点灯され、その４行目を構成する１列目から４列目の画素が、それぞれ、１３，９，７，１５番目に点灯され、その５行目を構成する１列目の画素が１７番目に点灯されるように形成されている。
【００５９】
２値化用パターン１２ｃは、図９に示すように、上述した基本パターン（欠落マトリクス）１２２を、その欠落部分（図８では右下部分）に、基本パターン１２２における図心に対して点対称の位置に相当する部分（図８では左上部分）を嵌めるように配置し、その縦方向（行方向）および横方向（列方向）において、点灯順序がくり返し連続するように隙間無く並べた後に、１７行×１７列の任意の矩形部分（図９の太線参照）を切り出すことにより形成されている。
【００６０】
そして、２値化用パターン１２ｃにおいては、この２値化用パターン１２ｃにそなえられた各基本パターン１２２から、互いに同一形状のドットがそれぞれ順番に成長するように、点灯順序が設定されているのである。
すなわち、２値化用パターン１２ｃは、
（１）矩形パターンの１行目を構成する１列目から１７列目の画素が、それぞれ、３，１１，１３，９，７，１５，１７，１４，６，１２，１６，１０，２，４，８，５，１番目に点灯され、
（２）矩形パターンの２行目を構成する１列目から１７列目の画素が、それぞれ、７，１５，１７，１４，６，１２，１６，１０，２，４，８，５，１，３，１１，１３，９番目に点灯され、
（３）矩形パターンの３行目を構成する１列目から１７列目の画素が、それぞれ、６，１２，１６，１０，２，４，８，５，１，３，１１，１３，９，７，１５，１７，１４番目に点灯され、
（４）矩形パターンの４行目を構成する１列目から１７列目の画素が、それぞれ、２，４，８，５，１，３，１１，１３，９，７，１５，１７，１４，６，１２，１６，１０番目に点灯され、
（５）矩形パターンの５行目を構成する１列目から１７列目の画素が、それぞれ、１，３，１１，１３，９，７，１５，１７，１４，６，１２，１６，１０，２，４，８，５番目に点灯され、
（６）矩形パターンの６行目を構成する１列目から１７列目の画素が、それぞれ、９，７，１５，１７，１４，６，１２，１６，１０，２，４，８，５，１，３，１１，１３番目に点灯され、
（７）矩形パターンの７行目を構成する１列目から１７列目の画素が、それぞれ、１４，６，１２，１６，１０，２，４，８，５，１，３，１１，１３，９，７，１５，１７番目に点灯され、
（８）矩形パターンの８行目を構成する１列目から１７列目の画素が、それぞれ、１０，２，４，８，５，１，３，１１，１３，９，７，１５，１７，１４，６，１２，１６番目に点灯され、
（９）矩形パターンの９行目を構成する１列目から１７列目の画素が、それぞれ、５，１，３，１１，１３，９，７，１５，１７，１４，６，１２，１６，１０，２，４，８番目に点灯され、
（１０）矩形パターンの１０行目を構成する１列目から１７列目の画素が、それぞれ、１３，９，７，１５，１７，１４，６，１２，１６，１０，２，４，８，５，１，３，１１番目に点灯され、
（１１）矩形パターンの１１行目を構成する１列目から１７列目の画素が、それぞれ、１７，１４，６，１２，１６，１０，２，４，８，５，１，３，１１，１３，９，７，１５番目に点灯され、
（１２）矩形パターンの１２行目を構成する１列目から１７列目の画素が、それぞれ、１６，１０，２，４，８，５，１，３，１１，１３，９，７，１５，１７，１４，６，１２番目に点灯され、
（１３）矩形パターンの１３行目を構成する１列目から１７列目の画素が、それぞれ、８，５，１，３，１１，１３，９，７，１５，１７，１４，６，１２，１６，１０，２，４番目に点灯され、
（１４）矩形パターンの１４行目を構成する１列目から１７列目の画素が、それぞれ、１１，１３，９，７，１５，１７，１４，６，１２，１６，１０，２，４，８，５，１，３番目に点灯され、
（１５）矩形パターンの１５行目を構成する１列目から１７列目の画素が、それぞれ、１５，１７，１４，６，１２，１６，１０，２，４，８，５，１，３，１１，１３，９，７番目に点灯され、
（１６）矩形パターンの１６行目を構成する１列目から１７列目の画素が、それぞれ、１２，１６，１０，２，４，８，５，１，３，１１，１３，９，７，１５，１７，１４，６番目に点灯され、
（１７）矩形パターンの１７行目を構成する１列目から１７列目の画素が、それぞれ、４，８，５，１，３，１１，１３，９，７，１５，１７，１４，６，１２，１６，１０，２番目に点灯されるように、２８９個の画素の点灯順序が設定されている。
【００６１】
また、２値化用パターン１２ｃにおいては、ディザ角度（スクリーン角度，網点角度）が１４．０度となるようになっている。
すなわち、図９に示す２値化用パターン１２ｃは、ディザ角度が１４．０度，出力線数が１４５．５ｌｐｉの２値化用パターンである。
なお、この２値化用パターン１２ｃを用いることにより、印刷を行なう多値画像（原画像）を構成する各画素の画素値（例えば、０〜２５５）を、それぞれ１８段階（階調）で表わすことができる。
【００６２】
図１０に示す２値化用パターン１２ｄは、３４行×３４列のマトリクス状に配列される１１５６個の画素によって構成され、順次点灯される複数の画素をマトリクス状に配列した矩形パターンとして構成されたものであって、図８に示した基本パターン１２２を縦方向および横方向に２つずつ、その欠落部分に、基本パターン１２２における図心に対して点対称の位置に相当する部分を嵌めるように配置し、その縦方向（行方向）および横方向（列方向）において、点灯順序がくり返し連続するように、隙間無く複数（本実施形態では縦方向と横方向に２つずつの計４つ）並べることによって構成したサブパターン１２２１を複数そなえて形成されている。なお、図１０中においては、便宜上、一部のサブパターン１２２１に斜線を付して示す。
【００６３】
なお、以下、基本パターンを示す符号としては、複数の基本パターンのうち１つを特定する必要があるときには符号１２２−１〜１２２−ｎ（ｎは自然数）を用いるが、任意の基本パターンを指すときには符号１２２を用いる。又、以下、１つのサブパターン１２２１を構成する基本パターン１２２の個数をｍで表わす。すなわち、本実施形態においては、１≦ｎ≦ｍ（ｎ，ｍは自然数）という関係が成立する。
【００６４】
図１０に示す２値化用パターン１２ｄにおいては、サブパターン１２２１は、１２２−１〜１２２−４の計４つの基本パターン１２２をそなえて構成されているので、ｎは１，２，３，４のうちのいずれか任意の自然数であり、ｍ＝４となる。
すなわち、サブパターン１２２１は、５行×４列の欠落マトリクスにおいて、その１行目を構成する１列目から４列目の画素が、それぞれ、ｎ＋１３×ｍ，ｎ＋５×ｍ，ｎ＋１１×ｍ番目，ｎ＋１５×ｍに点灯され、その２行目を構成する１列目から４列目の画素が、それぞれ、ｎ＋９×ｍ，ｎ＋ｍ，ｎ＋３×ｍ，ｎ＋７×ｍ番目に点灯され、その３行目を構成する１列目から４列目の画素が、それぞれ、ｎ＋４×ｍ，ｎ，ｎ＋２×ｍ，ｎ＋１０×ｍ番目に点灯され、その４行目を構成する１列目から４列目の画素が、それぞれ、ｎ＋１２×ｍ，ｎ＋８×ｍ，ｎ＋６×ｍ，ｎ＋１４×ｍ番目に点灯され、その５行目を構成する１列目の画素がｎ＋１６×ｍ番目に点灯されるように形成された基本パターン１２２（１２２−１〜１２２−ｎ；ただし、１≦ｎ≦ｍ）をｍ個（ｍ＝４）並べることによって形成されている。
【００６５】
また、図１０において斜線を付して示すサブパターン１２２１においては、基本パターン１２２−１の下側に基本パターン１２２−２が配置され、基本パターン１２２−１の左側に基本パターン１２２−３が、又、基本パターン１２２−３の下側に基本パターン１２２−４が配置されている。なお、サブパターン１２２１における、かかる基本パターン１２２の配置は、これに限定されるものではなく、本発明の趣旨を逸脱しない範囲で種々変形して実施することができる。
【００６６】
２値化用パターン１２ｄは、このようなサブパターン１２２１を、縦方向および横方向に、縦方向において隣接する他のサブパターン１２２１における基本パターン１２２−２および基本パターン１２２−４の欠落部分に、基本パターン１２２−１および基本パターン１２２−３を嵌めるように配置し、その縦方向（行方向）および横方向（列方向）において、点灯順序がくり返し連続するように隙間無く複数並べた後に、３４行×３４列の任意の矩形部分を切り出すことにより形成されている。
【００６７】
そして、２値化用パターン１２ｄは、上述したサブパターン１２２１を複数そなえて構成され、これらの複数のサブパターン１２２１から、互いに同一形状のドットがそれぞれ順番に成長するように画素の点灯順序が設定されているのである。
すなわち、２値化用パターン１２ｄにおいては、図１０に示すように、
（１）矩形パターンの１行目を構成する１列目から３４列目の画素が、それぞれ、６５，５４，２２，４６，６２，４０，８，１６，３２，１８，２，１０，４２，５２，３６，２８，６０，６６，５３，２１，４５，６１，３９，７，１５，３１，１７，１，９，４１，５１，３５，２７，５９番目に点灯され、
（２）矩形パターンの２行目を構成する１列目から３４列目の画素が、それぞれ、６４，３８，６，１４，３０，２０，４，１２，４４，５０，３４，２６，５８，６８，５５，２３，４７，６３，３７，５，１３，２９，１９，３，１１，４３，４９，３３，２５，５７，６７，５６，２４，４８番目に点灯され、
（３）矩形パターンの３行目を構成する１列目から３４列目の画素が、それぞれ、３２，１８，２，１０，４２，５２，３６，２８，６０，６６，５３，２１，４５，６１，３９，７，１５，３１，１７，１，９，４１，５１，３５，２７，５９，６５，５４，２２，４６，６２，４０，８，１６番目に点灯され、
（４）矩形パターンの４行目を構成する１列目から３４列目の画素が、それぞれ、４４，５０，３４，２６，５８，６８，５５，２３，４７，６３，３７，５，１３，２９，１９，３，１１，４３，４９，３３，２５，５７，６７，５６，２４，４８，６４，３８，６，１４，３０，２０，４，１２番目に点灯され、
（５）矩形パターンの５行目を構成する１列目から３４列目の画素が、それぞれ、６０，６６，５３，２１，４５，６１，３９，７，１５，３１，１７，１，９，４１，５１，３５，２７，５９，６５，５４，２２，４６，６２，４０，８，１６，３２，１８，２，１０，４２，５２，３６，２８番目に点灯され、
（６）矩形パターンの６行目を構成する１列目から３４列目の画素が、それぞれ、４７，６３，３７，５，１３，２９，１９，３，１１，４３，４９，３３，２５，５７，６７，５６，２４，４８，６４，３８，６，１４，３０，２０，４，１２，４４，５０，３４，２６，５８，６８，５５，２３番目に点灯され、
（７）矩形パターンの７行目を構成する１列目から３４列目の画素が、それぞれ、１５，３１，１７，１，９，４１，５１，３５，２７，５９，６５，５４，２２，４６，６２，４０，８，１６，３２，１８，２，１０，４２，５２，３６，２８，６０，６６，５３，２１，４５，６１，３９，７番目に点灯され、
（８）矩形パターンの８行目を構成する１列目から３４列目の画素が、それぞれ、１１，４３，４９，３３，２５，５７，６７，５６，２４，４８，６４，３８，６，１４，３０，２０，４，１２，４４，５０，３４，２６，５８，６８，５５，２３，４７，６３，３７，５，１３，２９，１９，３番目に点灯され、
（９）矩形パターンの９行目を構成する１列目から３４列目の画素が、それぞれ、２７，５９，６５，５４，２２，４６，６２，４０，８，１６，３２，１８，２，１０，４２，５２，３６，２８，６０，６６，５３，２１，４５，６１，３９，７，１５，３１，１７，１，９，４１，５１，３５番目に点灯され、
（１０）矩形パターンの１０行目を構成する１列目から３４列目の画素が、それぞれ、２４，４８，６４，３８，６，１４，３０，２０，４，１２，４４，５０，３４，２６，５８，６８，５５，２３，４７，６３，３７，５，１３，２９，１９，３，１１，４３，４９，３３，２５，５７，６７，５６番目に点灯され、
（１１）矩形パターンの１１行目を構成する１列目から３４列目の画素が、それぞれ、８，１６，３２，１８，２，１０，４２，５２，３６，２８，６０，６６，５３，２１，４５，６１，３９，７，１５，３１，１７，１，９，４１，５１，３５，２７，５９，６５，５４，２２，４６，６２，４０番目に点灯され、
（１２）矩形パターンの１２行目を構成する１列目から３４列目の画素が、それぞれ、４，１２，４４，５０，３４，２６，５８，６８，５５，２３，４７，６３，３７，５，１３，２９，１９，３，１１，４３，４９，３３，２５，５７，６７，５６，２４，４８，６４，３８，６，１４，３０，２０番目に点灯され、
（１３）矩形パターンの１３行目を構成する１列目から３４列目の画素が、それぞれ、３６，２８，６０，６６，５３，２１，４５，６１，３９，７，１５，３１，１７，１，９，４１，５１，３５，２７，５９，６５，５４，２２，４６，６２，４０，８，１６，３２，１８，２，１０，４２，５２番目に点灯され、
（１４）矩形パターンの１４行目を構成する１列目から３４列目の画素が、それぞれ、５５，２３，４７，６３，３７，５，１３，２９，１９，３，１１，４３，４９，３３，２５，５７，６７，５６，２４，４８，６４，３８，６，１４，３０，２０，４，１２，４４，５０，３４，２６，５８，６８番目に点灯され、
（１５）矩形パターンの１５行目を構成する１列目から３４列目の画素が、それぞれ、３９，７，１５，３１，１７，１，９，４１，５１，３５，２７，５９，６５，５４，２２，４６，６２，４０，８，１６，３２，１８，２，１０，４２，５２，３６，２８，６０，６６，５３，２１，４５，６１番目に点灯され、
（１６）矩形パターンの１６行目を構成する１列目から３４列目の画素が、それぞれ、１９，３，１１，４３，４９，３３，２５，５７，６７，５６，２４，４８，６４，３８，６，１４，３０，２０，４，１２，４４，５０，３４，２６，５８，６８，５５，２３，４７，６３，３７，５，１３，２９番目に点灯され、
（１７）矩形パターンの１７行目を構成する１列目から３４列目の画素が、それぞれ、５１，３５，２７，５９，６５，５４，２２，４６，６２，４０，８，１６，３２，１８，２，１０，４２，５２，３６，２８，６０，６６，５３，２１，４５，６１，３９，７，１５，３１，１７，１，９，４１番目に点灯され、
（１８）矩形パターンの１８行目を構成する１列目から３４列目の画素が、それぞれ、６７，５６，２４，４８，６４，３８，６，１４，３０，２０，４，１２，４４，５０，３４，２６，５８，６８，５５，２３，４７，６３，３７，５，１３，２９，１９，３，１１，４３，４９，３３，２５，５７番目に点灯され、
（１９）矩形パターンの１９行目を構成する１列目から３４列目の画素が、それぞれ、６２，４０，８，１６，３２，１８，２，１０，４２，５２，３６，２８，６０，６６，５３，２１，４５，６１，３９，７，１５，３１，１７，１，９，４１，５１，３５，２７，５９，６５，５４，２２，４６番目に点灯され、
（２０）矩形パターンの２０行目を構成する１列目から３４列目の画素が、それぞれ、３０，２０，４，１２，４４，５０，３４，２６，５８，６８，５５，２３，４７，６３，３７，５，１３，２９，１９，３，１１，４３，４９，３３，２５，５７，６７，５６，２４，４８，６４，３８，６，１４番目に点灯され、
（２１）矩形パターンの２１行目を構成する１列目から３４列目の画素が、それぞれ、４２，５２，３６，２８，６０，６６，５３，２１，４５，６１，３９，７，１５，３１，１７，１，９，４１，５１，３５，２７，５９，６５，５４，２２，４６，６２，４０，８，１６，３２，１８，２，１０番目に点灯され、
（２２）矩形パターンの２２行目を構成する１列目から３４列目の画素が、それぞれ、５８，６８，５５，２３，４７，６３，３７，５，１３，２９，１９，３，１１，４３，４９，３３，２５，５７，６７，５６，２４，４８，６４，３８，６，１４，３０，２０，４，１２，４４，５０，３４，２６番目に点灯され、
（２３）矩形パターンの２３行目を構成する１列目から３４列目の画素が、それぞれ、４５，６１，３９，７，１５，３１，１７，１，９，４１，５１，３５，２７，５９，６５，５４，２２，４６，６２，４０，８，１６，３２，１８，２，１０，４２，５２，３６，２８，６０，６６，５３，２１番目に点灯され、
（２４）矩形パターンの２４行目を構成する１列目から３４列目の画素が、それぞれ、１３，２９，１９，３，１１，４３，４９，３３，２５，５７，６７，５６，２４，４８，６４，３８，６，１４，３０，２０，４，１２，４４，５０，３４，２６，５８，６８，５５，２３，４７，６３，３７，５番目に点灯され、
（２５）矩形パターンの２５行目を構成する１列目から３４列目の画素が、それぞれ、９，４１，５１，３５，２７，５９，６５，５４，２２，４６，６２，４０，８，１６，３２，１８，２，１０，４２，５２，３６，２８，６０，６６，５３，２１，４５，６１，３９，７，１５，３１，１７，１番目に点灯され、
（２６）矩形パターンの２６行目を構成する１列目から３４列目の画素が、それぞれ、２５，５７，６７，５６，２４，４８，６４，３８，６，１４，３０，２０，４，１２，４４，５０，３４，２６，５８，６８，５５，２３，４７，６３，３７，５，１３，２９，１９，３，１１，４３，４９，３３番目に点灯され、
（２７）矩形パターンの２７行目を構成する１列目から３４列目の画素が、それぞれ、２２，４６，６２，４０，８，１６，３２，１８，２，１０，４２，５２，３６，２８，６０，６６，５３，２１，４５，６１，３９，７，１５，３１，１７，１，９，４１，５１，３５，２７，５９，６５，５４番目に点灯され、
（２８）矩形パターンの２８行目を構成する１列目から３４列目の画素が、それぞれ、６，１４，３０，２０，４，１２，４４，５０，３４，２６，５８，６８，５５，２３，４７，６３，３７，５，１３，２９，１９，３，１１，４３，４９，３３，２５，５７，６７，５６，２４，４８，６４，３８番目に点灯され、
（２９）矩形パターンの２９行目を構成する１列目から３４列目の画素が、それぞれ、２，１０，４２，５２，３６，２８，６０，６６，５３，２１，４５，６１，３９，７，１５，３１，１７，１，９，４１，５１，３５，２７，５９，６５，５４，２２，４６，６２，４０，８，１６，３２，１８番目に点灯され、
（３０）矩形パターンの３０行目を構成する１列目から３４列目の画素が、それぞれ、３４，２６，５８，６８，５５，２３，４７，６３，３７，５，１３，２９，１９，３，１１，４３，４９，３３，２５，５７，６７，５６，２４，４８，６４，３８，６，１４，３０，２０，４，１２，４４，５０番目に点灯され、
（３１）矩形パターンの３１行目を構成する１列目から３４列目の画素が、それぞれ、５３，２１，４５，６１，３９，７，１５，３１，１７，１，９，４１，５１，３５，２７，５９，６５，５４，２２，４６，６２，４０，８，１６，３２，１８，２，１０，４２，５２，３６，２８，６０，６６番目に点灯され、
（３２）矩形パターンの３２行目を構成する１列目から３４列目の画素が、それぞれ、３７，５，１３，２９，１９，３，１１，４３，４９，３３，２５，５７，６７，５６，２４，４８，６４，３８，６，１４，３０，２０，４，１２，４４，５０，３４，２６，５８，６８，５５，２３，４７，６３番目に点灯され、
（３３）矩形パターンの３３行目を構成する１列目から３４列目の画素が、それぞれ、１７，１，９，４１，５１，３５，２７，５９，６５，５４，２２，４６，６２，４０，８，１６，３２，１８，２，１０，４２，５２，３６，２８，６０，６６，５３，２１，４５，６１，３９，７，１５，３１番目に点灯され、
（３４）矩形パターンの３４行目を構成する１列目から３４列目の画素が、それぞれ、４９，３３，２５，５７，６７，５６，２４，４８，６４，３８，６，１４，３０，２０，４，１２，４４，５０，３４，２６，５８，６８，５５，２３，４７，６３，３７，５，１３，２９，１９，３，１１，４３番目に点灯されるように、１１５６個の画素の点灯順序が設定され、複数箇所から、互いに同一形状のドットがそれぞれ順番に成長するように画素の点灯順序が設定されているのである。
【００６８】
また、この２値化用パターン１２ｄも、２値化用パターン１２ｃと同様に、ディザ角度（スクリーン角度，網点角度）が１４．０度、出力線数が１４５．５ｌｐｉの２値化用パターンである。
なお、この２値化用パターン１２ｄを用いることにより、印刷を行なう多値画像（原画像）を構成する各画素の画素値（例えば、０〜２５５）を、それぞれ６９段階（階調）で表すことができる。
【００６９】
図１２に示す２値化用パターン１２ｅも、順次点灯される複数の画素をマトリクス状に配列した矩形パターンであって、２６行×２６列のマトリクス状に配列される６７６個の画素によって構成され（矩形パターン）、各画素にそれぞれ点灯順序が設定されている。
そして、この２値化用パターン１２ｅにおいては、図１２に示すように、複数箇所（この２値化用パターン１２ｅにおいては、数値１が付されている画素）から互いに同一形状のドットがそれぞれ順番に成長するように、点灯順序が設定されている。
【００７０】
この２値化用パターン１２ｅは、図１１に示す基本パターン１２３を縦方向および横方向にくり返し配置することによって形成されている。基本パターン１２３は、図１１に示すように、６行×５列の３０個の画素からなる矩形マトリクスを部分的に切り欠いて形成された欠落マトリクスであって、本実施形態においては、基本パターン１２３は右下の４画素（６行目の２列目〜５列目の画素）を切り欠いて構成されている。
【００７１】
また、この基本パターン１２３においては、図１１に示すように、この基本パターン１２３における特定点（本実施形態では基本パターン１２３の図心）に最も近く、且つ、点灯済の画素がある場合にはこの点灯画素に隣接する未点灯画素を点灯した後、基本パターン１２３の特定点を基準として点対称の位置に対応する画素を点灯させることにより、ドットがほぼ円形に成長するように点灯順序が設定されている。
【００７２】
この図１１に示す基本パターン１２３においては、数値の小さい方から大きい方に順番に色材が載せられるようになっており、これにより、基本パターン１２３の図心（特定点）付近から順番に、ほぼ円形にドットが成長するようになっていて、２値化用パターン１２ｅが、ドット集中型の２値化用パターン（２値化ディザマトリクスパターン；ディザパターン）として機能するのである。
【００７３】
すなわち、基本パターン１２３は、６行×５列の欠落マトリクスにおいて、その１行目を構成する１列目から５列目の画素が、それぞれ、２３，１５，１３，２１，２５番目に点灯され、その２行目を構成する１列目から５列目の画素が、それぞれ、１９，７，５，９，１７番目に点灯され、その３行目を構成する１列目から５列目の画素が、それぞれ、１２，４，１，３，１１番目に点灯され、その４行目を構成する１列目から５列目の画素が、それぞれ、１４，６，２，８，２０番目に点灯され、その５行目を構成する１列目から５列目の画素が、それぞれ、２２，１８，１０，１６，２４番目に点灯され、その６行目を構成する１列目の画素が２６番目に点灯されるように形成されている。
【００７４】
２値化用パターン１２ｅは、図１２に示すように、上述した基本パターン（欠落マトリクス）１２３を、その欠落部分（図１１では右下部分）に、基本パターン１２３における図心に対して点対称の位置に相当する部分（図１１では左上部分）を嵌めるように配置し、その縦方向（行方向）および横方向（列方向）において、点灯順序がくり返し連続するように隙間無く並べた後に、２６行×２６列の任意の矩形部分（図１２の太線参照）を切り出すことにより形成されている。
【００７５】
そして、２値化用パターン１２ｅにおいては、この２値化用パターン１２ｅにそなえられた各基本パターン１２３から、互いに同一形状のドットがそれぞれ順番に成長するように、点灯順序が設定されているのである。
すなわち、２値化用パターン１２ｅは、
（１）矩形パターンの１行目を構成する１列目から２６列目の画素が、それぞれ、１，３，１１，１４，６，２，８，２０，２２，１８，１０，１６，２４，２６，２３，１５，１３，２１，２５，１９，７，５，９，１７，１２，４番目に点灯され、
（２）矩形パターンの２行目を構成する１列目から２６列目の画素が、それぞれ、２，８，２０，２２，１８，１０，１６，２４，２６，２３，１５，１３，２１，２５，１９，７，５，９，１７，１２，４，１，３，１１，１４，６番目に点灯され、
（３）矩形パターンの３行目を構成する１列目から２６列目の画素が、それぞれ、１０，１６，２４，２６，２３，１５，１３，２１，２５，１９，７，５，９，１７，１２，４，１，３，１１，１４，６，２，８，２０，２２，１８番目に点灯され、
（４）矩形パターンの４行目を構成する１列目から２６列目の画素が、それぞれ、１５，１３，２１，２５，１９，７，５，９，１７，１２，４，１，３，１１，１４，６，２，８，２０，２２，１８，１０，１６，２４，２６，２３番目に点灯され、
（５）矩形パターンの５行目を構成する１列目から２６列目の画素が、それぞれ、７，５，９，１７，１２，４，１，３，１１，１４，６，２，８，２０，２２，１８，１０，１６，２４，２６，２３，１５，１３，２１，２５，１９番目に点灯され、
（６）矩形パターンの６行目を構成する１列目から２６列目の画素が、それぞれ、４，１，３，１１，１４，６，２，８，２０，２２，１８，１０，１６，２４，２６，２３，１５，１３，２１，２５，１９，７，５，９，１７，１２番目に点灯され、
（７）矩形パターンの７行目を構成する１列目から２６列目の画素が、それぞれ、６，２，８，２０，２２，１８，１０，１６，２４，２６，２３，１５，１３，２１，２５，１９，７，５，９，１７，１２，４，１，３，１１，１４番目に点灯され、
（８）矩形パターンの８行目を構成する１列目から２６列目の画素が、それぞれ、１８，１０，１６，２４，２６，２３，１５，１３，２１，２５，１９，７，５，９，１７，１２，４，１，３，１１，１４，６，２，８，２０，２２番目に点灯され、
（９）矩形パターンの９行目を構成する１列目から２６列目の画素が、それぞれ、２３，１５，１３，２１，２５，１９，７，５，９，１７，１２，４，１，３，１１，１４，６，２，８，２０，２２，１８，１０，１６，２４，２６番目に点灯され、
（１０）矩形パターンの１０行目を構成する１列目から２６列目の画素が、それぞれ、１９，７，５，９，１７，１２，４，１，３，１１，１４，６，２，８，２０，２２，１８，１０，１６，２４，２６，２３，１５，１３，２１，２５番目に点灯され、
（１１）矩形パターンの１１行目を構成する１列目から２６列目の画素が、それぞれ、１２，４，１，３，１１，１４，６，２，８，２０，２２，１８，１０，１６，２４，２６，２３，１５，１３，２１，２５，１９，７，５，９，１７番目に点灯され、
（１２）矩形パターンの１２行目を構成する１列目から２６列目の画素が、それぞれ、１４，６，２，８，２０，２２，１８，１０，１６，２４，２６，２３，１５，１３，２１，２５，１９，７，５，９，１７，１２，４，１，３，１１番目に点灯され、
（１３）矩形パターンの１３行目を構成する１列目から２６列目の画素が、それぞれ、２２，１８，１０，１６，２４，２６，２３，１５，１３，２１，２５，１９，７，５，９，１７，１２，４，１，３，１１，１４，６，２，８，２０番目に点灯され、
（１４）矩形パターンの１４行目を構成する１列目から２６列目の画素が、それぞれ、２６，２３，１５，１３，２１，２５，１９，７，５，９，１７，１２，４，１，３，１１，１４，６，２，８，２０，２２，１８，１０，１６，２４番目に点灯され、
（１５）矩形パターンの１５行目を構成する１列目から２６列目の画素が、それぞれ、２５，１９，７，５，９，１７，１２，４，１，３，１１，１４，６，２，８，２０，２２，１８，１０，１６，２４，２６，２３，１５，１３，２１番目に点灯され、
（１６）矩形パターンの１６行目を構成する１列目から２６列目の画素が、それぞれ、１７，１２，４，１，３，１１，１４，６，２，８，２０，２２，１８，１０，１６，２４，２６，２３，１５，１３，２１，２５，１９，７，５，９番目に点灯され、
（１７）矩形パターンの１７行目を構成する１列目から２６列目の画素が、それぞれ、１１，１４，６，２，８，２０，２２，１８，１０，１６，２４，２６，２３，１５，１３，２１，２５，１９，７，５，９，１７，１２，４，１，３番目に点灯され、
（１８）矩形パターンの１８行目を構成する１列目から２６列目の画素が、それぞれ、２０，２２，１８，１０，１６，２４，２６，２３，１５，１３，２１，２５，１９，７，５，９，１７，１２，４，１，３，１１，１４，６，２，８番目に点灯され、
（１９）矩形パターンの１９行目を構成する１列目から２６列目の画素が、それぞれ、２４，２６，２３，１５，１３，２１，２５，１９，７，５，９，１７，１２，４，１，３，１１，１４，６，２，８，２０，２２，１８，１０，１６番目に点灯され、
（２０）矩形パターンの２０行目を構成する１列目から２６列目の画素が、それぞれ、２１，２５，１９，７，５，９，１７，１２，４，１，３，１１，１４，６，２，８，２０，２２，１８，１０，１６，２４，２６，２３，１５，１３番目に点灯され、
（２１）矩形パターンの２１行目を構成する１列目から２６列目の画素が、それぞれ、９，１７，１２，４，１，３，１１，１４，６，２，８，２０，２２，１８，１０，１６，２４，２６，２３，１５，１３，２１，２５，１９，７，５番目に点灯され、
（２２）矩形パターンの２２行目を構成する１列目から２６列目の画素が、それぞれ、３，１１，１４，６，２，８，２０，２２，１８，１０，１６，２４，２６，２３，１５，１３，２１，２５，１９，７，５，９，１７，１２，４，１番目に点灯され、
（２３）矩形パターンの２３行目を構成する１列目から２６列目の画素が、それぞれ、８，２０，２２，１８，１０，１６，２４，２６，２３，１５，１３，２１，２５，１９，７，５，９，１７，１２，４，１，３，１１，１４，６，２番目に点灯され、
（２４）矩形パターンの２４行目を構成する１列目から２６列目の画素が、それぞれ、１６，２４，２６，２３，１５，１３，２１，２５，１９，７，５，９，１７，１２，４，１，３，１１，１４，６，２，８，２０，２２，１８，１０番目に点灯され、
（２５）矩形パターンの２５行目を構成する１列目から２６列目の画素が、それぞれ、１３，２１，２５，１９，７，５，９，１７，１２，４，１，３，１１，１４，６，２，８，２０，２２，１８，１０，１６，２４，２６，２３，１５番目に点灯され、
（２６）矩形パターンの２６行目を構成する１列目から２６列目の画素が、それぞれ、５，９，１７，１２，４，１，３，１１，１４，６，２，８，２０，２２，１８，１０，１６，２４，２６，２３，１５，１３，２１，２５，１９，番目に点灯されるように、６７６個の画素の点灯順序が設定されている。
【００７６】
また、２値化用パターン１２ｅにおいては、ディザ角度（スクリーン角度，網点角度）が１１．３度となるようになっている。
すなわち、図１２に示す２値化用パターン１２ｅは、ディザ角度が１１．３度、出力線数が１１７．７ｌｐｉの２値化用パターンである。
なお、この２値化用パターン１２ｅを用いることにより、印刷を行なう多値画像（原画像）を構成する各画素の画素値（例えば、０〜２５５）を、それぞれ２７段階（階調）で表わすことができる。
【００７７】
本明細書においては、便宜上、２値化用パターン１２ｆを、図１３〜図１６の４つの図に分割して示しており、図１３に示す２値化用パターン１２ｆ−１と、図１４に示す２値化用パターン１２ｆ−２と、図１５に示す２値化用パターン１２ｆ−３と、図１６に示す２値化用パターン１２ｆ−４とを組み合わせることにより、一つの２値化用パターン１２ｆが示されるようになっている。
【００７８】
図１３〜図１６に示す２値化用パターン１２ｆ（１２ｆ−１，１２ｆ−２，１２ｆ−３，１２ｆ−４）は、５２行×５２列のマトリクス状に配列される２７０４個の画素によって構成され、順次点灯される複数の画素をマトリクス状に配列した矩形パターンとして構成されたものであって、図１１に示した基本パターン１２３を縦方向および横方向に２つずつ、その欠落部分に、基本パターン１２３における図心に対して点対称の位置に相当する部分を嵌めるように配置し、その縦方向（行方向）および横方向（列方向）において、点灯順序がくり返し連続するように、隙間無く複数（本実施形態では縦方向と横方向に２つずつの計４つ）並べることによって構成したサブパターン１２３１を複数そなえて形成されている。なお、図１３中においては、便宜上、一部のサブパターン１２３１に斜線を付して示す。
【００７９】
なお、以下、基本パターンを示す符号としては、複数の基本パターンのうち１つを特定する必要があるときには符号１２３−１〜１２３−ｎ（ｎは自然数）を用いるが、任意の基本パターンを指すときには符号１２３を用いる。又、以下、１つのサブパターン１２３１を構成する基本パターン１２３の個数をｍで表わす。すなわち、本実施形態においては、１≦ｎ≦ｍ（ｎ，ｍは自然数）という関係が成立する。
【００８０】
図１３〜図１６に示す２値化用パターン１２ｆにおいては、サブパターン１２３１は、１２３−１〜１２３−４の計４つの基本パターン１２３をそなえて構成されているので、ｎは１，２，３，４のうちのいずれか任意の自然数であり、ｍ＝４となる。
すなわち、サブパターン１２３１は、６行×５列の欠落マトリクスにおいて、その１行目を構成する１列目から５列目の画素が、それぞれ、ｎ＋２２×ｍ，ｎ＋１４×ｍ，ｎ＋１２×ｍ，ｎ＋２０×ｍ，ｎ＋２４×ｍ番目に点灯され、その２行目を構成する１列目から５列目の画素が、それぞれ、ｎ＋１８×ｍ，ｎ＋６×ｍ，ｎ＋４×ｍ，ｎ＋８×ｍ，ｎ＋１６×ｍ番目に点灯され、その３行目を構成する１列目から５列目の画素が、それぞれ、ｎ＋１１×ｍ，ｎ＋３×ｍ，ｎ，ｎ＋２×ｍ，ｎ＋１０×ｍ番目に点灯され、その４行目を構成する１列目から５列目の画素が、それぞれ、ｎ＋１３×ｍ，ｎ＋５×ｍ，ｎ＋ｍ，ｎ＋７×ｍ，ｎ＋１９×ｍ番目に点灯され、その５行目を構成する１列目から５列目の画素が、それぞれ、ｎ＋２１×ｍ，ｎ＋１７×ｍ，ｎ＋９×ｍ，ｎ＋１５×ｍ，ｎ＋２３×ｍ番目に点灯され、その６行目を構成する１列目の画素がｎ＋２５×ｍ番目に点灯されるように形成された基本パターン１２３（１２３−１〜１２３−ｎ；ただし、１≦ｎ≦ｍ）をｍ個（ｍ＝４）並べることによって形成されている。
【００８１】
また、図１３において斜線を付して示すサブパターン１２３１においては、基本パターン１２３−１の下側に基本パターン１２３−２が配置され、基本パターン１２３−１の左側に基本パターン１２３−３が、又、基本パターン１２３−３の下側に基本パターン１２３−４が配置されている。なお、サブパターン１２３１における、かかる基本パターン１２３の配置は、これに限定されるものではなく、本発明の趣旨を逸脱しない範囲で種々変形して実施することができる。
【００８２】
そして、２値化用パターン１２ｆは、このようなサブパターン１２３１を、縦方向および横方向に、縦方向において隣接する他のサブパターン１２３１における基本パターン１２３−２および基本パターン１２３−４の欠落部分に、基本パターン１２３−１および基本パターン１２３−３を嵌めるように配置し、その縦方向（行方向）および横方向（列方向）において、点灯順序がくり返し連続するように隙間無く複数並べた後に、５２行×５２列の任意の矩形部分を切り出すことにより形成されている。
【００８３】
そして、２値化用パターン１２ｆは、上述したサブパターン１２３１を複数そなえて構成され、これらの複数のサブパターン１２３１から、互いに同一形状のドットがそれぞれ順番に成長するように画素の点灯順序が設定されているのである。
すなわち、２値化用パターン１２ｆにおいては、図１３〜図１６に示すように、
（１）矩形パターンの１行目を構成する１列目から５２列目の画素が、それぞれ、１０１，９０，５８，５０，８２，９８，７６，２８，２０，３６，６８，４６，１４，２，１０，４２，５６，２４，８，３２，８０，８６，７０，３８，６２，９４，１０４，９１，５９，５１，８３，９９，７３，２５，１７，３３，６５，４７，１５，３，１１，４３，５３，２１，５，２９，７７，８７，７１，３９，６３，９５番目に点灯され、
（２）矩形パターンの２行目を構成する１列目から５２列目の画素が、それぞれ、１００，７４，２６，１８，３４，６６，４８，１６，４，１２，４４，５４，２２，６，３０，７８，８８，７２，４０，６４，９６，１０２，８９，５７，４９，８１，９７，７５，２７，１９，３５，６７，４５，１３，１，９，４１，５５，２３，７，３１，７９，８５，６９，３７，６１，９３，１０３，９２，６０，５２，８４番目に点灯され、
（３）矩形パターンの３行目を構成する１列目から５２列目の画素が、それぞれ、６８，４６，１４，２，１０，４２，５６，２４，８，３２，８０，８６，７０，３８，６２，９４，１０４，９１，５９，５１，８３，９９，７３，２５，１７，３３，６５，４７，１５，３，１１，４３，５３，２１，５，２９，７７，８７，７１，３９，６３，９５，１０１，９０，５８，５０，８２，９８，７６，２８，２０，３６番目に点灯され、
（４）矩形パターンの４行目を構成する１列目から５２列目の画素が、それぞれ、４４，５４，２２，６，３０，７８，８８，７２，４０，６４，９６，１０２，８９，５７，４９，８１，９７，７５，２７，１９，３５，６７，４５，１３，１，９，４１，５５，２３，７，３１，７９，８５，６９，３７，６１，９３，１０３，９２，６０，５２，８４，１００，７４，２６，１８，３４，６６，４８，１６，４，１２番目に点灯され、
（５）矩形パターンの５行目を構成する１列目から５２列目の画素が、それぞれ、８０，８６，７０，３８，６２，９４，１０４，９１，５９，５１，８３，９９，７３，２５，１７，３３，６５，４７，１５，３，１１，４３，５３，２１，５，２９，７７，８７，７１，３９，６３，９５，１０１，９０，５８，５０，８２，９８，７６，２８，２０，３６，６８，４６，１４，２，１０，４２，５６，２４，８，３２番目に点灯され、
（６）矩形パターンの６行目を構成する１列目から５２列目の画素が、それぞれ、９６，１０２，８９，５７，４９，８１，９７，７５，２７，１９，３５，６７，４５，１３，１，９，４１，５５，２３，７，３１，７９，８５，６９，３７，６１，９３，１０３，９２，６０，５２，８４，１００，７４，２６，１８，３４，６６，４８，１６，４，１２，４４，５４，２２，６，３０，７８，８８，７２，４０，６４番目に点灯され、
（７）矩形パターンの７行目を構成する１列目から５２列目の画素が、それぞれ、８３，９９，７３，２５，１７，３３，６５，４７，１５，３，１１，４３，５３，２１，５，２９，７７，８７，７１，３９，６３，９５，１０１，９０，５８，５０，８２，９８，７６，２８，２０，３６，６８，４６，１４，２，１０，４２，５６，２４，８，３２，８０，８６，７０，３８，６２，９４，１０４，９１，５９，５１番目に点灯され、
（８）矩形パターンの８行目を構成する１列目から５２列目の画素が、それぞれ、３５，６７，４５，１３，１，９，４１，５５，２３，７，３１，７９，８５，６９，３７，６１，９３，１０３，９２，６０，５２，８４，１００，７４，２６，１８，３４，６６，４８，１６，４，１２，４４，５４，２２，６，３０，７８，８８，７２，４０，６４，９６，１０２，８９，５７，４９，８１，９７，７５，２７，１９番目に点灯され、
（９）矩形パターンの９行目を構成する１列目から５２列目の画素が、それぞれ、１１，４３，５３，２１，５，２９，７７，８７，７１，３９，６３，９５，１０１，９０，５８，５０，８２，９８，７６，２８，２０，３６，６８，４６，１４，２，１０，４２，５６，２４，８，３２，８０，８６，７０，３８，６２，９４，１０４，９１，５９，５１，８３，９９，７３，２５，１７，３３，６５，４７，１５，３番目に点灯され、
（１０）矩形パターンの１０行目を構成する１列目から５２列目の画素が、それぞれ、３１，７９，８５，６９，３７，６１，９３，１０３，９２，６０，５２，８４，１００，７４，２６，１８，３４，６６，４８，１６，４，１２，４４，５４，２２，６，３０，７８，８８，７２，４０，６４，９６，１０２，８９，５７，４９，８１，９７，７５，２７，１９，３５，６７，４５，１３，１，９，４１，５５，２３，７番目に点灯され、
（１１）矩形パターンの１１行目を構成する１列目から５２列目の画素が、それぞれ、６３，９５，１０１，９０，５８，５０，８２，９８，７６，２８，２０，３６，６８，４６，１４，２，１０，４２，５６，２４，８，３２，８０，８６，７０，３８，６２，９４，１０４，９１，５９，５１，８３，９９，７３，２５，１７，３３，６５，４７，１５，３，１１，４３，５３，２１，５，２９，７７，８７，７１，３９番目に点灯され、
（１２）矩形パターンの１２行目を構成する１列目から５２列目の画素が、それぞれ、５２，８４，１００，７４，２６，１８，３４，６６，４８，１６，４，１２，４４，５４，２２，６，３０，７８，８８，７２，４０，６４，９６，１０２，８９，５７，４９，８１，９７，７５，２７，１９，３５，６７，４５，１３，１，９，４１，５５，２３，７，３１，７９，８５，６９，３７，６１，９３，１０３，９２，６０番目に点灯され、
（１３）矩形パターンの１３行目を構成する１列目から５２列目の画素が、それぞれ、２０，３６，６８，４６，１４，２，１０，４２，５６，２４，８，３２，８０，８６，７０，３８，６２，９４，１０４，９１，５９，５１，８３，９９，７３，２５，１７，３３，６５，４７，１５，３，１１，４３，５３，２１，５，２９，７７，８７，７１，３９，６３，９５，１０１，９０，５８，５０，８２，９８，７６，２８番目に点灯され、
（１４）矩形パターンの１４行目を構成する１列目から５２列目の画素が、それぞれ、４，１２，４４，５４，２２，６，３０，７８，８８，７２，４０，６４，９６，１０２，８９，５７，４９，８１，９７，７５，２７，１９，３５，６７，４５，１３，１，９，４１，５５，２３，７，３１，７９，８５，６９，３７，６１，９３，１０３，９２，６０，５２，８４，１００，７４，２６，１８，３４，６６，４８，１６番目に点灯され、
（１５）矩形パターンの１５行目を構成する１列目から５２列目の画素が、それぞれ、８，３２，８０，８６，７０，３８，６２，９４，１０４，９１，５９，５１，８３，９９，７３，２５，１７，３３，６５，４７，１５，３，１１，４３，５３，２１，５，２９，７７，８７，７１，３９，６３，９５，１０１，９０，５８，５０，８２，９８，７６，２８，２０，３６，６８，４６，１４，２，１０，４２，５６，２４番目に点灯され、
（１６）矩形パターンの１６行目を構成する１列目から５２列目の画素が、それぞれ、４０，６４，９６，１０２，８９，５７，４９，８１，９７，７５，２７，１９，３５，６７，４５，１３，１，９，４１，５５，２３，７，３１，７９，８５，６９，３７，６１，９３，１０３，９２，６０，５２，８４，１００，７４，２６，１８，３４，６６，４８，１６，４，１２，４４，５４，２２，６，３０，７８，８８，７２番目に点灯され、
（１７）矩形パターンの１７行目を構成する１列目から５２列目の画素が、それぞれ、５９，５１，８３，９９，７３，２５，１７，３３，６５，４７，１５，３，１１，４３，５３，２１，５，２９，７７，８７，７１，３９，６３，９５，１０１，９０，５８，５０，８２，９８，７６，２８，２０，３６，６８，４６，１４，２，１０，４２，５６，２４，８，３２，８０，８６，７０，３８，６２，９４，１０４，９１番目に点灯され、
（１８）矩形パターンの１８行目を構成する１列目から５２列目の画素が、それぞれ、２７，１９，３５，６７，４５，１３，１，９，４１，５５，２３，７，３１，７９，８５，６９，３７，６１，９３，１０３，９２，６０，５２，８４，１００，７４，２６，１８，３４，６６，４８，１６，４，１２，４４，５４，２２，６，３０，７８，８８，７２，４０，６４，９６，１０２，８９，５７，４９，８１，９７，７５番目に点灯され、
（１９）矩形パターンの１９行目を構成する１列目から５２列目の画素が、それぞれ、１５，３，１１，４３，５３，２１，５，２９，７７，８７，７１，３９，６３，９５，１０１，９０，５８，５０，８２，９８，７６，２８，２０，３６，６８，４６，１４，２，１０，４２，５６，２４，８，３２，８０，８６，７０，３８，６２，９４，１０４，９１，５９，５１，８３，９９，７３，２５，１７，３３，６５，４７番目に点灯され、
（２０）矩形パターンの２０行目を構成する１列目から５２列目の画素が、それぞれ、２３，７，３１，７９，８５，６９，３７，６１，９３，１０３，９２，６０，５２，８４，１００，７４，２６，１８，３４，６６，４８，１６，４，１２，４４，５４，２２，６，３０，７８，８８，７２，４０，６４，９６，１０２，８９，５７，４９，８１，９７，７５，２７，１９，３５，６７，４５，１３，１，９，４１，５５番目に点灯され、
（２１）矩形パターンの２１行目を構成する１列目から５２列目の画素が、それぞれ、７１，３９，６３，９５，１０１，９０，５８，５０，８２，９８，７６，２８，２０，３６，６８，４６，１４，２，１０，４２，５６，２４，８，３２，８０，８６，７０，３８，６２，９４，１０４，９１，５９，５１，８３，９９，７３，２５，１７，３３，６５，４７，１５，３，１１，４３，５３，２１，５，２９，７７，８７番目に点灯され、
（２２）矩形パターンの２２行目を構成する１列目から５２列目の画素が、それぞれ、９２，６０，５２，８４，１００，７４，２６，１８，３４，６６，４８，１６，４，１２，４４，５４，２２，６，３０，７８，８８，７２，４０，６４，９６，１０２，８９，５７，４９，８１，９７，７５，２７，１９，３５，６７，４５，１３，１，９，４１，５５，２３，７，３１，７９，８５，６９，３７，６１，９３，１０３番目に点灯され、
（２３）矩形パターンの２３行目を構成する１列目から５２列目の画素が、それぞれ、７６，２８，２０，３６，６８，４６，１４，２，１０，４２，５６，２４，８，３２，８０，８６，７０，３８，６２，９４，１０４，９１，５９，５１，８３，９９，７３，２５，１７，３３，６５，４７，１５，３，１１，４３，５３，２１，５，２９，７７，８７，７１，３９，６３，９５，１０１，９０，５８，５０，８２，９８番目に点灯され、
（２４）矩形パターンの２４行目を構成する１列目から５２列目の画素が、それぞれ、４８，１６，４，１２，４４，５４，２２，６，３０，７８，８８，７２，４０，６４，９６，１０２，８９，５７，４９，８１，９７，７５，２７，１９，３５，６７，４５，１３，１，９，４１，５５，２３，７，３１，７９，８５，６９，３７，６１，９３，１０３，９２，６０，５２，８４，１００，７４，２６，１８，３４，６６番目に点灯され、
（２５）矩形パターンの２５行目を構成する１列目から５２列目の画素が、それぞれ、５６，２４，８，３２，８０，８６，７０，３８，６２，９４，１０４，９１，５９，５１，８３，９９，７３，２５，１７，３３，６５，４７，１５，３，１１，４３，５３，２１，５，２９，７７，８７，７１，３９，６３，９５，１０１，９０，５８，５０，８２，９８，７６，２８，２０，３６，６８，４６，１４，２，１０，４２番目に点灯され、
（２６）矩形パターンの２６行目を構成する１列目から５２列目の画素が、それぞれ、８８，７２，４０，６４，９６，１０２，８９，５７，４９，８１，９７，７５，２７，１９，３５，６７，４５，１３，１，９，４１，５５，２３，７，３１，７９，８５，６９，３７，６１，９３，１０３，９２，６０，５２，８４，１００，７４，２６，１８，３４，６６，４８，１６，４，１２，４４，５４，２２，６，３０，７８番目に点灯され、
（２７）矩形パターンの２７行目を構成する１列目から５２列目の画素が、それぞれ、１０４，９１，５９，５１，８３，９９，７３，２５，１７，３３，６５，４７，１５，３，１１，４３，５３，２１，５，２９，７７，８７，７１，３９，６３，９５，１０１，９０，５８，５０，８２，９８，７６，２８，２０，３６，６８，４６，１４，２，１０，４２，５６，２４，８，３２，８０，８６，７０，３８，６２，９４番目に点灯され、
（２８）矩形パターンの２８行目を構成する１列目から５２列目の画素が、それぞれ、９７，７５，２７，１９，３５，６７，４５，１３，１，９，４１，５５，２３，７，３１，７９，８５，６９，３７，６１，９３，１０３，９２，６０，５２，８４，１００，７４，２６，１８，３４，６６，４８，１６，４，１２，４４，５４，２２，６，３０，７８，８８，７２，４０，６４，９６，１０２，８９，５７，４９，８１番目に点灯され、
（２９）矩形パターンの２９行目を構成する１列目から５２列目の画素が、それぞれ、６５，４７，１５，３，１１，４３，５３，２１，５，２９，７７，８７，７１，３９，６３，９５，１０１，９０，５８，５０，８２，９８，７６，２８，２０，３６，６８，４６，１４，２，１０，４２，５６，２４，８，３２，８０，８６，７０，３８，６２，９４，１０４，９１，５９，５１，８３，９９，７３，２５，１７，３３番目に点灯され、
（３０）矩形パターンの３０行目を構成する１列目から５２列目の画素が、それぞれ、４１，５５，２３，７，３１，７９，８５，６９，３７，６１，９３，１０３，９２，６０，５２，８４，１００，７４，２６，１８，３４，６６，４８，１６，４，１２，４４，５４，２２，６，３０，７８，８８，７２，４０，６４，９６，１０２，８９，５７，４９，８１，９７，７５，２７，１９，３５，６７，４５，１３，１，９番目に点灯され、
（３１）矩形パターンの３１行目を構成する１列目から５２列目の画素が、それぞれ、７７，８７，７１，３９，６３，９５，１０１，９０，５８，５０，８２，９８，７６，２８，２０，３６，６８，４６，１４，２，１０，４２，５６，２４，８，３２，８０，８６，７０，３８，６２，９４，１０４，９１，５９，５１，８３，９９，７３，２５，１７，３３，６５，４７，１５，３，１１，４３，５３，２１，５，２９番目に点灯され、
（３２）矩形パターンの３２行目を構成する１列目から５２列目の画素が、それぞれ、９３，１０３，９２，６０，５２，８４，１００，７４，２６，１８，３４，６６，４８，１６，４，１２，４４，５４，２２，６，３０，７８，８８，７２，４０，６４，９６，１０２，８９，５７，４９，８１，９７，７５，２７，１９，３５，６７，４５，１３，１，９，４１，５５，２３，７，３１，７９，８５，６９，３７，６１番目に点灯され、
（３３）矩形パターンの３３行目を構成する１列目から５２列目の画素が、それぞれ、８２，９８，７６，２８，２０，３６，６８，４６，１４，２，１０，４２，５６，２４，８，３２，８０，８６，７０，３８，６２，９４，１０４，９１，５９，５１，８３，９９，７３，２５，１７，３３，６５，４７，１５，３，１１，４３，５３，２１，５，２９，７７，８７，７１，３９，６３，９５，１０１，９０，５８，５０番目に点灯され、
（３４）矩形パターンの３４行目を構成する１列目から５２列目の画素が、それぞれ、３４，６６，４８，１６，４，１２，４４，５４，２２，６，３０，７８，８８，７２，４０，６４，９６，１０２，８９，５７，４９，８１，９７，７５，２７，１９，３５，６７，４５，１３，１，９，４１，５５，２３，７，３１，７９，８５，６９，３７，６１，９３，１０３，９２，６０，５２，８４，１００，７４，２６，１８番目に点灯され、
（３５）矩形パターンの３５行目を構成する１列目から５２列目の画素が、それぞれ、１０，４２，５６，２４，８，３２，８０，８６，７０，３８，６２，９４，１０４，９１，５９，５１，８３，９９，７３，２５，１７，３３，６５，４７，１５，３，１１，４３，５３，２１，５，２９，７７，８７，７１，３９，６３，９５，１０１，９０，５８，５０，８２，９８，７６，２８，２０，３６，６８，４６，１４，２番目に点灯され、
（３６）矩形パターンの３６行目を構成する１列目から５２列目の画素が、それぞれ、３０，７８，８８，７２，４０，６４，９６，１０２，８９，５７，４９，８１，９７，７５，２７，１９，３５，６７，４５，１３，１，９，４１，５５，２３，７，３１，７９，８５，６９，３７，６１，９３，１０３，９２，６０，５２，８４，１００，７４，２６，１８，３４，６６，４８，１６，４，１２，４４，５４，２２，６番目に点灯され、
（３７）矩形パターンの３７行目を構成する１列目から５２列目の画素が、それぞれ、６２，９４，１０４，９１，５９，５１，８３，９９，７３，２５，１７，３３，６５，４７，１５，３，１１，４３，５３，２１，５，２９，７７，８７，７１，３９，６３，９５，１０１，９０，５８，５０，８２，９８，７６，２８，２０，３６，６８，４６，１４，２，１０，４２，５６，２４，８，３２，８０，８６，７０，３８番目に点灯され、
（３８）矩形パターンの３８行目を構成する１列目から５２列目の画素が、それぞれ、４９，８１，９７，７５，２７，１９，３５，６７，４５，１３，１，９，４１，５５，２３，７，３１，７９，８５，６９，３７，６１，９３，１０３，９２，６０，５２，８４，１００，７４，２６，１８，３４，６６，４８，１６，４，１２，４４，５４，２２，６，３０，７８，８８，７２，４０，６４，９６，１０２，８９，５７番目に点灯され、
（３９）矩形パターンの３９行目を構成する１列目から５２列目の画素が、それぞれ、１７，３３，６５，４７，１５，３，１１，４３，５３，２１，５，２９，７７，８７，７１，３９，６３，９５，１０１，９０，５８，５０，８２，９８，７６，２８，２０，３６，６８，４６，１４，２，１０，４２，５６，２４，８，３２，８０，８６，７０，３８，６２，９４，１０４，９１，５９，５１，８３，９９，７３，２５番目に点灯され、
（４０）矩形パターンの４０行目を構成する１列目から５２列目の画素が、それぞれ、１，９，４１，５５，２３，７，３１，７９，８５，６９，３７，６１，９３，１０３，９２，６０，５２，８４，１００，７４，２６，１８，３４，６６，４８，１６，４，１２，４４，５４，２２，６，３０，７８，８８，７２，４０，６４，９６，１０２，８９，５７，４９，８１，９７，７５，２７，１９，３５，６７，４５，１３番目に点灯され、
（４１）矩形パターンの４１行目を構成する１列目から５２列目の画素が、それぞれ、５，２９，７７，８７，７１，３９，６３，９５，１０１，９０，５８，５０，８２，９８，７６，２８，２０，３６，６８，４６，１４，２，１０，４２，５６，２４，８，３２，８０，８６，７０，３８，６２，９４，１０４，９１，５９，５１，８３，９９，７３，２５，１７，３３，６５，４７，１５，３，１１，４３，５３，２１番目に点灯され、
（４２）矩形パターンの４２行目を構成する１列目から５２列目の画素が、それぞれ、３７，６１，９３，１０３，９２，６０，５２，８４，１００，７４，２６，１８，３４，６６，４８，１６，４，１２，４４，５４，２２，６，３０，７８，８８，７２，４０，６４，９６，１０２，８９，５７，４９，８１，９７，７５，２７，１９，３５，６７，４５，１３，１，９，４１，５５，２３，７，３１，７９，８５，６９番目に点灯され、
（４３）矩形パターンの４３行目を構成する１列目から５２列目の画素が、それぞれ、５８，５０，８２，９８，７６，２８，２０，３６，６８，４６，１４，２，１０，４２，５６，２４，８，３２，８０，８６，７０，３８，６２，９４，１０４，９１，５９，５１，８３，９９，７３，２５，１７，３３，６５，４７，１５，３，１１，４３，５３，２１，５，２９，７７，８７，７１，３９，６３，９５，１０１，９０番目に点灯され、
（４４）矩形パターンの４４行目を構成する１列目から５２列目の画素が、それぞれ、２６，１８，３４，６６，４８，１６，４，１２，４４，５４，２２，６，３０，７８，８８，７２，４０，６４，９６，１０２，８９，５７，４９，８１，９７，７５，２７，１９，３５，６７，４５，１３，１，９，４１，５５，２３，７，３１，７９，８５，６９，３７，６１，９３，１０３，９２，６０，５２，８４，１００，７４番目に点灯され、
（４５）矩形パターンの４５行目を構成する１列目から５２列目の画素が、それぞれ、１４，２，１０，４２，５６，２４，８，３２，８０，８６，７０，３８，６２，９４，１０４，９１，５９，５１，８３，９９，７３，２５，１７，３３，６５，４７，１５，３，１１，４３，５３，２１，５，２９，７７，８７，７１，３９，６３，９５，１０１，９０，５８，５０，８２，９８，７６，２８，２０，３６，６８，４６番目に点灯され、
（４６）矩形パターンの４６行目を構成する１列目から５２列目の画素が、それぞれ、２２，６，３０，７８，８８，７２，４０，６４，９６，１０２，８９，５７，４９，８１，９７，７５，２７，１９，３５，６７，４５，１３，１，９，４１，５５，２３，７，３１，７９，８５，６９，３７，６１，９３，１０３，９２，６０，５２，８４，１００，７４，２６，１８，３４，６６，４８，１６，４，１２，４４，５４番目に点灯され、
（４７）矩形パターンの４７行目を構成する１列目から５２列目の画素が、それぞれ、７０，３８，６２，９４，１０４，９１，５９，５１，８３，９９，７３，２５，１７，３３，６５，４７，１５，３，１１，４３，５３，２１，５，２９，７７，８７，７１，３９，６３，９５，１０１，９０，５８，５０，８２，９８，７６，２８，２０，３６，６８，４６，１４，２，１０，４２，５６，２４，８，３２，８０，８６番目に点灯され、
（４８）矩形パターンの４８行目を構成する１列目から５２列目の画素が、それぞれ、８９，５７，４９，８１，９７，７５，２７，１９，３５，６７，４５，１３，１，９，４１，５５，２３，７，３１，７９，８５，６９，３７，６１，９３，１０３，９２，６０，５２，８４，１００，７４，２６，１８，３４，６６，４８，１６，４，１２，４４，５４，２２，６，３０，７８，８８，７２，４０，６４，９６，１０２番目に点灯され、
（４９）矩形パターンの４９行目を構成する１列目から５２列目の画素が、それぞれ、７３，２５，１７，３３，６５，４７，１５，３，１１，４３，５３，２１，５，２９，７７，８７，７１，３９，６３，９５，１０１，９０，５８，５０，８２，９８，７６，２８，２０，３６，６８，４６，１４，２，１０，４２，５６，２４，８，３２，８０，８６，７０，３８，６２，９４，１０４，９１，５９，５１，８３，９９番目に点灯され、
（５０）矩形パターンの５０行目を構成する１列目から５２列目の画素が、それぞれ、４５，１３，１，９，４１，５５，２３，７，３１，７９，８５，６９，３７，６１，９３，１０３，９２，６０，５２，８４，１００，７４，２６，１８，３４，６６，４８，１６，４，１２，４４，５４，２２，６，３０，７８，８８，７２，４０，６４，９６，１０２，８９，５７，４９，８１，９７，７５，２７，１９，３５，６７番目に点灯され、
（５１）矩形パターンの５１行目を構成する１列目から５２列目の画素が、それぞれ、５３，２１，５，２９，７７，８７，７１，３９，６３，９５，１０１，９０，５８，５０，８２，９８，７６，２８，２０，３６，６８，４６，１４，２，１０，４２，５６，２４，８，３２，８０，８６，７０，３８，６２，９４，１０４，９１，５９，５１，８３，９９，７３，２５，１７，３３，６５，４７，１５，３，１１，４３番目に点灯され、
（５２）矩形パターンの５２行目を構成する１列目から５２列目の画素が、それぞれ、８５，６９，３７，６１，９３，１０３，９２，６０，５２，８４，１００，７４，２６，１８，３４，６６，４８，１６，４，１２，４４，５４，２２，６，３０，７８，８８，７２，４０，６４，９６，１０２，８９，５７，４９，８１，９７，７５，２７，１９，３５，６７，４５，１３，１，９，４１，５５，２３，７，３１，７９番目に点灯されるように、２７０４個の画素の点灯順序が設定され、複数箇所から、互いに同一形状のドットがそれぞれ順番に成長するように画素の点灯順序が設定されているのである。
【００８４】
また、この２値化用パターン１２ｆも、２値化用パターン１２ｅと同様に、ディザ角度（スクリーン角度，網点角度）が１１．３度、出力線数が１１７．７ｌｐｉの２値化用パターンである。
なお、この２値化用パターン１２ｆを用いることにより、印刷を行なう多値画像（原画像）を構成する各画素の画素値（例えば、０〜２５５）を、それぞれ１０５段階（階調）で表すことができる。
【００８５】
図１８および図１９に示す２値化用パターン１２ｇも、順次点灯される複数の画素をマトリクス状に配列した矩形パターンであって、３７行×３７列のマトリクス状に配列される１３６９個の画素によって構成され（矩形パターン）、各画素にそれぞれ点灯順序が設定されている。
本明細書においては、便宜上、２値化用パターン１２ｇを、図１８および図１９の２つの図に分割して示しており、図１８に示す２値化用パターン１２ｇ−１と図１９に示す２値化用パターン１２ｇ−２とを組み合わせることにより、一つの２値化用パターン１２ｇが示されるようになっている。
【００８６】
そして、この２値化用パターン１２ｇにおいては、図１８，図１９に示すように、複数箇所（この２値化用パターン１２ｇにおいては、数値１が付されている画素）から互いに同一形状のドットがそれぞれ順番に成長するように、点灯順序が設定されている。
この２値化用パターン１２ｇは、図１７に示す基本パターン１２４を縦方向および横方向にくり返し配置することによって形成されている。基本パターン１２４は、図１１に示すように、７行×６列の４２個の画素からなる矩形マトリクスを部分的に切り欠いて形成された欠落マトリクスであって、本実施形態においては、基本パターン１２４は右下の５画素（７行目の２列目〜６列目の画素）を切り欠いて構成されている。
【００８７】
また、この基本パターン１２４においては、図１７に示すように、この基本パターン１２４における特定点（本実施形態では基本パターン１２４の図心）に最も近く、且つ、点灯済の画素がある場合にはこの点灯画素に隣接する未点灯画素を点灯した後、基本パターン１２４の特定点を基準として点対称の位置に対応する画素を点灯させることにより、ドットがほぼ円形に成長するように点灯順序が設定されている。
【００８８】
この図１７に示す基本パターン１２４においては、数値の小さい方から大きい方に順番に色材が載せられるようになっており、これにより、基本パターン１２４の図心（特定点）付近から順番に、ほぼ円形にドットが成長するようになっていて、２値化用パターン１２ｇが、ドット集中型の２値化用パターン（２値化ディザマトリクスパターン；ディザパターン）として機能するのである。
【００８９】
すなわち、基本パターン１２４は、７行×６列の欠落マトリクスにおいて、その１行目を構成する１列目から６列目の画素が、それぞれ、３４，２６，１４，２４，３２，３６番目に点灯され、その２行目を構成する１列目から６列目の画素が、それぞれ、３０，１６，８，１２，２０，２８番目に点灯され、その３行目を構成する１列目から６列目の画素が、それぞれ、２２，６，２，４，１０，１８番目に点灯され、その４行目を構成する１列目から６列目の画素が、それぞれ、１５，５，１，３，１１，２３番目に点灯され、その５行目を構成する１列目から６列目の画素が、それぞれ、２５，１３，７，９，１９，３１番目に点灯され、その６行目を構成する１列目から６列目の画素が、それぞれ、３３，２９，２１，１７，２７，３５番目に点灯され、その７行目を構成する１列目の画素が３７番目に点灯されるように形成されている。
【００９０】
２値化用パターン１２ｇは、図１８，図１９に示すように、上述した基本パターン（欠落マトリクス）１２４を、その欠落部分（図１７では右下部分）に、基本パターン１２４における図心に対して点対称の位置に相当する部分（図１７では左上部分）を嵌めるように配置し、その縦方向（行方向）および横方向（列方向）において、点灯順序がくり返し連続するように隙間無く並べた後に、３７行×３７列の任意の矩形部分（図１８，図１９の太線参照）を切り出すことにより形成されている。
【００９１】
そして、２値化用パターン１２ｇにおいては、この２値化用パターン１２ｇにそなえられた各基本パターン１２４から、互いに同一形状のドットがそれぞれ順番に成長するように、点灯順序が設定されているのである。
すなわち、２値化用パターン１２ｇは、
（１）矩形パターンの１行目を構成する１列目から３７列目の画素が、それぞれ、３４，２６，１４，２４，３２，３６，３０，１６，８，１２，２０，２８，２２，６，２，４，１０，１８，１５，５，１，３，１１，２３，２５，１３，７，９，１９，３１，３３，２９，２１，１７，２７，３５，３７番目に点灯され、
（２）矩形パターンの２行目を構成する１列目から３７列目の画素が、それぞれ、３０，１６，８，１２，２０，２８，２２，６，２，４，１０，１８，１５，５，１，３，１１，２３，２５，１３，７，９，１９，３１，３３，２９，２１，１７，２７，３５，３７，３４，２６，１４，２４，３２，３６番目に点灯され、
（３）矩形パターンの３行目を構成する１列目から３７列目の画素が、それぞれ、２２，６，２，４，１０，１８，１５，５，１，３，１１，２３，２５，１３，７，９，１９，３１，３３，２９，２１，１７，２７，３５，３７，３４，２６，１４，２４，３２，３６，３０，１６，８，１２，２０，２８番目に点灯され、
（４）矩形パターンの４行目を構成する１列目から３７列目の画素が、それぞれ、１５，５，１，３，１１，２３，２５，１３，７，９，１９，３１，３３，２９，２１，１７，２７，３５，３７，３４，２６，１４，２４，３２，３６，３０，１６，８，１２，２０，２８，２２，６，２，４，１０，１８番目に点灯され、
（５）矩形パターンの５行目を構成する１列目から３７列目の画素が、それぞれ、２５，１３，７，９，１９，３１，３３，２９，２１，１７，２７，３５，３７，３４，２６，１４，２４，３２，３６，３０，１６，８，１２，２０，２８，２２，６，２，４，１０，１８，１５，５，１，３，１１，２３番目に点灯され、
（６）矩形パターンの６行目を構成する１列目から３７列目の画素が、それぞれ、３３，２９，２１，１７，２７，３５，３７，３４，２６，１４，２４，３２，３６，３０，１６，８，１２，２０，２８，２２，６，２，４，１０，１８，１５，５，１，３，１１，２３，２５，１３，７，９，１９，３１番目に点灯され、
（７）矩形パターンの７行目を構成する１列目から３７列目の画素が、それぞれ、３７，３４，２６，１４，２４，３２，３６，３０，１６，８，１２，２０，２８，２２，６，２，４，１０，１８，１５，５，１，３，１１，２３，２５，１３，７，９，１９，３１，３３，２９，２１，１７，２７，３５番目に点灯され、
（８）矩形パターンの８行目を構成する１列目から３７列目の画素が、それぞれ、３６，３０，１６，８，１２，２０，２８，２２，６，２，４，１０，１８，１５，５，１，３，１１，２３，２５，１３，７，９，１９，３１，３３，２９，２１，１７，２７，３５，３７，３４，２６，１４，２４，３２番目に点灯され、
（９）矩形パターンの９行目を構成する１列目から３７列目の画素が、それぞれ、２８，２２，６，２，４，１０，１８，１５，５，１，３，１１，２３，２５，１３，７，９，１９，３１，３３，２９，２１，１７，２７，３５，３７，３４，２６，１４，２４，３２，３６，３０，１６，８，１２，２０番目に点灯され、
（１０）矩形パターンの１０行目を構成する１列目から３７列目の画素が、それぞれ、１８，１５，５，１，３，１１，２３，２５，１３，７，９，１９，３１，３３，２９，２１，１７，２７，３５，３７，３４，２６，１４，２４，３２，３６，３０，１６，８，１２，２０，２８，２２，６，２，４，１０番目に点灯され、
（１１）矩形パターンの１１行目を構成する１列目から３７列目の画素が、それぞれ、２３，２５，１３，７，９，１９，３１，３３，２９，２１，１７，２７，３５，３７，３４，２６，１４，２４，３２，３６，３０，１６，８，１２，２０，２８，２２，６，２，４，１０，１８，１５，５，１，３，１１番目に点灯され、
（１２）矩形パターンの１２行目を構成する１列目から３７列目の画素が、それぞれ、３１，３３，２９，２１，１７，２７，３５，３７，３４，２６，１４，２４，３２，３６，３０，１６，８，１２，２０，２８，２２，６，２，４，１０，１８，１５，５，１，３，１１，２３，２５，１３，７，９，１９番目に点灯され、
（１３）矩形パターンの１３行目を構成する１列目から３７列目の画素が、それぞれ、３５，３７，３４，２６，１４，２４，３２，３６，３０，１６，８，１２，２０，２８，２２，６，２，４，１０，１８，１５，５，１，３，１１，２３，２５，１３，７，９，１９，３１，３３，２９，２１，１７，２７番目に点灯され、
（１４）矩形パターンの１４行目を構成する１列目から３７列目の画素が、それぞれ、３２，３６，３０，１６，８，１２，２０，２８，２２，６，２，４，１０，１８，１５，５，１，３，１１，２３，２５，１３，７，９，１９，３１，３３，２９，２１，１７，２７，３５，３７，３４，２６，１４，２４番目に点灯され、
（１５）矩形パターンの１５行目を構成する１列目から３７列目の画素が、それぞれ、２０，２８，２２，６，２，４，１０，１８，１５，５，１，３，１１，２３，２５，１３，７，９，１９，３１，３３，２９，２１，１７，２７，３５，３７，３４，２６，１４，２４，３２，３６，３０，１６，８，１２番目に点灯され、
（１６）矩形パターンの１６行目を構成する１列目から３７列目の画素が、それぞれ、１０，１８，１５，５，１，３，１１，２３，２５，１３，７，９，１９，３１，３３，２９，２１，１７，２７，３５，３７，３４，２６，１４，２４，３２，３６，３０，１６，８，１２，２０，２８，２２，６，２，４番目に点灯され、
（１７）矩形パターンの１７行目を構成する１列目から３７列目の画素が、それぞれ、１１，２３，２５，１３，７，９，１９，３１，３３，２９，２１，１７，２７，３５，３７，３４，２６，１４，２４，３２，３６，３０，１６，８，１２，２０，２８，２２，６，２，４，１０，１８，１５，５，１，３番目に点灯され、
（１８）矩形パターンの１８行目を構成する１列目から３７列目の画素が、それぞれ、１９，３１，３３，２９，２１，１７，２７，３５，３７，３４，２６，１４，２４，３２，３６，３０，１６，８，１２，２０，２８，２２，６，２，４，１０，１８，１５，５，１，３，１１，２３，２５，１３，７，９番目に点灯され、
（１９）矩形パターンの１９行目を構成する１列目から３７列目の画素が、それぞれ、２７，３５，３７，３４，２６，１４，２４，３２，３６，３０，１６，８，１２，２０，２８，２２，６，２，４，１０，１８，１５，５，１，３，１１，２３，２５，１３，７，９，１９，３１，３３，２９，２１，１７番目に点灯され、
（２０）矩形パターンの２０行目を構成する１列目から３７列目の画素が、それぞれ、２４，３２，３６，３０，１６，８，１２，２０，２８，２２，６，２，４，１０，１８，１５，５，１，３，１１，２３，２５，１３，７，９，１９，３１，３３，２９，２１，１７，２７，３５，３７，３４，２６，１４番目に点灯され、
（２１）矩形パターンの２１行目を構成する１列目から３７列目の画素が、それぞれ、１２，２０，２８，２２，６，２，４，１０，１８，１５，５，１，３，１１，２３，２５，１３，７，９，１９，３１，３３，２９，２１，１７，２７，３５，３７，３４，２６，１４，２４，３２，３６，３０，１６，８番目に点灯され、
（２２）矩形パターンの２２行目を構成する１列目から３７列目の画素が、それぞれ、４，１０，１８，１５，５，１，３，１１，２３，２５，１３，７，９，１９，３１，３３，２９，２１，１７，２７，３５，３７，３４，２６，１４，２４，３２，３６，３０，１６，８，１２，２０，２８，２２，６，２番目に点灯され、
（２３）矩形パターンの２３行目を構成する１列目から３７列目の画素が、それぞれ、３，１１，２３，２５，１３，７，９，１９，３１，３３，２９，２１，１７，２７，３５，３７，３４，２６，１４，２４，３２，３６，３０，１６，８，１２，２０，２８，２２，６，２，４，１０，１８，１５，５，１番目に点灯され、
（２４）矩形パターンの２４行目を構成する１列目から３７列目の画素が、それぞれ、９，１９，３１，３３，２９，２１，１７，２７，３５，３７，３４，２６，１４，２４，３２，３６，３０，１６，８，１２，２０，２８，２２，６，２，４，１０，１８，１５，５，１，３，１１，２３，２５，１３，７番目に点灯され、
（２５）矩形パターンの２５行目を構成する１列目から３７列目の画素が、それぞれ、１７，２７，３５，３７，３４，２６，１４，２４，３２，３６，３０，１６，８，１２，２０，２８，２２，６，２，４，１０，１８，１５，５，１，３，１１，２３，２５，１３，７，９，１９，３１，３３，２９，２１番目に点灯され、
（２６）矩形パターンの２６行目を構成する１列目から３７列目の画素が、それぞれ、１４，２４，３２，３６，３０，１６，８，１２，２０，２８，２２，６，２，４，１０，１８，１５，５，１，３，１１，２３，２５，１３，７，９，１９，３１，３３，２９，２１，１７，２７，３５，３７，３４，２６番目に点灯され、
（２７）矩形パターンの２７行目を構成する１列目から３７列目の画素が、それぞれ、８，１２，２０，２８，２２，６，２，４，１０，１８，１５，５，１，３，１１，２３，２５，１３，７，９，１９，３１，３３，２９，２１，１７，２７，３５，３７，３４，２６，１４，２４，３２，３６，３０，１６番目に点灯され、
（２８）矩形パターンの２８行目を構成する１列目から３７列目の画素が、それぞれ、２，４，１０，１８，１５，５，１，３，１１，２３，２５，１３，７，９，１９，３１，３３，２９，２１，１７，２７，３５，３７，３４，２６，１４，２４，３２，３６，３０，１６，８，１２，２０，２８，２２，６番目に点灯され、
（２９）矩形パターンの２９行目を構成する１列目から３７列目の画素が、それぞれ、１，３，１１，２３，２５，１３，７，９，１９，３１，３３，２９，２１，１７，２７，３５，３７，３４，２６，１４，２４，３２，３６，３０，１６，８，１２，２０，２８，２２，６，２，４，１０，１８，１５，５番目に点灯され、
（３０）矩形パターンの３０行目を構成する１列目から３７列目の画素が、それぞれ、７，９，１９，３１，３３，２９，２１，１７，２７，３５，３７，３４，２６，１４，２４，３２，３６，３０，１６，８，１２，２０，２８，２２，６，２，４，１０，１８，１５，５，１，３，１１，２３，２５，１３番目に点灯され、
（３１）矩形パターンの３１行目を構成する１列目から３７列目の画素が、それぞれ、２１，１７，２７，３５，３７，３４，２６，１４，２４，３２，３６，３０，１６，８，１２，２０，２８，２２，６，２，４，１０，１８，１５，５，１，３，１１，２３，２５，１３，７，９，１９，３１，３３，２９番目に点灯され、
（３２）矩形パターンの３２行目を構成する１列目から３７列目の画素が、それぞれ、２６，１４，２４，３２，３６，３０，１６，８，１２，２０，２８，２２，６，２，４，１０，１８，１５，５，１，３，１１，２３，２５，１３，７，９，１９，３１，３３，２９，２１，１７，２７，３５，３７，３４番目に点灯され、
（３３）矩形パターンの３３行目を構成する１列目から３７列目の画素が、それぞれ、１６，８，１２，２０，２８，２２，６，２，４，１０，１８，１５，５，１，３，１１，２３，２５，１３，７，９，１９，３１，３３，２９，２１，１７，２７，３５，３７，３４，２６，１４，２４，３２，３６，３０番目に点灯され、
（３４）矩形パターンの３４行目を構成する１列目から３７列目の画素が、それぞれ、６，２，４，１０，１８，１５，５，１，３，１１，２３，２５，１３，７，９，１９，３１，３３，２９，２１，１７，２７，３５，３７，３４，２６，１４，２４，３２，３６，３０，１６，８，１２，２０，２８，２２番目に点灯され、
（３５）矩形パターンの３５行目を構成する１列目から３７列目の画素が、それぞれ、５，１，３，１１，２３，２５，１３，７，９，１９，３１，３３，２９，２１，１７，２７，３５，３７，３４，２６，１４，２４，３２，３６，３０，１６，８，１２，２０，２８，２２，６，２，４，１０，１８，１５番目に点灯され、
（３６）矩形パターンの３６行目を構成する１列目から３７列目の画素が、それぞれ、１３，７，９，１９，３１，３３，２９，２１，１７，２７，３５，３７，３４，２６，１４，２４，３２，３６，３０，１６，８，１２，２０，２８，２２，６，２，４，１０，１８，１５，５，１，３，１１，２３，２５番目に点灯され、
（３７）矩形パターンの３７行目を構成する１列目から３７列目の画素が、それぞれ、２９，２１，１７，２７，３５，３７，３４，２６，１４，２４，３２，３６，３０，１６，８，１２，２０，２８，２２，６，２，４，１０，１８，１５，５，１，３，１１，２３，２５，１３，７，９，１９，３１，３３番目に点灯されるように、１３６９個の画素の点灯順序が設定されている。
【００９２】
また、２値化用パターン１２ｇにおいては、ディザ角度（スクリーン角度，網点角度）が９．５度となるようになっている。
すなわち、図１８および図１９に示す２値化用パターン１２ｇは、ディザ角度が９．５度、出力線数が９８．６ｌｐｉの２値化用パターンである。
なお、この２値化用パターン１２ｇを用いることにより、印刷を行なう多値画像（原画像）を構成する各画素の画素値（例えば、０〜２５５）を、それぞれ３８段階（階調）で表わすことができる。
【００９３】
本明細書においては、便宜上、２値化用パターン１２ｈを、図２０〜図２３の４つの図に分割して示しており、図２０に示す２値化用パターン１２ｈ−１と、図２１に示す２値化用パターン１２ｈ−２と、図２２に示す２値化用パターン１２ｈ−３と、図２３に示す２値化用パターン１２ｈ−４とを組み合わせることにより、一つの２値化用パターン１２ｆが示されるようになっている。
【００９４】
図２０〜図２３に示す２値化用パターン１２ｈ（１２ｈ−１，１２ｈ−２，１２ｈ−３，１２ｈ−４）は、７４行×７４列のマトリクス状に配列される５４７６個の画素によって構成され、順次点灯される複数の画素をマトリクス状に配列した矩形パターンとして構成されたものであって、図１７に示した基本パターン１２４を縦方向および横方向に２つずつ、その欠落部分に、基本パターン１２４における図心に対して点対称の位置に相当する部分を嵌めるように配置し、その縦方向（行方向）および横方向（列方向）において、点灯順序がくり返し連続するように、隙間無く複数（本実施形態では縦方向と横方向に２つずつの計４つ）並べることによって構成したサブパターン１２４１を複数そなえて形成されている。なお、図２０中においては、便宜上、一部のサブパターン１２４１に斜線を付して示す。
【００９５】
なお、以下、基本パターンを示す符号としては、複数の基本パターンのうち１つを特定する必要があるときには符号１２４−１〜１２４−ｎ（ｎは自然数）を用いるが、任意の基本パターンを指すときには符号１２４を用いる。又、以下、１つのサブパターン１２４１を構成する基本パターン１２４の個数をｍで表わす。すなわち、本実施形態においては、１≦ｎ≦ｍ（ｎ，ｍは自然数）という関係が成立する。
【００９６】
図２０〜図２３に示す２値化用パターン１２ｈにおいては、サブパターン１２４１は、１２４−１〜１２４−４の計４つの基本パターン１２４をそなえて構成されているので、ｎは１，２，３，４のうちのいずれか任意の自然数であり、ｍ＝４となる。
すなわち、サブパターン１２４１は、７行×６列の欠落マトリクスにおいて、その１行目を構成する１列目から６列目の画素が、それぞれ、ｎ＋３３×ｍ，ｎ＋２５×ｍ，ｎ＋１３×ｍ，ｎ＋２３×ｍ，ｎ＋３１×ｍ，ｎ＋３５×ｍ番目に点灯され、その２行目を構成する１列目から６列目の画素が、それぞれ、ｎ＋２９×ｍ，ｎ＋１５×ｍ，ｎ＋７×ｍ，ｎ＋１１×ｍ，ｎ＋１９×ｍ，ｎ＋２７×ｍ番目に点灯され、その３行目を構成する１列目から６列目の画素が、それぞれ、ｎ＋２１×ｍ，ｎ＋５×ｍ，ｎ＋ｍ，ｎ＋３×ｍ，ｎ＋９×ｍ，ｎ＋１７×ｍ番目に点灯され、その４行目を構成する１列目から６列目の画素が、それぞれ、ｎ＋１４×ｍ，ｎ＋４×ｍ，ｎ，ｎ＋２×ｍ，ｎ＋１０×ｍ，ｎ＋２２×ｍ番目に点灯され、その５行目を構成する１列目から６列目の画素が、それぞれ、ｎ＋２４×ｍ，ｎ＋１２×ｍ，ｎ＋６×ｍ，ｎ＋８×ｍ，ｎ＋１８×ｍ，ｎ＋３０×ｍ番目に点灯され、その６行目を構成する１列目から６列目の画素が、それぞれ、ｎ＋３２×ｍ，ｎ＋２８×ｍ，ｎ＋２０×ｍ，ｎ＋１６×ｍ，ｎ＋２６×ｍ，ｎ＋３４×ｍ番目に点灯され、その７行目を構成する１列目の画素がｎ＋３６×ｍ番目に点灯されるように形成された基本パターン１２４（１２４−１〜１２４−ｎ；ただし、１≦ｎ≦ｍ）をｍ個（ｍ＝４）並べることによって形成されている。
【００９７】
また、図２０において斜線を付して示すサブパターン１２４１においては、基本パターン１２４−１の下側に基本パターン１２４−２が配置され、基本パターン１２４−１の左側に基本パターン１２４−３が、又、基本パターン１２４−３の下側に基本パターン１２４−４が配置されている。なお、サブパターン１２４１における、かかる基本パターン１２４の配置は、これに限定されるものではなく、本発明の趣旨を逸脱しない範囲で種々変形して実施することができる。
【００９８】
２値化用パターン１２ｈは、このようなサブパターン１２４１を、縦方向および横方向に、縦方向において隣接する他のサブパターン１２４１における基本パターン１２４−２および基本パターン１２４−４の欠落部分に、基本パターン１２４−１および基本パターン１２４−３を嵌めるように配置し、その縦方向（行方向）および横方向（列方向）において、点灯順序がくり返し連続するように隙間無く複数並べた後に、７４行×７４列の任意の矩形部分を切り出すことにより形成されている。
【００９９】
そして、２値化用パターン１２ｈは、上述したサブパターン１２４１を複数そなえて構成され、これらの複数のサブパターン１２４１から、互いに同一形状のドットがそれぞれ順番に成長するように画素の点灯順序が設定されているのである。
すなわち、２値化用パターン１２ｈにおいては、図２０〜図２３に示すように、
（１）矩形パターンの１行目を構成する１列目から７４列目の画素が、それぞれ、１４５，１３４，１０２，５４，９４，１２６，１４２，１２０，６４，３２，４８，８０，１１２，８６，２２，６，１４，３８，７０，６０，２０，４，１２，４４，９２，９８，５０，２６，３４，７４，１２２，１３２，１１６，８４，６８，１０８，１４０，１４６，１３３，１０１，５３，９３，１２５，１４１，１１９，６３，３１，４７，７９，１１１，８５，２１，５，１３，３７，６９，５９，１９，３，１１，４３，９１，９７，４９，２５，３３，７３，１２１，１３１，１１５，８３，６７，１０７，１３９番目に点灯され、
（２）矩形パターンの２行目を構成する１列目から７４列目の画素が、それぞれ、１４４，１１８，６２，３０，４６，７８，１１０，８８，２４，８，１６，４０，７２，５８，１８，２，１０，４２，９０，１００，５２，２８，３６，７６，１２４，１３０，１１４，８２，６６，１０６，１３８，１４８，１３５，１０３，５５，９５，１２７，１４３，１１７，６１，２９，４５，７７，１０９，８７，２３，７，１５，３９，７１，５７，１７，１，９，４１，８９，９９，５１，２７，３５，７５，１２３，１２９，１１３，８１，６５，１０５，１３７，１４７，１３６，１０４，５６，９６，１２８番目に点灯され、
（３）矩形パターンの３行目を構成する１列目から７４列目の画素が、それぞれ、１１２，８６，２２，６，１４，３８，７０，６０，２０，４，１２，４４，９２，９８，５０，２６，３４，７４，１２２，１３２，１１６，８４，６８，１０８，１４０，１４６，１３３，１０１，５３，９３，１２５，１４１，１１９，６３，３１，４７，７９，１１１，８５，２１，５，１３，３７，６９，５９，１９，３，１１，４３，９１，９７，４９，２５，３３，７３，１２１，１３１，１１５，８３，６７，１０７，１３９，１４５，１３４，１０２，５４，９４，１２６，１４２，１２０，６４，３２，４８，８０番目に点灯され、
（４）矩形パターンの４行目を構成する１列目から７４列目の画素が、それぞれ、７２，５８，１８，２，１０，４２，９０，１００，５２，２８，３６，７６，１２４，１３０，１１４，８２，６６，１０６，１３８，１４８，１３５，１０３，５５，９５，１２７，１４３，１１７，６１，２９，４５，７７，１０９，８７，２３，７，１５，３９，７１，５７，１７，１，９，４１，８９，９９，５１，２７，３５，７５，１２３，１２９，１１３，８１，６５，１０５，１３７，１４７，１３６，１０４，５６，９６，１２８，１４４，１１８，６２，３０，４６，７８，１１０，８８，２４，８，１６，４０番目に点灯され、
（５）矩形パターンの５行目を構成する１列目から７４列目の画素が、それぞれ、９２，９８，５０，２６，３４，７４，１２２，１３２，１１６，８４，６８，１０８，１４０，１４６，１３３，１０１，５３，９３，１２５，１４１，１１９，６３，３１，４７，７９，１１１，８５，２１，５，１３，３７，６９，５９，１９，３，１１，４３，９１，９７，４９，２５，３３，７３，１２１，１３１，１１５，８３，６７，１０７，１３９，１４５，１３４，１０２，５４，９４，１２６，１４２，１２０，６４，３２，４８，８０，１１２，８６，２２，６，１４，３８，７０，６０，２０，４，１２，４４番目に点灯され、
（６）矩形パターンの６行目を構成する１列目から７４列目の画素が、それぞれ、１２４，１３０，１１４，８２，６６，１０６，１３８，１４８，１３５，１０３，５５，９５，１２７，１４３，１１７，６１，２９，４５，７７，１０９，８７，２３，７，１５，３９，７１，５７，１７，１，９，４１，８９，９９，５１，２７，３５，７５，１２３，１２９，１１３，８１，６５，１０５，１３７，１４７，１３６，１０４，５６，９６，１２８，１４４，１１８，６２，３０，４６，７８，１１０，８８，２４，８，１６，４０，７２，５８，１８，２，１０，４２，９０，１００，５２，２８，３６，７６番目に点灯され、
（７）矩形パターンの７行目を構成する１列目から７４列目の画素が、それぞれ、１４０，１４６，１３３，１０１，５３，９３，１２５，１４１，１１９，６３，３１，４７，７９，１１１，８５，２１，５，１３，３７，６９，５９，１９，３，１１，４３，９１，９７，４９，２５，３３，７３，１２１，１３１，１１５，８３，６７，１０７，１３９，１４５，１３４，１０２，５４，９４，１２６，１４２，１２０，６４，３２，４８，８０，１１２，８６，２２，６，１４，３８，７０，６０，２０，４，１２，４４，９２，９８，５０，２６，３４，７４，１２２，１３２，１１６，８４，６８，１０８番目に点灯され、
（８）矩形パターンの８行目を構成する１列目から７４列目の画素が、それぞれ、１２７，１４３，１１７，６１，２９，４５，７７，１０９，８７，２３，７，１５，３９，７１，５７，１７，１，９，４１，８９，９９，５１，２７，３５，７５，１２３，１２９，１１３，８１，６５，１０５，１３７，１４７，１３６，１０４，５６，９６，１２８，１４４，１１８，６２，３０，４６，７８，１１０，８８，２４，８，１６，４０，７２，５８，１８，２，１０，４２，９０，１００，５２，２８，３６，７６，１２４，１３０，１１４，８２，６６，１０６，１３８，１４８，１３５，１０３，５５，９５番目に点灯され、
（９）矩形パターンの９行目を構成する１列目から７４列目の画素が、それぞれ、７９，１１１，８５，２１，５，１３，３７，６９，５９，１９，３，１１，４３，９１，９７，４９，２５，３３，７３，１２１，１３１，１１５，８３，６７，１０７，１３９，１４５，１３４，１０２，５４，９４，１２６，１４２，１２０，６４，３２，４８，８０，１１２，８６，２２，６，１４，３８，７０，６０，２０，４，１２，４４，９２，９８，５０，２６，３４，７４，１２２，１３２，１１６，８４，６８，１０８，１４０，１４６，１３３，１０１，５３，９３，１２５，１４１，１１９，６３，３１，４７番目に点灯され、
（１０）矩形パターンの１０行目を構成する１列目から７４列目の画素が、それぞれ、３９，７１，５７，１７，１，９，４１，８９，９９，５１，２７，３５，７５，１２３，１２９，１１３，８１，６５，１０５，１３７，１４７，１３６，１０４，５６，９６，１２８，１４４，１１８，６２，３０，４６，７８，１１０，８８，２４，８，１６，４０，７２，５８，１８，２，１０，４２，９０，１００，５２，２８，３６，７６，１２４，１３０，１１４，８２，６６，１０６，１３８，１４８，１３５，１０３，５５，９５，１２７，１４３，１１７，６１，２９，４５，７７，１０９，８７，２３，７，１５番目に点灯され、
（１１）矩形パターンの１１行目を構成する１列目から７４列目の画素が、それぞれ、４３，９１，９７，４９，２５，３３，７３，１２１，１３１，１１５，８３，６７，１０７，１３９，１４５，１３４，１０２，５４，９４，１２６，１４２，１２０，６４，３２，４８，８０，１１２，８６，２２，６，１４，３８，７０，６０，２０，４，１２，４４，９２，９８，５０，２６，３４，７４，１２２，１３２，１１６，８４，６８，１０８，１４０，１４６，１３３，１０１，５３，９３，１２５，１４１，１１９，６３，３１，４７，７９，１１１，８５，２１，５，１３，３７，６９，５９，１９，３，１１番目に点灯され、
（１２）矩形パターンの１２行目を構成する１列目から７４列目の画素が、それぞれ、７５，１２３，１２９，１１３，８１，６５，１０５，１３７，１４７，１３６，１０４，５６，９６，１２８，１４４，１１８，６２，３０，４６，７８，１１０，８８，２４，８，１６，４０，７２，５８，１８，２，１０，４２，９０，１００，５２，２８，３６，７６，１２４，１３０，１１４，８２，６６，１０６，１３８，１４８，１３５，１０３，５５，９５，１２７，１４３，１１７，６１，２９，４５，７７，１０９，８７，２３，７，１５，３９，７１，５７，１７，１，９，４１，８９，９９，５１，２７，３５番目に点灯され、
（１３）矩形パターンの１３行目を構成する１列目から７４列目の画素が、それぞれ、１０７，１３９，１４５，１３４，１０２，５４，９４，１２６，１４２，１２０，６４，３２，４８，８０，１１２，８６，２２，６，１４，３８，７０，６０，２０，４，１２，４４，９２，９８，５０，２６，３４，７４，１２２，１３２，１１６，８４，６８，１０８，１４０，１４６，１３３，１０１，５３，９３，１２５，１４１，１１９，６３，３１，４７，７９，１１１，８５，２１，５，１３，３７，６９，５９，１９，３，１１，４３，９１，９７，４９，２５，３３，７３，１２１，１３１，１１５，８３，６７番目に点灯され、
（１４）矩形パターンの１４行目を構成する１列目から７４列目の画素が、それぞれ、９６，１２８，１４４，１１８，６２，３０，４６，７８，１１０，８８，２４，８，１６，４０，７２，５８，１８，２，１０，４２，９０，１００，５２，２８，３６，７６，１２４，１３０，１１４，８２，６６，１０６，１３８，１４８，１３５，１０３，５５，９５，１２７，１４３，１１７，６１，２９，４５，７７，１０９，８７，２３，７，１５，３９，７１，５７，１７，１，９，４１，８９，９９，５１，２７，３５，７５，１２３，１２９，１１３，８１，６５，１０５，１３７，１４７，１３６，１０４，５６番目に点灯され、
（１５）矩形パターンの１５行目を構成する１列目から７４列目の画素が、それぞれ、４８，８０，１１２，８６，２２，６，１４，３８，７０，６０，２０，４，１２，４４，９２，９８，５０，２６，３４，７４，１２２，１３２，１１６，８４，６８，１０８，１４０，１４６，１３３，１０１，５３，９３，１２５，１４１，１１９，６３，３１，４７，７９，１１１，８５，２１，５，１３，３７，６９，５９，１９，３，１１，４３，９１，９７，４９，２５，３３，７３，１２１，１３１，１１５，８３，６７，１０７，１３９，１４５，１３４，１０２，５４，９４，１２６，１４２，１２０，６４，３２番目に点灯され、
（１６）矩形パターンの１６行目を構成する１列目から７４列目の画素が、それぞれ、１６，４０，７２，５８，１８，２，１０，４２，９０，１００，５２，２８，３６，７６，１２４，１３０，１１４，８２，６６，１０６，１３８，１４８，１３５，１０３，５５，９５，１２７，１４３，１１７，６１，２９，４５，７７，１０９，８７，２３，７，１５，３９，７１，５７，１７，１，９，４１，８９，９９，５１，２７，３５，７５，１２３，１２９，１１３，８１，６５，１０５，１３７，１４７，１３６，１０４，５６，９６，１２８，１４４，１１８，６２，３０，４６，７８，１１０，８８，２４，８番目に点灯され、
（１７）矩形パターンの１７行目を構成する１列目から７４列目の画素が、それぞれ、１２，４４，９２，９８，５０，２６，３４，７４，１２２，１３２，１１６，８４，６８，１０８，１４０，１４６，１３３，１０１，５３，９３，１２５，１４１，１１９，６３，３１，４７，７９，１１１，８５，２１，５，１３，３７，６９，５９，１９，３，１１，４３，９１，９７，４９，２５，３３，７３，１２１，１３１，１１５，８３，６７，１０７，１３９，１４５，１３４，１０２，５４，９４，１２６，１４２，１２０，６４，３２，４８，８０，１１２，８６，２２，６，１４，３８，７０，６０，２０，４番目に点灯され、
（１８）矩形パターンの１８行目を構成する１列目から７４列目の画素が、それぞれ、３６，７６，１２４，１３０，１１４，８２，６６，１０６，１３８，１４８，１３５，１０３，５５，９５，１２７，１４３，１１７，６１，２９，４５，７７，１０９，８７，２３，７，１５，３９，７１，５７，１７，１，９，４１，８９，９９，５１，２７，３５，７５，１２３，１２９，１１３，８１，６５，１０５，１３７，１４７，１３６，１０４，５６，９６，１２８，１４４，１１８，６２，３０，４６，７８，１１０，８８，２４，８，１６，４０，７２，５８，１８，２，１０，４２，９０，１００，５２，２８番目に点灯され、
（１９）矩形パターンの１９行目を構成する１列目から７４列目の画素が、それぞれ、６８，１０８，１４０，１４６，１３３，１０１，５３，９３，１２５，１４１，１１９，６３，３１，４７，７９，１１１，８５，２１，５，１３，３７，６９，５９，１９，３，１１，４３，９１，９７，４９，２５，３３，７３，１２１，１３１，１１５，８３，６７，１０７，１３９，１４５，１３４，１０２，５４，９４，１２６，１４２，１２０，６４，３２，４８，８０，１１２，８６，２２，６，１４，３８，７０，６０，２０，４，１２，４４，９２，９８，５０，２６，３４，７４，１２２，１３２，１１６，８４番目に点灯され、
（２０）矩形パターンの２０行目を構成する１列目から７４列目の画素が、それぞれ、５５，９５，１２７，１４３，１１７，６１，２９，４５，７７，１０９，８７，２３，７，１５，３９，７１，５７，１７，１，９，４１，８９，９９，５１，２７，３５，７５，１２３，１２９，１１３，８１，６５，１０５，１３７，１４７，１３６，１０４，５６，９６，１２８，１４４，１１８，６２，３０，４６，７８，１１０，８８，２４，８，１６，４０，７２，５８，１８，２，１０，４２，９０，１００，５２，２８，３６，７６，１２４，１３０，１１４，８２，６６，１０６，１３８，１４８，１３５，１０３番目に点灯され、
（２１）矩形パターンの２１行目を構成する１列目から７４列目の画素が、それぞれ、３１，４７，７９，１１１，８５，２１，５，１３，３７，６９，５９，１９，３，１１，４３，９１，９７，４９，２５，３３，７３，１２１，１３１，１１５，８３，６７，１０７，１３９，１４５，１３４，１０２，５４，９４，１２６，１４２，１２０，６４，３２，４８，８０，１１２，８６，２２，６，１４，３８，７０，６０，２０，４，１２，４４，９２，９８，５０，２６，３４，７４，１２２，１３２，１１６，８４，６８，１０８，１４０，１４６，１３３，１０１，５３，９３，１２５，１４１，１１９，６３番目に点灯され、
（２２）矩形パターンの２２行目を構成する１列目から７４列目の画素が、それぞれ、７，１５，３９，７１，５７，１７，１，９，４１，８９，９９，５１，２７，３５，７５，１２３，１２９，１１３，８１，６５，１０５，１３７，１４７，１３６，１０４，５６，９６，１２８，１４４，１１８，６２，３０，４６，７８，１１０，８８，２４，８，１６，４０，７２，５８，１８，２，１０，４２，９０，１００，５２，２８，３６，７６，１２４，１３０，１１４，８２，６６，１０６，１３８，１４８，１３５，１０３，５５，９５，１２７，１４３，１１７，６１，２９，４５，７７，１０９，８７，２３番目に点灯され、
（２３）矩形パターンの２３行目を構成する１列目から７４列目の画素が、それぞれ、３，１１，４３，９１，９７，４９，２５，３３，７３，１２１，１３１，１１５，８３，６７，１０７，１３９，１４５，１３４，１０２，５４，９４，１２６，１４２，１２０，６４，３２，４８，８０，１１２，８６，２２，６，１４，３８，７０，６０，２０，４，１２，４４，９２，９８，５０，２６，３４，７４，１２２，１３２，１１６，８４，６８，１０８，１４０，１４６，１３３，１０１，５３，９３，１２５，１４１，１１９，６３，３１，４７，７９，１１１，８５，２１，５，１３，３７，６９，５９，１９番目に点灯され、
（２４）矩形パターンの２４行目を構成する１列目から７４列目の画素が、それぞれ、２７，３５，７５，１２３，１２９，１１３，８１，６５，１０５，１３７，１４７，１３６，１０４，５６，９６，１２８，１４４，１１８，６２，３０，４６，７８，１１０，８８，２４，８，１６，４０，７２，５８，１８，２，１０，４２，９０，１００，５２，２８，３６，７６，１２４，１３０，１１４，８２，６６，１０６，１３８，１４８，１３５，１０３，５５，９５，１２７，１４３，１１７，６１，２９，４５，７７，１０９，８７，２３，７，１５，３９，７１，５７，１７，１，９，４１，８９，９９，５１番目に点灯され、
（２５）矩形パターンの２５行目を構成する１列目から７４列目の画素が、それぞれ、８３，６７，１０７，１３９，１４５，１３４，１０２，５４，９４，１２６，１４２，１２０，６４，３２，４８，８０，１１２，８６，２２，６，１４，３８，７０，６０，２０，４，１２，４４，９２，９８，５０，２６，３４，７４，１２２，１３２，１１６，８４，６８，１０８，１４０，１４６，１３３，１０１，５３，９３，１２５，１４１，１１９，６３，３１，４７，７９，１１１，８５，２１，５，１３，３７，６９，５９，１９，３，１１，４３，９１，９７，４９，２５，３３，７３，１２１，１３１，１１５番目に点灯され、
（２６）矩形パターンの２６行目を構成する１列目から７４列目の画素が、それぞれ、１０４，５６，９６，１２８，１４４，１１８，６２，３０，４６，７８，１１０，８８，２４，８，１６，４０，７２，５８，１８，２，１０，４２，９０，１００，５２，２８，３６，７６，１２４，１３０，１１４，８２，６６，１０６，１３８，１４８，１３５，１０３，５５，９５，１２７，１４３，１１７，６１，２９，４５，７７，１０９，８７，２３，７，１５，３９，７１，５７，１７，１，９，４１，８９，９９，５１，２７，３５，７５，１２３，１２９，１１３，８１，６５，１０５，１３７，１４７，１３６番目に点灯され、
（２７）矩形パターンの２７行目を構成する１列目から７４列目の画素が、それぞれ、６４，３２，４８，８０，１１２，８６，２２，６，１４，３８，７０，６０，２０，４，１２，４４，９２，９８，５０，２６，３４，７４，１２２，１３２，１１６，８４，６８，１０８，１４０，１４６，１３３，１０１，５３，９３，１２５，１４１，１１９，６３，３１，４７，７９，１１１，８５，２１，５，１３，３７，６９，５９，１９，３，１１，４３，９１，９７，４９，２５，３３，７３，１２１，１３１，１１５，８３，６７，１０７，１３９，１４５，１３４，１０２，５４，９４，１２６，１４２，１２０番目に点灯され、
（２８）矩形パターンの２８行目を構成する１列目から７４列目の画素が、それぞれ、２４，８，１６，４０，７２，５８，１８，２，１０，４２，９０，１００，５２，２８，３６，７６，１２４，１３０，１１４，８２，６６，１０６，１３８，１４８，１３５，１０３，５５，９５，１２７，１４３，１１７，６１，２９，４５，７７，１０９，８７，２３，７，１５，３９，７１，５７，１７，１，９，４１，８９，９９，５１，２７，３５，７５，１２３，１２９，１１３，８１，６５，１０５，１３７，１４７，１３６，１０４，５６，９６，１２８，１４４，１１８，６２，３０，４６，７８，１１０，８８番目に点灯され、
（２９）矩形パターンの２９行目を構成する１列目から７４列目の画素が、それぞれ、２０，４，１２，４４，９２，９８，５０，２６，３４，７４，１２２，１３２，１１６，８４，６８，１０８，１４０，１４６，１３３，１０１，５３，９３，１２５，１４１，１１９，６３，３１，４７，７９，１１１，８５，２１，５，１３，３７，６９，５９，１９，３，１１，４３，９１，９７，４９，２５，３３，７３，１２１，１３１，１１５，８３，６７，１０７，１３９，１４５，１３４，１０２，５４，９４，１２６，１４２，１２０，６４，３２，４８，８０，１１２，８６，２２，６，１４，３８，７０，６０番目に点灯され、
（３０）矩形パターンの３０行目を構成する１列目から７４列目の画素が、それぞれ、５２，２８，３６，７６，１２４，１３０，１１４，８２，６６，１０６，１３８，１４８，１３５，１０３，５５，９５，１２７，１４３，１１７，６１，２９，４５，７７，１０９，８７，２３，７，１５，３９，７１，５７，１７，１，９，４１，８９，９９，５１，２７，３５，７５，１２３，１２９，１１３，８１，６５，１０５，１３７，１４７，１３６，１０４，５６，９６，１２８，１４４，１１８，６２，３０，４６，７８，１１０，８８，２４，８，１６，４０，７２，５８，１８，２，１０，４２，９０，１００番目に点灯され、
（３１）矩形パターンの３１行目を構成する１列目から７４列目の画素が、それぞれ、１１６，８４，６８，１０８，１４０，１４６，１３３，１０１，５３，９３，１２５，１４１，１１９，６３，３１，４７，７９，１１１，８５，２１，５，１３，３７，６９，５９，１９，３，１１，４３，９１，９７，４９，２５，３３，７３，１２１，１３１，１１５，８３，６７，１０７，１３９，１４５，１３４，１０２，５４，９４，１２６，１４２，１２０，６４，３２，４８，８０，１１２，８６，２２，６，１４，３８，７０，６０，２０，４，１２，４４，９２，９８，５０，２６，３４，７４，１２２，１３２番目に点灯され、
（３２）矩形パターンの３２行目を構成する１列目から７４列目の画素が、それぞれ、１３５，１０３，５５，９５，１２７，１４３，１１７，６１，２９，４５，７７，１０９，８７，２３，７，１５，３９，７１，５７，１７，１，９，４１，８９，９９，５１，２７，３５，７５，１２３，１２９，１１３，８１，６５，１０５，１３７，１４７，１３６，１０４，５６，９６，１２８，１４４，１１８，６２，３０，４６，７８，１１０，８８，２４，８，１６，４０，７２，５８，１８，２，１０，４２，９０，１００，５２，２８，３６，７６，１２４，１３０，１１４，８２，６６，１０６，１３８，１４８番目に点灯され、
（３３）矩形パターンの３３行目を構成する１列目から７４列目の画素が、それぞれ、１１９，６３，３１，４７，７９，１１１，８５，２１，５，１３，３７，６９，５９，１９，３，１１，４３，９１，９７，４９，２５，３３，７３，１２１，１３１，１１５，８３，６７，１０７，１３９，１４５，１３４，１０２，５４，９４，１２６，１４２，１２０，６４，３２，４８，８０，１１２，８６，２２，６，１４，３８，７０，６０，２０，４，１２，４４，９２，９８，５０，２６，３４，７４，１２２，１３２，１１６，８４，６８，１０８，１４０，１４６，１３３，１０１，５３，９３，１２５，１４１番目に点灯され、
（３４）矩形パターンの３４行目を構成する１列目から７４列目の画素が、それぞれ、８７，２３，７，１５，３９，７１，５７，１７，１，９，４１，８９，９９，５１，２７，３５，７５，１２３，１２９，１１３，８１，６５，１０５，１３７，１４７，１３６，１０４，５６，９６，１２８，１４４，１１８，６２，３０，４６，７８，１１０，８８，２４，８，１６，４０，７２，５８，１８，２，１０，４２，９０，１００，５２，２８，３６，７６，１２４，１３０，１１４，８２，６６，１０６，１３８，１４８，１３５，１０３，５５，９５，１２７，１４３，１１７，６１，２９，４５，７７，１０９番目に点灯され、
（３５）矩形パターンの３５行目を構成する１列目から７４列目の画素が、それぞれ、５９，１９，３，１１，４３，９１，９７，４９，２５，３３，７３，１２１，１３１，１１５，８３，６７，１０７，１３９，１４５，１３４，１０２，５４，９４，１２６，１４２，１２０，６４，３２，４８，８０，１１２，８６，２２，６，１４，３８，７０，６０，２０，４，１２，４４，９２，９８，５０，２６，３４，７４，１２２，１３２，１１６，８４，６８，１０８，１４０，１４６，１３３，１０１，５３，９３，１２５，１４１，１１９，６３，３１，４７，７９，１１１，８５，２１，５，１３，３７，６９番目に点灯され、
（３６）矩形パターンの３６行目を構成する１列目から７４列目の画素が、それぞれ、９９，５１，２７，３５，７５，１２３，１２９，１１３，８１，６５，１０５，１３７，１４７，１３６，１０４，５６，９６，１２８，１４４，１１８，６２，３０，４６，７８，１１０，８８，２４，８，１６，４０，７２，５８，１８，２，１０，４２，９０，１００，５２，２８，３６，７６，１２４，１３０，１１４，８２，６６，１０６，１３８，１４８，１３５，１０３，５５，９５，１２７，１４３，１１７，６１，２９，４５，７７，１０９，８７，２３，７，１５，３９，７１，５７，１７，１，９，４１，８９番目に点灯され、
（３７）矩形パターンの３７行目を構成する１列目から７４列目の画素が、それぞれ、１３１，１１５，８３，６７，１０７，１３９，１４５，１３４，１０２，５４，９４，１２６，１４２，１２０，６４，３２，４８，８０，１１２，８６，２２，６，１４，３８，７０，６０，２０，４，１２，４４，９２，９８，５０，２６，３４，７４，１２２，１３２，１１６，８４，６８，１０８，１４０，１４６，１３３，１０１，５３，９３，１２５，１４１，１１９，６３，３１，４７，７９，１１１，８５，２１，５，１３，３７，６９，５９，１９，３，１１，４３，９１，９７，４９，２５，３３，７３，１２１番目に点灯され、
（３８）矩形パターンの３８行目を構成する１列目から７４列目の画素が、それぞれ、１４７，１３６，１０４，５６，９６，１２８，１４４，１１８，６２，３０，４６，７８，１１０，８８，２４，８，１６，４０，７２，５８，１８，２，１０，４２，９０，１００，５２，２８，３６，７６，１２４，１３０，１１４，８２，６６，１０６，１３８，１４８，１３５，１０３，５５，９５，１２７，１４３，１１７，６１，２９，４５，７７，１０９，８７，２３，７，１５，３９，７１，５７，１７，１，９，４１，８９，９９，５１，２７，３５，７５，１２３，１２９，１１３，８１，６５，１０５，１３７番目に点灯され、
（３９）矩形パターンの３９行目を構成する１列目から７４列目の画素が、それぞれ、１４２，１２０，６４，３２，４８，８０，１１２，８６，２２，６，１４，３８，７０，６０，２０，４，１２，４４，９２，９８，５０，２６，３４，７４，１２２，１３２，１１６，８４，６８，１０８，１４０，１４６，１３３，１０１，５３，９３，１２５，１４１，１１９，６３，３１，４７，７９，１１１，８５，２１，５，１３，３７，６９，５９，１９，３，１１，４３，９１，９７，４９，２５，３３，７３，１２１，１３１，１１５，８３，６７，１０７，１３９，１４５，１３４，１０２，５４，９４，１２６番目に点灯され、
（４０）矩形パターンの４０行目を構成する１列目から７４列目の画素が、それぞれ、１１０，８８，２４，８，１６，４０，７２，５８，１８，２，１０，４２，９０，１００，５２，２８，３６，７６，１２４，１３０，１１４，８２，６６，１０６，１３８，１４８，１３５，１０３，５５，９５，１２７，１４３，１１７，６１，２９，４５，７７，１０９，８７，２３，７，１５，３９，７１，５７，１７，１，９，４１，８９，９９，５１，２７，３５，７５，１２３，１２９，１１３，８１，６５，１０５，１３７，１４７，１３６，１０４，５６，９６，１２８，１４４，１１８，６２，３０，４６，７８番目に点灯され、
（４１）矩形パターンの４１行目を構成する１列目から７４列目の画素が、それぞれ、７０，６０，２０，４，１２，４４，９２，９８，５０，２６，３４，７４，１２２，１３２，１１６，８４，６８，１０８，１４０，１４６，１３３，１０１，５３，９３，１２５，１４１，１１９，６３，３１，４７，７９，１１１，８５，２１，５，１３，３７，６９，５９，１９，３，１１，４３，９１，９７，４９，２５，３３，７３，１２１，１３１，１１５，８３，６７，１０７，１３９，１４５，１３４，１０２，５４，９４，１２６，１４２，１２０，６４，３２，４８，８０，１１２，８６，２２，６，１４，３８番目に点灯され、
（４２）矩形パターンの４２行目を構成する１列目から７４列目の画素が、それぞれ、９０，１００，５２，２８，３６，７６，１２４，１３０，１１４，８２，６６，１０６，１３８，１４８，１３５，１０３，５５，９５，１２７，１４３，１１７，６１，２９，４５，７７，１０９，８７，２３，７，１５，３９，７１，５７，１７，１，９，４１，８９，９９，５１，２７，３５，７５，１２３，１２９，１１３，８１，６５，１０５，１３７，１４７，１３６，１０４，５６，９６，１２８，１４４，１１８，６２，３０，４６，７８，１１０，８８，２４，８，１６，４０，７２，５８，１８，２，１０，４２番目に点灯され、
（４３）矩形パターンの４３行目を構成する１列目から７４列目の画素が、それぞれ、１２２，１３２，１１６，８４，６８，１０８，１４０，１４６，１３３，１０１，５３，９３，１２５，１４１，１１９，６３，３１，４７，７９，１１１，８５，２１，５，１３，３７，６９，５９，１９，３，１１，４３，９１，９７，４９，２５，３３，７３，１２１，１３１，１１５，８３，６７，１０７，１３９，１４５，１３４，１０２，５４，９４，１２６，１４２，１２０，６４，３２，４８，８０，１１２，８６，２２，６，１４，３８，７０，６０，２０，４，１２，４４，９２，９８，５０，２６，３４，７４番目に点灯され、
（４４）矩形パターンの４４行目を構成する１列目から７４列目の画素が、それぞれ、１３８，１４８，１３５，１０３，５５，９５，１２７，１４３，１１７，６１，２９，４５，７７，１０９，８７，２３，７，１５，３９，７１，５７，１７，１，９，４１，８９，９９，５１，２７，３５，７５，１２３，１２９，１１３，８１，６５，１０５，１３７，１４７，１３６，１０４，５６，９６，１２８，１４４，１１８，６２，３０，４６，７８，１１０，８８，２４，８，１６，４０，７２，５８，１８，２，１０，４２，９０，１００，５２，２８，３６，７６，１２４，１３０，１１４，８２，６６，１０６番目に点灯され、
（４５）矩形パターンの４５行目を構成する１列目から７４列目の画素が、それぞれ、１２５，１４１，１１９，６３，３１，４７，７９，１１１，８５，２１，５，１３，３７，６９，５９，１９，３，１１，４３，９１，９７，４９，２５，３３，７３，１２１，１３１，１１５，８３，６７，１０７，１３９，１４５，１３４，１０２，５４，９４，１２６，１４２，１２０，６４，３２，４８，８０，１１２，８６，２２，６，１４，３８，７０，６０，２０，４，１２，４４，９２，９８，５０，２６，３４，７４，１２２，１３２，１１６，８４，６８，１０８，１４０，１４６，１３３，１０１，５３，９３番目に点灯され、
（４６）矩形パターンの４６行目を構成する１列目から７４列目の画素が、それぞれ、７７，１０９，８７，２３，７，１５，３９，７１，５７，１７，１，９，４１，８９，９９，５１，２７，３５，７５，１２３，１２９，１１３，８１，６５，１０５，１３７，１４７，１３６，１０４，５６，９６，１２８，１４４，１１８，６２，３０，４６，７８，１１０，８８，２４，８，１６，４０，７２，５８，１８，２，１０，４２，９０，１００，５２，２８，３６，７６，１２４，１３０，１１４，８２，６６，１０６，１３８，１４８，１３５，１０３，５５，９５，１２７，１４３，１１７，６１，２９，４５番目に点灯され、
（４７）矩形パターンの４７行目を構成する１列目から７４列目の画素が、それぞれ、３７，６９，５９，１９，３，１１，４３，９１，９７，４９，２５，３３，７３，１２１，１３１，１１５，８３，６７，１０７，１３９，１４５，１３４，１０２，５４，９４，１２６，１４２，１２０，６４，３２，４８，８０，１１２，８６，２２，６，１４，３８，７０，６０，２０，４，１２，４４，９２，９８，５０，２６，３４，７４，１２２，１３２，１１６，８４，６８，１０８，１４０，１４６，１３３，１０１，５３，９３，１２５，１４１，１１９，６３，３１，４７，７９，１１１，８５，２１，５，１３番目に点灯され、
（４８）矩形パターンの４８行目を構成する１列目から７４列目の画素が、それぞれ、４１，８９，９９，５１，２７，３５，７５，１２３，１２９，１１３，８１，６５，１０５，１３７，１４７，１３６，１０４，５６，９６，１２８，１４４，１１８，６２，３０，４６，７８，１１０，８８，２４，８，１６，４０，７２，５８，１８，２，１０，４２，９０，１００，５２，２８，３６，７６，１２４，１３０，１１４，８２，６６，１０６，１３８，１４８，１３５，１０３，５５，９５，１２７，１４３，１１７，６１，２９，４５，７７，１０９，８７，２３，７，１５，３９，７１，５７，１７，１，９番目に点灯され、
（４９）矩形パターンの４９行目を構成する１列目から７４列目の画素が、それぞれ、７３，１２１，１３１，１１５，８３，６７，１０７，１３９，１４５，１３４，１０２，５４，９４，１２６，１４２，１２０，６４，３２，４８，８０，１１２，８６，２２，６，１４，３８，７０，６０，２０，４，１２，４４，９２，９８，５０，２６，３４，７４，１２２，１３２，１１６，８４，６８，１０８，１４０，１４６，１３３，１０１，５３，９３，１２５，１４１，１１９，６３，３１，４７，７９，１１１，８５，２１，５，１３，３７，６９，５９，１９，３，１１，４３，９１，９７，４９，２５，３３番目に点灯され、
（５０）矩形パターンの５０行目を構成する１列目から７４列目の画素が、それぞれ、１０５，１３７，１４７，１３６，１０４，５６，９６，１２８，１４４，１１８，６２，３０，４６，７８，１１０，８８，２４，８，１６，４０，７２，５８，１８，２，１０，４２，９０，１００，５２，２８，３６，７６，１２４，１３０，１１４，８２，６６，１０６，１３８，１４８，１３５，１０３，５５，９５，１２７，１４３，１１７，６１，２９，４５，７７，１０９，８７，２３，７，１５，３９，７１，５７，１７，１，９，４１，８９，９９，５１，２７，３５，７５，１２３，１２９，１１３，８１，６５番目に点灯され、
（５１）矩形パターンの５１行目を構成する１列目から７４列目の画素が、それぞれ、９４，１２６，１４２，１２０，６４，３２，４８，８０，１１２，８６，２２，６，１４，３８，７０，６０，２０，４，１２，４４，９２，９８，５０，２６，３４，７４，１２２，１３２，１１６，８４，６８，１０８，１４０，１４６，１３３，１０１，５３，９３，１２５，１４１，１１９，６３，３１，４７，７９，１１１，８５，２１，５，１３，３７，６９，５９，１９，３，１１，４３，９１，９７，４９，２５，３３，７３，１２１，１３１，１１５，８３，６７，１０７，１３９，１４５，１３４，１０２，５４番目に点灯され、
（５２）矩形パターンの５２行目を構成する１列目から７４列目の画素が、それぞれ、４６，７８，１１０，８８，２４，８，１６，４０，７２，５８，１８，２，１０，４２，９０，１００，５２，２８，３６，７６，１２４，１３０，１１４，８２，６６，１０６，１３８，１４８，１３５，１０３，５５，９５，１２７，１４３，１１７，６１，２９，４５，７７，１０９，８７，２３，７，１５，３９，７１，５７，１７，１，９，４１，８９，９９，５１，２７，３５，７５，１２３，１２９，１１３，８１，６５，１０５，１３７，１４７，１３６，１０４，５６，９６，１２８，１４４，１１８，６２，３０番目に点灯され、
（５３）矩形パターンの５３行目を構成する１列目から７４列目の画素が、それぞれ、１４，３８，７０，６０，２０，４，１２，４４，９２，９８，５０，２６，３４，７４，１２２，１３２，１１６，８４，６８，１０８，１４０，１４６，１３３，１０１，５３，９３，１２５，１４１，１１９，６３，３１，４７，７９，１１１，８５，２１，５，１３，３７，６９，５９，１９，３，１１，４３，９１，９７，４９，２５，３３，７３，１２１，１３１，１１５，８３，６７，１０７，１３９，１４５，１３４，１０２，５４，９４，１２６，１４２，１２０，６４，３２，４８，８０，１１２，８６，２２，６番目に点灯され、
（５４）矩形パターンの５４行目を構成する１列目から７４列目の画素が、それぞれ、１０，４２，９０，１００，５２，２８，３６，７６，１２４，１３０，１１４，８２，６６，１０６，１３８，１４８，１３５，１０３，５５，９５，１２７，１４３，１１７，６１，２９，４５，７７，１０９，８７，２３，７，１５，３９，７１，５７，１７，１，９，４１，８９，９９，５１，２７，３５，７５，１２３，１２９，１１３，８１，６５，１０５，１３７，１４７，１３６，１０４，５６，９６，１２８，１４４，１１８，６２，３０，４６，７８，１１０，８８，２４，８，１６，４０，７２，５８，１８，２番目に点灯され、
（５５）矩形パターンの５５行目を構成する１列目から７４列目の画素が、それぞれ、３４，７４，１２２，１３２，１１６，８４，６８，１０８，１４０，１４６，１３３，１０１，５３，９３，１２５，１４１，１１９，６３，３１，４７，７９，１１１，８５，２１，５，１３，３７，６９，５９，１９，３，１１，４３，９１，９７，４９，２５，３３，７３，１２１，１３１，１１５，８３，６７，１０７，１３９，１４５，１３４，１０２，５４，９４，１２６，１４２，１２０，６４，３２，４８，８０，１１２，８６，２２，６，１４，３８，７０，６０，２０，４，１２，４４，９２，９８，５０，２６番目に点灯され、
（５６）矩形パターンの５６行目を構成する１列目から７４列目の画素が、それぞれ、６６，１０６，１３８，１４８，１３５，１０３，５５，９５，１２７，１４３，１１７，６１，２９，４５，７７，１０９，８７，２３，７，１５，３９，７１，５７，１７，１，９，４１，８９，９９，５１，２７，３５，７５，１２３，１２９，１１３，８１，６５，１０５，１３７，１４７，１３６，１０４，５６，９６，１２８，１４４，１１８，６２，３０，４６，７８，１１０，８８，２４，８，１６，４０，７２，５８，１８，２，１０，４２，９０，１００，５２，２８，３６，７６，１２４，１３０，１１４，８２番目に点灯され、
（５７）矩形パターンの５７行目を構成する１列目から７４列目の画素が、それぞれ、５３，９３，１２５，１４１，１１９，６３，３１，４７，７９，１１１，８５，２１，５，１３，３７，６９，５９，１９，３，１１，４３，９１，９７，４９，２５，３３，７３，１２１，１３１，１１５，８３，６７，１０７，１３９，１４５，１３４，１０２，５４，９４，１２６，１４２，１２０，６４，３２，４８，８０，１１２，８６，２２，６，１４，３８，７０，６０，２０，４，１２，４４，９２，９８，５０，２６，３４，７４，１２２，１３２，１１６，８４，６８，１０８，１４０，１４６，１３３，１０１番目に点灯され、
（５８）矩形パターンの５８行目を構成する１列目から７４列目の画素が、それぞれ、２９，４５，７７，１０９，８７，２３，７，１５，３９，７１，５７，１７，１，９，４１，８９，９９，５１，２７，３５，７５，１２３，１２９，１１３，８１，６５，１０５，１３７，１４７，１３６，１０４，５６，９６，１２８，１４４，１１８，６２，３０，４６，７８，１１０，８８，２４，８，１６，４０，７２，５８，１８，２，１０，４２，９０，１００，５２，２８，３６，７６，１２４，１３０，１１４，８２，６６，１０６，１３８，１４８，１３５，１０３，５５，９５，１２７，１４３，１１７，６１番目に点灯され、
（５９）矩形パターンの５９行目を構成する１列目から７４列目の画素が、それぞれ、５，１３，３７，６９，５９，１９，３，１１，４３，９１，９７，４９，２５，３３，７３，１２１，１３１，１１５，８３，６７，１０７，１３９，１４５，１３４，１０２，５４，９４，１２６，１４２，１２０，６４，３２，４８，８０，１１２，８６，２２，６，１４，３８，７０，６０，２０，４，１２，４４，９２，９８，５０，２６，３４，７４，１２２，１３２，１１６，８４，６８，１０８，１４０，１４６，１３３，１０１，５３，９３，１２５，１４１，１１９，６３，３１，４７，７９，１１１，８５，２１番目に点灯され、
（６０）矩形パターンの６０行目を構成する１列目から７４列目の画素が、それぞれ、１，９，４１，８９，９９，５１，２７，３５，７５，１２３，１２９，１１３，８１，６５，１０５，１３７，１４７，１３６，１０４，５６，９６，１２８，１４４，１１８，６２，３０，４６，７８，１１０，８８，２４，８，１６，４０，７２，５８，１８，２，１０，４２，９０，１００，５２，２８，３６，７６，１２４，１３０，１１４，８２，６６，１０６，１３８，１４８，１３５，１０３，５５，９５，１２７，１４３，１１７，６１，２９，４５，７７，１０９，８７，２３，７，１５，３９，７１，５７，１７番目に点灯され、
（６１）矩形パターンの６１行目を構成する１列目から７４列目の画素が、それぞれ、２５，３３，７３，１２１，１３１，１１５，８３，６７，１０７，１３９，１４５，１３４，１０２，５４，９４，１２６，１４２，１２０，６４，３２，４８，８０，１１２，８６，２２，６，１４，３８，７０，６０，２０，４，１２，４４，９２，９８，５０，２６，３４，７４，１２２，１３２，１１６，８４，６８，１０８，１４０，１４６，１３３，１０１，５３，９３，１２５，１４１，１１９，６３，３１，４７，７９，１１１，８５，２１，５，１３，３７，６９，５９，１９，３，１１，４３，９１，９７，４９番目に点灯され、
（６２）矩形パターンの６２行目を構成する１列目から７４列目の画素が、それぞれ、８１，６５，１０５，１３７，１４７，１３６，１０４，５６，９６，１２８，１４４，１１８，６２，３０，４６，７８，１１０，８８，２４，８，１６，４０，７２，５８，１８，２，１０，４２，９０，１００，５２，２８，３６，７６，１２４，１３０，１１４，８２，６６，１０６，１３８，１４８，１３５，１０３，５５，９５，１２７，１４３，１１７，６１，２９，４５，７７，１０９，８７，２３，７，１５，３９，７１，５７，１７，１，９，４１，８９，９９，５１，２７，３５，７５，１２３，１２９，１１３番目に点灯され、
（６３）矩形パターンの６３行目を構成する１列目から７４列目の画素が、それぞれ、１０２，５４，９４，１２６，１４２，１２０，６４，３２，４８，８０，１１２，８６，２２，６，１４，３８，７０，６０，２０，４，１２，４４，９２，９８，５０，２６，３４，７４，１２２，１３２，１１６，８４，６８，１０８，１４０，１４６，１３３，１０１，５３，９３，１２５，１４１，１１９，６３，３１，４７，７９，１１１，８５，２１，５，１３，３７，６９，５９，１９，３，１１，４３，９１，９７，４９，２５，３３，７３，１２１，１３１，１１５，８３，６７，１０７，１３９，１４５，１３４番目に点灯され、
（６４）矩形パターンの６４行目を構成する１列目から７４列目の画素が、それぞれ、６２，３０，４６，７８，１１０，８８，２４，８，１６，４０，７２，５８，１８，２，１０，４２，９０，１００，５２，２８，３６，７６，１２４，１３０，１１４，８２，６６，１０６，１３８，１４８，１３５，１０３，５５，９５，１２７，１４３，１１７，６１，２９，４５，７７，１０９，８７，２３，７，１５，３９，７１，５７，１７，１，９，４１，８９，９９，５１，２７，３５，７５，１２３，１２９，１１３，８１，６５，１０５，１３７，１４７，１３６，１０４，５６，９６，１２８，１４４，１１８番目に点灯され、
（６５）矩形パターンの６５行目を構成する１列目から７４列目の画素が、それぞれ、２２，６，１４，３８，７０，６０，２０，４，１２，４４，９２，９８，５０，２６，３４，７４，１２２，１３２，１１６，８４，６８，１０８，１４０，１４６，１３３，１０１，５３，９３，１２５，１４１，１１９，６３，３１，４７，７９，１１１，８５，２１，５，１３，３７，６９，５９，１９，３，１１，４３，９１，９７，４９，２５，３３，７３，１２１，１３１，１１５，８３，６７，１０７，１３９，１４５，１３４，１０２，５４，９４，１２６，１４２，１２０，６４，３２，４８，８０，１１２，８６番目に点灯され、
（６６）矩形パターンの６６行目を構成する１列目から７４列目の画素が、それぞれ、１８，２，１０，４２，９０，１００，５２，２８，３６，７６，１２４，１３０，１１４，８２，６６，１０６，１３８，１４８，１３５，１０３，５５，９５，１２７，１４３，１１７，６１，２９，４５，７７，１０９，８７，２３，７，１５，３９，７１，５７，１７，１，９，４１，８９，９９，５１，２７，３５，７５，１２３，１２９，１１３，８１，６５，１０５，１３７，１４７，１３６，１０４，５６，９６，１２８，１４４，１１８，６２，３０，４６，７８，１１０，８８，２４，８，１６，４０，７２，５８番目に点灯され、
（６７）矩形パターンの６７行目を構成する１列目から７４列目の画素が、それぞれ、５０，２６，３４，７４，１２２，１３２，１１６，８４，６８，１０８，１４０，１４６，１３３，１０１，５３，９３，１２５，１４１，１１９，６３，３１，４７，７９，１１１，８５，２１，５，１３，３７，６９，５９，１９，３，１１，４３，９１，９７，４９，２５，３３，７３，１２１，１３１，１１５，８３，６７，１０７，１３９，１４５，１３４，１０２，５４，９４，１２６，１４２，１２０，６４，３２，４８，８０，１１２，８６，２２，６，１４，３８，７０，６０，２０，４，１２，４４，９２，９８番目に点灯され、
（６８）矩形パターンの６８行目を構成する１列目から７４列目の画素が、それぞれ、１１４，８２，６６，１０６，１３８，１４８，１３５，１０３，５５，９５，１２７，１４３，１１７，６１，２９，４５，７７，１０９，８７，２３，７，１５，３９，７１，５７，１７，１，９，４１，８９，９９，５１，２７，３５，７５，１２３，１２９，１１３，８１，６５，１０５，１３７，１４７，１３６，１０４，５６，９６，１２８，１４４，１１８，６２，３０，４６，７８，１１０，８８，２４，８，１６，４０，７２，５８，１８，２，１０，４２，９０，１００，５２，２８，３６，７６，１２４，１３０番目に点灯され、
（６９）矩形パターンの６９行目を構成する１列目から７４列目の画素が、それぞれ、１３３，１０１，５３，９３，１２５，１４１，１１９，６３，３１，４７，７９，１１１，８５，２１，５，１３，３７，６９，５９，１９，３，１１，４３，９１，９７，４９，２５，３３，７３，１２１，１３１，１１５，８３，６７，１０７，１３９，１４５，１３４，１０２，５４，９４，１２６，１４２，１２０，６４，３２，４８，８０，１１２，８６，２２，６，１４，３８，７０，６０，２０，４，１２，４４，９２，９８，５０，２６，３４，７４，１２２，１３２，１１６，８４，６８，１０８，１４０，１４６番目に点灯され、
（７０）矩形パターンの７０行目を構成する１列目から７４列目の画素が、それぞれ、１１７，６１，２９，４５，７７，１０９，８７，２３，７，１５，３９，７１，５７，１７，１，９，４１，８９，９９，５１，２７，３５，７５，１２３，１２９，１１３，８１，６５，１０５，１３７，１４７，１３６，１０４，５６，９６，１２８，１４４，１１８，６２，３０，４６，７８，１１０，８８，２４，８，１６，４０，７２，５８，１８，２，１０，４２，９０，１００，５２，２８，３６，７６，１２４，１３０，１１４，８２，６６，１０６，１３８，１４８，１３５，１０３，５５，９５，１２７，１４３番目に点灯され、
（７１）矩形パターンの７１行目を構成する１列目から７４列目の画素が、それぞれ、８５，２１，５，１３，３７，６９，５９，１９，３，１１，４３，９１，９７，４９，２５，３３，７３，１２１，１３１，１１５，８３，６７，１０７，１３９，１４５，１３４，１０２，５４，９４，１２６，１４２，１２０，６４，３２，４８，８０，１１２，８６，２２，６，１４，３８，７０，６０，２０，４，１２，４４，９２，９８，５０，２６，３４，７４，１２２，１３２，１１６，８４，６８，１０８，１４０，１４６，１３３，１０１，５３，９３，１２５，１４１，１１９，６３，３１，４７，７９，１１１番目に点灯され、
（７２）矩形パターンの７２行目を構成する１列目から７４列目の画素が、それぞれ、５７，１７，１，９，４１，８９，９９，５１，２７，３５，７５，１２３，１２９，１１３，８１，６５，１０５，１３７，１４７，１３６，１０４，５６，９６，１２８，１４４，１１８，６２，３０，４６，７８，１１０，８８，２４，８，１６，４０，７２，５８，１８，２，１０，４２，９０，１００，５２，２８，３６，７６，１２４，１３０，１１４，８２，６６，１０６，１３８，１４８，１３５，１０３，５５，９５，１２７，１４３，１１７，６１，２９，４５，７７，１０９，８７，２３，７，１５，３９，７１番目に点灯され、
（７３）矩形パターンの７３行目を構成する１列目から７４列目の画素が、それぞれ、９７，４９，２５，３３，７３，１２１，１３１，１１５，８３，６７，１０７，１３９，１４５，１３４，１０２，５４，９４，１２６，１４２，１２０，６４，３２，４８，８０，１１２，８６，２２，６，１４，３８，７０，６０，２０，４，１２，４４，９２，９８，５０，２６，３４，７４，１２２，１３２，１１６，８４，６８，１０８，１４０，１４６，１３３，１０１，５３，９３，１２５，１４１，１１９，６３，３１，４７，７９，１１１，８５，２１，５，１３，３７，６９，５９，１９，３，１１，４３，９１番目に点灯され、
（７４）矩形パターンの７４行目を構成する１列目から７４列目の画素が、それぞれ、１２９，１１３，８１，６５，１０５，１３７，１４７，１３６，１０４，５６，９６，１２８，１４４，１１８，６２，３０，４６，７８，１１０，８８，２４，８，１６，４０，７２，５８，１８，２，１０，４２，９０，１００，５２，２８，３６，７６，１２４，１３０，１１４，８２，６６，１０６，１３８，１４８，１３５，１０３，５５，９５，１２７，１４３，１１７，６１，２９，４５，７７，１０９，８７，２３，７，１５，３９，７１，５７，１７，１，９，４１，８９，９９，５１，２７，３５，７５，１２３番目に点灯されるように、５４７６個の画素の点灯順序が設定され、複数箇所から、互いに同一形状のドットがそれぞれ順番に成長するように画素の点灯順序が設定されているのである。
【０１００】
また、この２値化用パターン１２ｈも、２値化用パターン１２ｇと同様に、ディザ角度（スクリーン角度，網点角度）が９．５度、出力線数が９８．６ｌｐｉの２値化用パターンである。
なお、この２値化用パターン１２ｈを用いることにより、印刷を行なう多値画像（原画像）を構成する各画素の画素値（例えば、０〜２５５）を、それぞれ１４９段階（階調）で表すことができる。
【０１０１】
図２５に示す２値化用パターン１２ｉも、順次点灯される複数の画素をマトリクス状に配列した矩形パターンであって、２０行×２０列のマトリクス状に配列される４００個の画素によって構成され（矩形パターン）、各画素にそれぞれ点灯順序が設定されている。
そして、この２値化用パターン１２ｉにおいては、図２５に示すように、複数箇所（この２値化用パターン１２ｉにおいては、数値１が付されている画素）から互いに同一形状のドットがそれぞれ順番に成長するように、点灯順序が設定されている。
【０１０２】
この２値化用パターン１２ｉは、図２４に示す基本パターン１２５を縦方向および横方向にくり返し配置することによって形成されている。基本パターン１２５は、図２４に示すように、８行×７列の５６個の画素からなる矩形マトリクスを部分的に切り欠いて形成された欠落マトリクスであって、本実施形態においては、基本パターン１２５は、１行目の１列目〜３列目および７列目、２行目の７列目、３行目の７列目、６行目の１列目、７行目の１列目，６列目および７列目、８行目の１列目および３列目から７列目の各画素を切り欠いて構成されている。
【０１０３】
また、この基本パターン１２５においては、図２４に示すように、この基本パターン１２５における特定点（本実施形態では基本パターン１２５の図心）に最も近い画素から優先的に点灯させることにより、ドットがほぼ円形に成長するように点灯順序が設定されている。
この図２４に示す基本パターン１２５においては、数値の小さい方から大きい方に順番に色材が載せられるようになっており、これにより、基本パターン１２５の図心（特定点）付近から順番に、ほぼ円形にドットが成長するようになっていて、２値化用パターン１２ｉが、ドット集中型の２値化用パターン（２値化ディザマトリクスパターン；ディザパターン）として機能するのである。
【０１０４】
すなわち、基本パターン１２５は、８行×７列の欠落マトリクスにおいて、その１行目を構成する４列目から６列目の画素が、それぞれ、２９，３５，３９番目に点灯され、その２行目を構成する１列目から６列目の画素が、それぞれ、３７，２７，１５，１７，２５，３１番目に点灯され、その３行目を構成する１列目から６列目の画素が、それぞれ、３３，２１，９，７，１１，１９番目に点灯され、その４行目を構成する１列目から７列目の画素が、それぞれ、２８，１０，３，１，５，１３，２３番目に点灯され、その５行目を構成する１列目から７列目の画素が、それぞれ、２２，１２，４，２，６，１８，３４番目に点灯され、その６行目を構成する２列目から７列目の画素が、それぞれ、２６，１６，８，１４，３０，３８番目に点灯され、その７行目を構成する２列目から５列目の画素が、それぞれ、３６，３２，２４，２０番目に点灯され、その８行目を構成する２列目の画素が４０番目に点灯されるように形成されている。
【０１０５】
２値化用パターン１２ｉは、図２５に示すように、上述した基本パターン（欠落マトリクス）１２５を、その各欠落部分に、隣り合う基本パターン１２５を嵌めるように配置し、その縦方向（行方向）および横方向（列方向）において、点灯順序がくり返し連続するように隙間無く並べた後に、２０行×２０列の任意の矩形部分（図２５の太線参照）を切り出すことにより形成されている。
【０１０６】
そして、２値化用パターン１２ｉにおいては、この２値化用パターン１２ｉにそなえられた各基本パターン１２５から、互いに同一形状のドットがそれぞれ順番に成長するように、点灯順序が設定されているのである。
すなわち、２値化用パターン１２ｉは、
（１）矩形パターンの１行目を構成する１列目から２０列目の画素が、それぞれ、３７，２７，１５，１７，２５，３１，２８，１０，３，１，５，１３，２３，２６，１６，８，１４，３０，３８，４０番目に点灯され、
（２）矩形パターンの２行目を構成する１列目から２０列目の画素が、それぞれ、３３，２１，９，７，１１，１９，２２，１２，４，２，６，１８，３４，３６，３２，２４，２０，２９，３５，３９番目に点灯され、
（３）矩形パターンの３行目を構成する１列目から２０列目の画素が、それぞれ、２８，１０，３，１，５，１３，２３，２６，１６，８，１４，３０，３８，４０，３７，２７，１５，１７，２５，３１番目に点灯され、
（４）矩形パターンの４行目を構成する１列目から２０列目の画素が、それぞれ、２２，１２，４，２，６，１８，３４，３６，３２，２４，２０，２９，３５，３９，３３，２１，９，７，１１，１９番目に点灯され、
（５）矩形パターンの５行目を構成する１列目から２０列目の画素が、それぞれ、２３，２６，１６，８，１４，３０，３８，４０，３７，２７，１５，１７，２５，３１，２８，１０，３，１，５，１３番目に点灯され、
（６）矩形パターンの６行目を構成する１列目から２０列目の画素が、それぞれ、３４，３６，３２，２４，２０，２９，３５，３９，３３，２１，９，７，１１，１９，２２，１２，４，２，６，１８番目に点灯され、
（７）矩形パターンの７行目を構成する１列目から２０列目の画素が、それぞれ、３８，４０，３７，２７，１５，１７，２５，３１，２８，１０，３，１，５，１３，２３，２６，１６，８，１４，３０番目に点灯され、
（８）矩形パターンの８行目を構成する１列目から２０列目の画素が、それぞれ、３５，３９，３３，２１，９，７，１１，１９，２２，１２，４，２，６，１８，３４，３６，３２，２４，２０，２９番目に点灯され、
（９）矩形パターンの９行目を構成する１列目から２０列目の画素が、それぞれ、２５，３１，２８，１０，３，１，５，１３，２３，２６，１６，８，１４，３０，３８，４０，３７，２７，１５，１７番目に点灯され、
（１０）矩形パターンの１０行目を構成する１列目から２０列目の画素が、それぞれ、１１，１９，２２，１２，４，２，６，１８，３４，３６，３２，２４，２０，２９，３５，３９，３３，２１，９，７番目に点灯され、
（１１）矩形パターンの１１行目を構成する１列目から２０列目の画素が、それぞれ、５，１３，２３，２６，１６，８，１４，３０，３８，４０，３７，２７，１５，１７，２５，３１，２８，１０，３，１番目に点灯され、
（１２）矩形パターンの１２行目を構成する１列目から２０列目の画素が、それぞれ、６，１８，３４，３６，３２，２４，２０，２９，３５，３９，３３，２１，９，７，１１，１９，２２，１２，４，２番目に点灯され、
（１３）矩形パターンの１３行目を構成する１列目から２０列目の画素が、それぞれ、１４，３０，３８，４０，３７，２７，１５，１７，２５，３１，２８，１０，３，１，５，１３，２３，２６，１６，８番目に点灯され、
（１４）矩形パターンの１４行目を構成する１列目から２０列目の画素が、それぞれ、２０，２９，３５，３９，３３，２１，９，７，１１，１９，２２，１２，４，２，６，１８，３４，３６，３２，２４番目に点灯され、
（１５）矩形パターンの１５行目を構成する１列目から２０列目の画素が、それぞれ、１５，１７，２５，３１，２８，１０，３，１，５，１３，２３，２６，１６，８，１４，３０，３８，４０，３７，２７番目に点灯され、
（１６）矩形パターンの１６行目を構成する１列目から２０列目の画素が、それぞれ、９，７，１１，１９，２２，１２，４，２，６，１８，３４，３６，３２，２４，２０，２９，３５，３９，３３，２１番目に点灯され、
（１７）矩形パターンの１７行目を構成する１列目から２０列目の画素が、それぞれ、３，１，５，１３，２３，２６，１６，８，１４，３０，３８，４０，３７，２７，１５，１７，２５，３１，２８，１０番目に点灯され、
（１８）矩形パターンの１８行目を構成する１列目から２０列目の画素が、それぞれ、４，２，６，１８，３４，３６，３２，２４，２０，２９，３５，３９，３３，２１，９，７，１１，１９，２２，１２番目に点灯され、
（１９）矩形パターンの１９行目を構成する１列目から２０列目の画素が、それぞれ、１６，８，１４，３０，３８，４０，３７，２７，１５，１７，２５，３１，２８，１０，３，１，５，１３，２３，２６番目に点灯され、
（２０）矩形パターンの２０行目を構成する１列目から２０列目の画素が、それぞれ、３２，２４，２０，２９，３５，３９，３３，２１，９，７，１１，１９，２２，１２，４，２，６，１８，３４，３６番目に点灯されるように、４００個の画素の点灯順序が設定されている。
【０１０７】
また、２値化用パターン１２ｉにおいては、ディザ角度（スクリーン角度，網点角度）が１８．４度となるようになっている。すなわち、図２５に示す２値化用パターン１２ｉは、ディザ角度が１８．４度、出力線数が９４．９ｌｐｉの２値化用パターンである。
なお、この２値化用パターン１２ｉを用いることにより、印刷を行なう多値画像（原画像）を構成する各画素の画素値（例えば、０〜２５５）を、それぞれ４１段階（階調）で表わすことができる。
【０１０８】
図２６に示す２値化用パターン１２ｊは、４０行×４０列のマトリクス状に配列される１６００個の画素によって構成され、順次点灯される複数の画素をマトリクス状に配列した矩形パターンとして構成されたものであって、図２４に示した基本パターン１２５を縦方向および横方向に２つずつ、その欠落部分に、基本パターン１２５における図心に対して点対称の位置に相当する部分を嵌めるように配置し、その縦方向（行方向）および横方向（列方向）において、点灯順序がくり返し連続するように、隙間無く複数（本実施形態では縦方向と横方向に２つずつの計４つ）並べることによって構成したサブパターン１２５１を複数そなえて形成されている。なお、図２６中においては、便宜上、一部のサブパターン１２５１に斜線を付して示す。
【０１０９】
なお、以下、基本パターンを示す符号としては、複数の基本パターンのうち１つを特定する必要があるときには符号１２５−１〜１２５−ｎ（ｎは自然数）を用いるが、任意の基本パターンを指すときには符号１２５を用いる。又、以下、１つのサブパターン１２５１を構成する基本パターン１２５の個数をｍで表わす。すなわち、本実施形態においては、１≦ｎ≦ｍ（ｎ，ｍは自然数）という関係が成立する。
【０１１０】
図２６に示す２値化用パターン１２ｊにおいては、サブパターン１２５１は、１２５−１〜１２５−４の計４つの基本パターン１２５をそなえて構成されているので、ｎは１，２，３，４のうちのいずれか任意の自然数であり、ｍ＝４となる。
すなわち、サブパターン１２５１は、８行×７列の欠落マトリクスにおいて、その１行目を構成する４列目から６列目の画素が、それぞれ、ｎ＋２８×ｍ，ｎ＋３４×ｍ，ｎ＋３８×ｍ番目に点灯され、その２行目を構成する１列目から６列目の画素が、それぞれ、ｎ＋３６×ｍ，ｎ＋２６×ｍ，ｎ＋１４×ｍ，ｎ＋１６×ｍ，ｎ＋２４×ｍ，ｎ＋３０×ｍ番目に点灯され、その３行目を構成する１列目から６列目の画素が、それぞれ、ｎ＋３２×ｍ，ｎ＋２０×ｍ，ｎ＋８×ｍ，ｎ＋６×ｍ，ｎ＋１０×ｍ，ｎ＋１８×ｍ番目に点灯され、その４行目を構成する１列目から７列目の画素が、それぞれ、ｎ＋２７×ｍ，ｎ＋９×ｍ，ｎ＋２×ｍ，ｎ，ｎ＋４×ｍ，ｎ＋１２×ｍ，ｎ＋２２×ｍ番目に点灯され、その５行目を構成する１列目から７列目の画素が、それぞれ、ｎ＋２１×ｍ，ｎ＋１１×ｍ，ｎ＋３×ｍ，ｎ＋ｍ，ｎ＋５×ｍ，ｎ＋１７×ｍ，ｎ＋３３×ｍ番目に点灯され、その６行目を構成する２列目から７列目の画素が、それぞれ、ｎ＋２５×ｍ，ｎ＋１５×ｍ，ｎ＋７×ｍ，ｎ＋１３×ｍ，ｎ＋２９×ｍ，ｎ＋３７×ｍ番目に点灯され、その７行目を構成する２列目から５列目の画素が、それぞれ、ｎ＋３５×ｍ，ｎ＋３１×ｍ，ｎ＋２３×ｍ，ｎ＋１９×ｍ番目に点灯され、その８行目を構成する２列目の画素がｎ＋３９×ｍ番目に点灯されるように形成された基本パターン１２５（１２５−１〜１２５−ｎ；ただし、１≦ｎ≦ｍ）をｍ個（ｍ＝４）並べることによって形成されている。
【０１１１】
また、図２６において斜線を付して示すサブパターン１２５１においては、基本パターン１２５−１の下側に基本パターン１２５−２が配置され、基本パターン１２５−１の右側に基本パターン１２５−３が、又、基本パターン１２５−３の下側に基本パターン１２５−４が配置されている。なお、サブパターン１２５１における、かかる基本パターン１２５の配置は、これに限定されるものではなく、本発明の趣旨を逸脱しない範囲で種々変形して実施することができる。
【０１１２】
２値化用パターン１２ｊは、このようなサブパターン１２５１を、縦方向および横方向に、縦方向において隣接する他のサブパターン１２５１における基本パターン１２５−２および基本パターン１２５−４の欠落部分に、基本パターン１２５−１および基本パターン１２５−３を嵌めるように配置し、その縦方向（行方向）および横方向（列方向）において、点灯順序がくり返し連続するように隙間無く複数並べた後に、４０行×４０列の任意の矩形部分を切り出すことにより形成されている。
【０１１３】
そして、２値化用パターン１２ｊは、上述したサブパターン１２５１を複数そなえて構成され、これらの複数のサブパターン１２５１から、互いに同一形状のドットがそれぞれ順番に成長するように画素の点灯順序が設定されているのである。
すなわち、２値化用パターン１２ｊにおいては、図２６に示すように、
（１）矩形パターンの１行目を構成する１列目から４０列目の画素が、それぞれ、１５７，１４６，１０６，５８，６６，９８，１２２，１１２，４０，１２，４，２０，５２，９２，１０２，６２，３０，５４，１１８，１５０，１６０，１４７，１０７，５９，６７，９９，１２３，１０９，３７，９，１，１７，４９，８９，１０３，６３，３１，５５，１１９，１５１番目に点灯され、
（２）矩形パターンの２行目を構成する１列目から４０列目の画素が、それぞれ、１５６，１３０，８２，３４，２６，４２，７４，８８，４８，１６，８，２４，７２，１３６，１４２，１２６，９４，７８，１１３，１３７，１５３，１３１，８３，３５，２７，４３，７５，８５，４５，１３，５，２１，６９，１３３，１４３，１２７，９５，７９，１１６，１４０番目に点灯され、
（３）矩形パターンの３行目を構成する１列目から４０列目の画素が、それぞれ、１２４，１１０，３８，１０，２，１８，５０，９０，１０４，６４，３２，５６，１２０，１５２，１５８，１４５，１０５，５７，６５，９７，１２１，１１１，３９，１１，３，１９，５１，９１，１０１，６１，２９，５３，１１７，１４９，１５９，１４８，１０８，６０，６８，１００番目に点灯され、
（４）矩形パターンの４行目を構成する１列目から４０列目の画素が、それぞれ、７６，８６，４６，１４，６，２２，７０，１３４，１４４，１２８，９６，８０，１１５，１３９，１５５，１２９，８１，３３，２５，４１，７３，８７，４７，１５，７，２３，７１，１３５，１４１，１２５，９３，７７，１１４，１３８，１５４，１３２，８４，３６，２８，４４番目に点灯され、
（５）矩形パターンの５行目を構成する１列目から４０列目の画素が、それぞれ、５２，９２，１０２，６２，３０，５４，１１８，１５０，１６０，１４７，１０７，５９，６７，９９，１２３，１０９，３７，９，１，１７，４９，８９，１０３，６３，３１，５５，１１９，１５１，１５７，１４６，１０６，５８，６６，９８，１２２，１１２，４０，１２，４，２０番目に点灯され、
（６）矩形パターンの６行目を構成する１列目から４０列目の画素が、それぞれ、７２，１３６，１４２，１２６，９４，７８，１１３，１３７，１５３，１３１，８３，３５，２７，４３，７５，８５，４５，１３，５，２１，６９，１３３，１４３，１２７，９５，７９，１１６，１４０，１５６，１３０，８２，３４，２６，４２，７４，８８，４８，１６，８，２４番目に点灯され、
（７）矩形パターンの７行目を構成する１列目から４０列目の画素が、それぞれ、１２０，１５２，１５８，１４５，１０５，５７，６５，９７，１２１，１１１，３９，１１，３，１９，５１，９１，１０１，６１，２９，５３，１１７，１４９，１５９，１４８，１０８，６０，６８，１００，１２４，１１０，３８，１０，２，１８，５０，９０，１０４，６４，３２，５６番目に点灯され、
（８）矩形パターンの８行目を構成する１列目から４０列目の画素が、それぞれ、１１５，１３９，１５５，１２９，８１，３３，２５，４１，７３，８７，４７，１５，７，２３，７１，１３５，１４１，１２５，９３，７７，１１４，１３８，１５４，１３２，８４，３６，２８，４４，７６，８６，４６，１４，６，２２，７０，１３４，１４４，１２８，９６，８０番目に点灯され、
（９）矩形パターンの９行目を構成する１列目から４０列目の画素が、それぞれ、６７，９９，１２３，１０９，３７，９，１，１７，４９，８９，１０３，６３，３１，５５，１１９，１５１，１５７，１４６，１０６，５８，６６，９８，１２２，１１２，４０，１２，４，２０，５２，９２，１０２，６２，３０，５４，１１８，１５０，１６０，１４７，１０７，５９番目に点灯され、
（１０）矩形パターンの１０行目を構成する１列目から４０列目の画素が、それぞれ、２７，４３，７５，８５，４５，１３，５，２１，６９，１３３，１４３，１２７，９５，７９，１１６，１４０，１５６，１３０，８２，３４，２６，４２，７４，８８，４８，１６，８，２４，７２，１３６，１４２，１２６，９４，７８，１１３，１３７，１５３，１３１，８３，３５番目に点灯され、
（１１）矩形パターンの１１行目を構成する１列目から４０列目の画素が、それぞれ、３，１９，５１，９１，１０１，６１，２９，５３，１１７，１４９，１５９，１４８，１０８，６０，６８，１００，１２４，１１０，３８，１０，２，１８，５０，９０，１０４，６４，３２，５６，１２０，１５２，１５８，１４５，１０５，５７，６５，９７，１２１，１１１，３９，１１番目に点灯され、
（１２）矩形パターンの１２行目を構成する１列目から４０列目の画素が、それぞれ、７，２３，７１，１３５，１４１，１２５，９３，７７，１１４，１３８，１５４，１３２，８４，３６，２８，４４，７６，８６，４６，１４，６，２２，７０，１３４，１４４，１２８，９６，８０，１１５，１３９，１５５，１２９，８１，３３，２５，４１，７３，８７，４７，１５番目に点灯され、
（１３）矩形パターンの１３行目を構成する１列目から４０列目の画素が、それぞれ、３１，５５，１１９，１５１，１５７，１４６，１０６，５８，６６，９８，１２２，１１２，４０，１２，４，２０，５２，９２，１０２，６２，３０，５４，１１８，１５０，１６０，１４７，１０７，５９，６７，９９，１２３，１０９，３７，９，１，１７，４９，８９，１０３，６３番目に点灯され、
（１４）矩形パターンの１４行目を構成する１列目から４０列目の画素が、それぞれ、９５，７９，１１６，１４０，１５６，１３０，８２，３４，２６，４２，７４，８８，４８，１６，８，２４，７２，１３６，１４２，１２６，９４，７８，１１３，１３７，１５３，１３１，８３，３５，２７，４３，７５，８５，４５，１３，５，２１，６９，１３３，１４３，１２７番目に点灯され、
（１５）矩形パターンの１５行目を構成する１列目から４０列目の画素が、それぞれ、１０８，６０，６８，１００，１２４，１１０，３８，１０，２，１８，５０，９０，１０４，６４，３２，５６，１２０，１５２，１５８，１４５，１０５，５７，６５，９７，１２１，１１１，３９，１１，３，１９，５１，９１，１０１，６１，２９，５３，１１７，１４９，１５９，１４８番目に点灯され、
（１６）矩形パターンの１６行目を構成する１列目から４０列目の画素が、それぞれ、８４，３６，２８，４４，７６，８６，４６，１４，６，２２，７０，１３４，１４４，１２８，９６，８０，１１５，１３９，１５５，１２９，８１，３３，２５，４１，７３，８７，４７，１５，７，２３，７１，１３５，１４１，１２５，９３，７７，１１４，１３８，１５４，１３２番目に点灯され、
（１７）矩形パターンの１７行目を構成する１列目から４０列目の画素が、それぞれ、４０，１２，４，２０，５２，９２，１０２，６２，３０，５４，１１８，１５０，１６０，１４７，１０７，５９，６７，９９，１２３，１０９，３７，９，１，１７，４９，８９，１０３，６３，３１，５５，１１９，１５１，１５７，１４６，１０６，５８，６６，９８，１２２，１１２番目に点灯され、
（１８）矩形パターンの１８行目を構成する１列目から４０列目の画素が、それぞれ、４８，１６，８，２４，７２，１３６，１４２，１２６，９４，７８，１１３，１３７，１５３，１３１，８３，３５，２７，４３，７５，８５，４５，１３，５，２１，６９，１３３，１４３，１２７，９５，７９，１１６，１４０，１５６，１３０，８２，３４，２６，４２，７４，８８番目に点灯され、
（１９）矩形パターンの１９行目を構成する１列目から４０列目の画素が、それぞれ、１０４，６４，３２，５６，１２０，１５２，１５８，１４５，１０５，５７，６５，９７，１２１，１１１，３９，１１，３，１９，５１，９１，１０１，６１，２９，５３，１１７，１４９，１５９，１４８，１０８，６０，６８，１００，１２４，１１０，３８，１０，２，１８，５０，９０番目に点灯され、
（２０）矩形パターンの２０行目を構成する１列目から４０列目の画素が、それぞれ、１４４，１２８，９６，８０，１１５，１３９，１５５，１２９，８１，３３，２５，４１，７３，８７，４７，１５，７，２３，７１，１３５，１４１，１２５，９３，７７，１１４，１３８，１５４，１３２，８４，３６，２８，４４，７６，８６，４６，１４，６，２２，７０，１３４番目に点灯され、
（２１）矩形パターンの２１行目を構成する１列目から４０列目の画素が、それぞれ、１６０，１４７，１０７，５９，６７，９９，１２３，１０９，３７，９，１，１７，４９，８９，１０３，６３，３１，５５，１１９，１５１，１５７，１４６，１０６，５８，６６，９８，１２２，１１２，４０，１２，４，２０，５２，９２，１０２，６２，３０，５４，１１８，１５０番目に点灯され、
（２２）矩形パターンの２２行目を構成する１列目から４０列目の画素が、それぞれ、１５３，１３１，８３，３５，２７，４３，７５，８５，４５，１３，５，２１，６９，１３３，１４３，１２７，９５，７９，１１６，１４０，１５６，１３０，８２，３４，２６，４２，７４，８８，４８，１６，８，２４，７２，１３６，１４２，１２６，９４，７８，１１３，１３７番目に点灯され、
（２３）矩形パターンの２３行目を構成する１列目から４０列目の画素が、それぞれ、１２１，１１１，３９，１１，３，１９，５１，９１，１０１，６１，２９，５３，１１７，１４９，１５９，１４８，１０８，６０，６８，１００，１２４，１１０，３８，１０，２，１８，５０，９０，１０４，６４，３２，５６，１２０，１５２，１５８，１４５，１０５，５７，６５，９７番目に点灯され、
（２４）矩形パターンの２４行目を構成する１列目から４０列目の画素が、それぞれ、７３，８７，４７，１５，７，２３，７１，１３５，１４１，１２５，９３，７７，１１４，１３８，１５４，１３２，８４，３６，２８，４４，７６，８６，４６，１４，６，２２，７０，１３４，１４４，１２８，９６，８０，１１５，１３９，１５５，１２９，８１，３３，２５，４１番目に点灯され、
（２５）矩形パターンの２５行目を構成する１列目から４０列目の画素が、それぞれ、４９，８９，１０３，６３，３１，５５，１１９，１５１，１５７，１４６，１０６，５８，６６，９８，１２２，１１２，４０，１２，４，２０，５２，９２，１０２，６２，３０，５４，１１８，１５０，１６０，１４７，１０７，５９，６７，９９，１２３，１０９，３７，９，１，１７番目に点灯され、
（２６）矩形パターンの２６行目を構成する１列目から４０列目の画素が、それぞれ、６９，１３３，１４３，１２７，９５，７９，１１６，１４０，１５６，１３０，８２，３４，２６，４２，７４，８８，４８，１６，８，２４，７２，１３６，１４２，１２６，９４，７８，１１３，１３７，１５３，１３１，８３，３５，２７，４３，７５，８５，４５，１３，５，２１番目に点灯され、
（２７）矩形パターンの２７行目を構成する１列目から４０列目の画素が、それぞれ、１１７，１４９，１５９，１４８，１０８，６０，６８，１００，１２４，１１０，３８，１０，２，１８，５０，９０，１０４，６４，３２，５６，１２０，１５２，１５８，１４５，１０５，５７，６５，９７，１２１，１１１，３９，１１，３，１９，５１，９１，１０１，６１，２９，５３番目に点灯され、
（２８）矩形パターンの２８行目を構成する１列目から４０列目の画素が、それぞれ、１１４，１３８，１５４，１３２，８４，３６，２８，４４，７６，８６，４６，１４，６，２２，７０，１３４，１４４，１２８，９６，８０，１１５，１３９，１５５，１２９，８１，３３，２５，４１，７３，８７，４７，１５，７，２３，７１，１３５，１４１，１２５，９３，７７番目に点灯され、
（２９）矩形パターンの２９行目を構成する１列目から４０列目の画素が、それぞれ、６６，９８，１２２，１１２，４０，１２，４，２０，５２，９２，１０２，６２，３０，５４，１１８，１５０，１６０，１４７，１０７，５９，６７，９９，１２３，１０９，３７，９，１，１７，４９，８９，１０３，６３，３１，５５，１１９，１５１，１５７，１４６，１０６，５８番目に点灯され、
（３０）矩形パターンの３０行目を構成する１列目から４０列目の画素が、それぞれ、２６，４２，７４，８８，４８，１６，８，２４，７２，１３６，１４２，１２６，９４，７８，１１３，１３７，１５３，１３１，８３，３５，２７，４３，７５，８５，４５，１３，５，２１，６９，１３３，１４３，１２７，９５，７９，１１６，１４０，１５６，１３０，８２，３４番目に点灯され、
（３１）矩形パターンの３１行目を構成する１列目から４０列目の画素が、それぞれ、２，１８，５０，９０，１０４，６４，３２，５６，１２０，１５２，１５８，１４５，１０５，５７，６５，９７，１２１，１１１，３９，１１，３，１９，５１，９１，１０１，６１，２９，５３，１１７，１４９，１５９，１４８，１０８，６０，６８，１００，１２４，１１０，３８，１０番目に点灯され、
（３２）矩形パターンの３２行目を構成する１列目から４０列目の画素が、それぞれ、６，２２，７０，１３４，１４４，１２８，９６，８０，１１５，１３９，１５５，１２９，８１，３３，２５，４１，７３，８７，４７，１５，７，２３，７１，１３５，１４１，１２５，９３，７７，１１４，１３８，１５４，１３２，８４，３６，２８，４４，７６，８６，４６，１４番目に点灯され、
（３３）矩形パターンの３３行目を構成する１列目から４０列目の画素が、それぞれ、３０，５４，１１８，１５０，１６０，１４７，１０７，５９，６７，９９，１２３，１０９，３７，９，１，１７，４９，８９，１０３，６３，３１，５５，１１９，１５１，１５７，１４６，１０６，５８，６６，９８，１２２，１１２，４０，１２，４，２０，５２，９２，１０２，６２番目に点灯され、
（３４）矩形パターンの３４行目を構成する１列目から４０列目の画素が、それぞれ、９４，７８，１１３，１３７，１５３，１３１，８３，３５，２７，４３，７５，８５，４５，１３，５，２１，６９，１３３，１４３，１２７，９５，７９，１１６，１４０，１５６，１３０，８２，３４，２６，４２，７４，８８，４８，１６，８，２４，７２，１３６，１４２，１２６番目に点灯され、
（３５）矩形パターンの３５行目を構成する１列目から４０列目の画素が、それぞれ、１０５，５７，６５，９７，１２１，１１１，３９，１１，３，１９，５１，９１，１０１，６１，２９，５３，１１７，１４９，１５９，１４８，１０８，６０，６８，１００，１２４，１１０，３８，１０，２，１８，５０，９０，１０４，６４，３２，５６，１２０，１５２，１５８，１４５番目に点灯され、
（３６）矩形パターンの３６行目を構成する１列目から４０列目の画素が、それぞれ、８１，３３，２５，４１，７３，８７，４７，１５，７，２３，７１，１３５，１４１，１２５，９３，７７，１１４，１３８，１５４，１３２，８４，３６，２８，４４，７６，８６，４６，１４，６，２２，７０，１３４，１４４，１２８，９６，８０，１１５，１３９，１５５，１２９番目に点灯され、
（３７）矩形パターンの３７行目を構成する１列目から４０列目の画素が、それぞれ、３７，９，１，１７，４９，８９，１０３，６３，３１，５５，１１９，１５１，１５７，１４６，１０６，５８，６６，９８，１２２，１１２，４０，１２，４，２０，５２，９２，１０２，６２，３０，５４，１１８，１５０，１６０，１４７，１０７，５９，６７，９９，１２３，１０９番目に点灯され、
（３８）矩形パターンの３８行目を構成する１列目から４０列目の画素が、それぞれ、４５，１３，５，２１，６９，１３３，１４３，１２７，９５，７９，１１６，１４０，１５６，１３０，８２，３４，２６，４２，７４，８８，４８，１６，８，２４，７２，１３６，１４２，１２６，９４，７８，１１３，１３７，１５３，１３１，８３，３５，２７，４３，７５，８５番目に点灯され、
（３９）矩形パターンの３９行目を構成する１列目から４０列目の画素が、それぞれ、１０１，６１，２９，５３，１１７，１４９，１５９，１４８，１０８，６０，６８，１００，１２４，１１０，３８，１０，２，１８，５０，９０，１０４，６４，３２，５６，１２０，１５２，１５８，１４５，１０５，５７，６５，９７，１２１，１１１，３９，１１，３，１９，５１，９１番目に点灯され、
（４０）矩形パターンの４０行目を構成する１列目から４０列目の画素が、それぞれ、１４１，１２５，９３，７７，１１４，１３８，１５４，１３２，８４，３６，２８，４４，７６，８６，４６，１４，６，２２，７０，１３４，１４４，１２８，９６，８０，１１５，１３９，１５５，１２９，８１，３３，２５，４１，７３，８７，４７，１５，７，２３，７１，１３５番目に点灯されるように、１６００個の画素の点灯順序が設定され、複数箇所から、互いに同一形状のドットがそれぞれ順番に成長するように画素の点灯順序が設定されているのである。
【０１１４】
また、この２値化用パターン１２ｊも、２値化用パターン１２ｉと同様に、ディザ角度（スクリーン角度，網点角度）が１８．４度、出力線数が９４．９ｌｐｉの２値化用パターンである。
なお、この２値化用パターン１２ｊを用いることにより、印刷を行なう多値画像（原画像）を構成する各画素の画素値（例えば、０〜２５５）を、それぞれ１６１段階（階調）で表すことができる。
【０１１５】
そして、上述のごとき各２値化用パターン１２ｂ〜１２ｊを用いた場合においても、前述した２値化用パターン１２ａを用いて行なった手法と同様の処理を行なうことにより、ドットデータ生成部１４は、２値化パターン１２ｂ〜ｊにおける、点灯順序の開始画素から所定の点灯順番が設定された画素までを点灯順序に従って選択して、色材を形成する画素を決定し、ドットデータを作成する。そして、画像形成部１５は、この作成されたドットデータに従って画像の形成（印刷）を行なう（画像形成ステップ）のである。
【０１１６】
すなわち、２値化ディザマトリクスパターンとして、１２ａ，１２ｂ，１２ｃ，１２ｄ，１２ｅ，１２ｆ，１２ｇ，１２ｈ，１２ｉ，１２ｊのいずれを用いても、本発明の印刷方法（印刷装置，印刷プログラム，２値化プログラム、およびこれらの印刷プログラムもしくは２値化プログラムを記録したコンピュータ読取可能な記録媒体）を実現することができる。
【０１１７】
そして、これらの２値化用パターン１２ｂ，１２ｃ，１２ｄ，１２ｅ，１２ｆ，１２ｇ，１２ｈ，１２ｉ，１２ｊを用いても、前述した２値化用パターン１２ａを用いた場合と同様の作用・効果を得ることができる。なお、２値化用パターン１２ｂ，１２ｃ，１２ｄ，１２ｅ，１２ｆ，１２ｇ，１２ｈ，１２ｉ，１２ｊにおいても、ディザ角度が１５度に近い角度、すなわち、１１４．０度，１８．４度，１１．３度，９．５度および１８．４度のいずれかになるので、印刷装置３の機構上の特性（例えば、印刷エンジンに使用されている弾性部材の伸び縮み等）が原因で、印刷物に生じる原画像にはない縦縞模様やモアレ等を目立たなくさせることができる。
【０１１８】
また、上述した２値化用パターン１２ａ〜１２ｊにおいては、点灯順序が小さいものから大きいものに向かって順番に色材を定着させるようになっているが、これに限定されるものではなく、上述した各２値化用パターン１２ａ〜１２ｊとは反対に点灯順序を設定し、点灯順序が大きいものから小さいものに向かって順番に色材を定着させてもよい。
【０１１９】
さらに、上述した色演算部１０，画像信号メモリ１１，階調特性変更部１３，パターンメモリ１２およびドットデータ生成部１４は、本印刷システム１において、印刷装置３の外部（例えば、ＰＣ２や本印刷装置３に接続された他の機器（図示省略）にそなえてもよく、これらのＰＣ２のＣＰＵ等（コンピュータ）がプログラム（２値化用パターン１２ａ〜１２ｊを作成するプログラムを含む）を実行することにより、色演算部１０，画像信号メモリ１１，階調特性変更部１３，パターンメモリ１２およびドットデータ生成部１４のうち少なくとも一部の機能を実現してもよい。
【０１２０】
また、上述した各２値化用パターン１２ｂ，１２ｄ，１２ｆ，１２ｈおよび１２ｊにおいては、ｍ，ｎの各値は上述した実施形態に限定されるものではなく、本発明の趣旨を逸脱しない範囲で種々の数値を用いてもよく、特に、ｍには平方数を用いることが望ましい。
なお、本発明の各実施形態が開示されていれば、当業者によって本装置を製造することが可能であり、更には、本方法の実施も可能である。
そして、本発明の印刷方法は、以下に示すように要約することができる。
【０１２１】
（付記１）  多値画像を記憶領域に展開する展開ステップと、
該記憶領域に展開された多値画像を、２値化ディザマトリクスパターンに基づいて２値化し、その２値化結果に基づいて画像を形成する画像形成ステップとをそなえ、
該２値化ディザマトリクスパターンが、順次点灯される複数の画素をマトリクス状に配列した矩形パターンとして構成され、当該矩形パターンが、４行×３列の欠落マトリクスにおいて、その１行目を構成する１列目から３列目の画素が、それぞれ、７，５，９番目に点灯され、その２行目を構成する１列目から３列目の画素が、それぞれ、４，１，３番目に点灯され、その３行目を構成する１列目から３列目の画素が、それぞれ、６，２，８番目に点灯され、その４行目を構成する１列目の画素が１０番目に点灯されるように形成された基本パターンを複数そなえて構成され、複数箇所から、互いに同一形状のドットがそれぞれ順番に成長するように該画素の点灯順序を設定されたものであることを特徴とする、印刷方法。
【０１２２】
（付記２）  多値画像を記憶領域に展開する展開ステップと、
該記憶領域に展開された多値画像を、２値化ディザマトリクスパターンに基づいて２値化し、その２値化結果に基づいて画像を形成する画像形成ステップとをそなえ、
該２値化ディザマトリクスパターンが、順次点灯される複数の画素をマトリクス状に配列した矩形パターンとして構成され、当該矩形パターンが、４行×３列の欠落マトリクスにおいて、その１行目を構成する１列目から３列目の画素が、それぞれ、ｎ＋６×ｍ，ｎ＋４×ｍ，ｎ＋８×ｍ番目に点灯され、その２行目を構成する１列目から３列目の画素が、それぞれ、ｎ＋３×ｍ，ｎ，ｎ＋２×ｍ番目に点灯され、その３行目を構成する１列目から３列目の画素が、それぞれ、ｎ＋５×ｍ，ｎ＋ｍ，ｎ＋７×ｍ番目に点灯され、その４行目を構成する１列目の画素がｎ＋９×ｍ番目に点灯されるように形成された基本パターン（ただし、ｎは任意の自然数）をｍ個（ただし、ｍは任意の自然数）並べることによって形成されたサブパターンを複数そなえて構成され、当該複数のサブパターンから、互いに同一形状のドットがそれぞれ順番に成長するように該画素の点灯順序を設定されたものであることを特徴とする、印刷方法。
【０１２３】
（付記３）  多値画像を記憶領域に展開する展開ステップと、
該記憶領域に展開された多値画像を、２値化ディザマトリクスパターンに基づいて２値化し、その２値化結果に基づいて画像を形成する画像形成ステップとをそなえ、
該２値化ディザマトリクスパターンが、順次点灯される複数の画素をマトリクス状に配列した矩形パターンとして構成され、当該矩形パターンが、５行×４列の欠落マトリクスにおいて、その１行目を構成する１列目から４列目の画素が、それぞれ、１４，６，１２，１６番目に点灯され、その２行目を構成する１列目から４列目の画素が、それぞれ、１０，２，４，８番目に点灯され、その３行目を構成する１列目から４列目の画素が、それぞれ、５，１，３，１１番目に点灯され、その４行目を構成する１列目から４列目の画素が、それぞれ、１３，９，７，１５番目に点灯され、その５行目を構成する１列目の画素が１７番目に点灯されるように形成された基本パターンを複数そなえて構成され、複数箇所から、互いに同一形状のドットがそれぞれ順番に成長するように該画素の点灯順序を設定されたものであることを特徴とする、印刷方法。
【０１２４】
（付記４）  多値画像を記憶領域に展開する展開ステップと、
該記憶領域に展開された多値画像を、２値化ディザマトリクスパターンに基づいて２値化し、その２値化結果に基づいて画像を形成する画像形成ステップとをそなえ、
該２値化ディザマトリクスパターンが、順次点灯される複数の画素をマトリクス状に配列した矩形パターンとして構成され、当該矩形パターンが、５行×４列の欠落マトリクスにおいて、その１行目を構成する１列目から４列目の画素が、それぞれ、ｎ＋１３×ｍ，ｎ＋５×ｍ，ｎ＋１１×ｍ番目，ｎ＋１５×ｍに点灯され、その２行目を構成する１列目から４列目の画素が、それぞれ、ｎ＋９×ｍ，ｎ＋ｍ，ｎ＋３×ｍ，ｎ＋７×ｍ番目に点灯され、その３行目を構成する１列目から４列目の画素が、それぞれ、ｎ＋４×ｍ，ｎ，ｎ＋２×ｍ，ｎ＋１０×ｍ番目に点灯され、その４行目を構成する１列目から４列目の画素が、それぞれ、ｎ＋１２×ｍ，ｎ＋８×ｍ，ｎ＋６×ｍ，ｎ＋１４×ｍ番目に点灯され、その５行目を構成する１列目の画素がｎ＋１６×ｍ番目に点灯されるように形成された基本パターン（ただし、ｎは任意の自然数）をｍ個（ただし、ｍは任意の自然数）並べることによって形成されたサブパターンを複数そなえて構成され、当該複数のサブパターンから、互いに同一形状のドットがそれぞれ順番に成長するように該画素の点灯順序を設定されたものであることを特徴とする、印刷方法。
【０１２５】
（付記５）  多値画像を記憶領域に展開する展開ステップと、
該記憶領域に展開された多値画像を、２値化ディザマトリクスパターンに基づいて２値化し、その２値化結果に基づいて画像を形成する画像形成ステップとをそなえ、
該２値化ディザマトリクスパターンが、順次点灯される複数の画素をマトリクス状に配列した矩形パターンとして構成され、当該矩形パターンが、６行×５列の欠落マトリクスにおいて、その１行目を構成する１列目から５列目の画素が、それぞれ、２３，１５，１３，２１，２５番目に点灯され、その２行目を構成する１列目から５列目の画素が、それぞれ、１９，７，５，９，１７番目に点灯され、その３行目を構成する１列目から５列目の画素が、それぞれ、１２，４，１，３，１１番目に点灯され、その４行目を構成する１列目から５列目の画素が、それぞれ、１４，６，２，８，２０番目に点灯され、その５行目を構成する１列目から５列目の画素が、それぞれ、２２，１８，１０，１６，２４番目に点灯され、その６行目を構成する１列目の画素が２６番目に点灯されるように形成された基本パターンを複数そなえて構成され、複数箇所から、互いに同一形状のドットがそれぞれ順番に成長するように該画素の点灯順序を設定されたものであることを特徴とする、印刷方法。
【０１２６】
（付記６）  多値画像を記憶領域に展開する展開ステップと、
該記憶領域に展開された多値画像を、２値化ディザマトリクスパターンに基づいて２値化し、その２値化結果に基づいて画像を形成する画像形成ステップとをそなえ、
該２値化ディザマトリクスパターンが、順次点灯される複数の画素をマトリクス状に配列した矩形パターンとして構成され、当該矩形パターンが、６行×５列の欠落マトリクスにおいて、その１行目を構成する１列目から５列目の画素が、それぞれ、ｎ＋２２×ｍ，ｎ＋１４×ｍ，ｎ＋１２×ｍ，ｎ＋２０×ｍ，ｎ＋２４×ｍ番目に点灯され、その２行目を構成する１列目から５列目の画素が、それぞれ、ｎ＋１８×ｍ，ｎ＋６×ｍ，ｎ＋４×ｍ，ｎ＋８×ｍ，ｎ＋１６×ｍ番目に点灯され、その３行目を構成する１列目から５列目の画素が、それぞれ、ｎ＋１１×ｍ，ｎ＋３×ｍ，ｎ，ｎ＋２×ｍ，ｎ＋１０×ｍ番目に点灯され、その４行目を構成する１列目から５列目の画素が、それぞれ、ｎ＋１３×ｍ，ｎ＋５×ｍ，ｎ＋ｍ，ｎ＋７×ｍ，ｎ＋１９×ｍ番目に点灯され、その５行目を構成する１列目から５列目の画素が、それぞれ、ｎ＋２１×ｍ，ｎ＋１７×ｍ，ｎ＋９×ｍ，ｎ＋１５×ｍ，ｎ＋２３×ｍ番目に点灯され、その６行目を構成する１列目の画素がｎ＋２５×ｍ番目に点灯されるように形成された基本パターン（ただし、ｎは任意の自然数）をｍ個（ただし、ｍは任意の自然数）並べることによって形成されたサブパターンを複数そなえて構成され、当該複数のサブパターンから、互いに同一形状のドットがそれぞれ順番に成長するように該画素の点灯順序を設定されたものであることを特徴とする、印刷方法。
【０１２７】
（付記７）  多値画像を記憶領域に展開する展開ステップと、
該記憶領域に展開された多値画像を、２値化ディザマトリクスパターンに基づいて２値化し、その２値化結果に基づいて画像を形成する画像形成ステップとをそなえ、
該２値化ディザマトリクスパターンが、順次点灯される複数の画素をマトリクス状に配列した矩形パターンとして構成され、当該矩形パターンが、７行×６列の欠落マトリクスにおいて、その１行目を構成する１列目から６列目の画素が、それぞれ、３４，２６，１４，２４，３２，３６番目に点灯され、その２行目を構成する１列目から６列目の画素が、それぞれ、３０，１６，８，１２，２０，２８番目に点灯され、その３行目を構成する１列目から６列目の画素が、それぞれ、２２，６，２，４，１０，１８番目に点灯され、その４行目を構成する１列目から６列目の画素が、それぞれ、１５，５，１，３，１１，２３番目に点灯され、その５行目を構成する１列目から６列目の画素が、それぞれ、２５，１３，７，９，１９，３１番目に点灯され、その６行目を構成する１列目から６列目の画素が、それぞれ、３３，２９，２１，１７，２７，３５番目に点灯され、その７行目を構成する１列目の画素が３７番目に点灯されるように形成された基本パターンを複数そなえて構成され、複数箇所から、互いに同一形状のドットがそれぞれ順番に成長するように該画素の点灯順序を設定されたものであることを特徴とする、印刷方法。
【０１２８】
（付記８）  多値画像を記憶領域に展開する展開ステップと、
該記憶領域に展開された多値画像を、２値化ディザマトリクスパターンに基づいて２値化し、その２値化結果に基づいて画像を形成する画像形成ステップとをそなえ、
該２値化ディザマトリクスパターンが、順次点灯される複数の画素をマトリクス状に配列した矩形パターンとして構成され、当該矩形パターンが、７行×６列の欠落マトリクスにおいて、その１行目を構成する１列目から６列目の画素が、それぞれ、ｎ＋３３×ｍ，ｎ＋２５×ｍ，ｎ＋１３×ｍ，ｎ＋２３×ｍ，ｎ＋３１×ｍ，ｎ＋３５×ｍ番目に点灯され、その２行目を構成する１列目から６列目の画素が、それぞれ、ｎ＋２９×ｍ，ｎ＋１５×ｍ，ｎ＋７×ｍ，ｎ＋１１×ｍ，ｎ＋１９×ｍ，ｎ＋２７×ｍ番目に点灯され、その３行目を構成する１列目から６列目の画素が、それぞれ、ｎ＋２１×ｍ，ｎ＋５×ｍ，ｎ＋ｍ，ｎ＋３×ｍ，ｎ＋９×ｍ，ｎ＋１７×ｍ番目に点灯され、その４行目を構成する１列目から６列目の画素が、それぞれ、ｎ＋１４×ｍ，ｎ＋４×ｍ，ｎ，ｎ＋２×ｍ，ｎ＋１０×ｍ，ｎ＋２２×ｍ番目に点灯され、その５行目を構成する１列目から６列目の画素が、それぞれ、ｎ＋２４×ｍ，ｎ＋１２×ｍ，ｎ＋６×ｍ，ｎ＋８×ｍ，ｎ＋１８×ｍ，ｎ＋３０×ｍ番目に点灯され、その６行目を構成する１列目から６列目の画素が、それぞれ、ｎ＋３２×ｍ，ｎ＋２８×ｍ，ｎ＋２０×ｍ，ｎ＋１６×ｍ，ｎ＋２６×ｍ，ｎ＋３４×ｍ番目に点灯され、その７行目を構成する１列目の画素がｎ＋３６×ｍ番目に点灯されるように形成された基本パターン（ただし、ｎは任意の自然数）をｍ個（ただし、ｍは任意の自然数）並べることによって形成されたサブパターンを複数そなえて構成され、当該複数のサブパターンから、互いに同一形状のドットがそれぞれ順番に成長するように該画素の点灯順序を設定されたものであることを特徴とする、印刷方法。
【０１２９】
（付記９）  多値画像を記憶領域に展開する展開ステップと、
該記憶領域に展開された多値画像を、２値化ディザマトリクスパターンに基づいて２値化し、その２値化結果に基づいて画像を形成する画像形成ステップとをそなえ、
該２値化ディザマトリクスパターンが、順次点灯される複数の画素をマトリクス状に配列した矩形パターンとして構成され、当該矩形パターンが、８行×７列の欠落マトリクスにおいて、その１行目を構成する４列目から６列目の画素が、それぞれ、２９，３５，３９番目に点灯され、その２行目を構成する１列目から６列目の画素が、それぞれ、３７，２７，１５，１７，２５，３１番目に点灯され、その３行目を構成する１列目から６列目の画素が、それぞれ、３３，２１，９，７，１１，１９番目に点灯され、その４行目を構成する１列目から７列目の画素が、それぞれ、２８，１０，３，１，５，１３，２３番目に点灯され、その５行目を構成する１列目から７列目の画素が、それぞれ、２２，１２，４，２，６，１８，３４番目に点灯され、その６行目を構成する２列目から７列目の画素が、それぞれ、２６，１６，８，１４，３０，３８番目に点灯され、その７行目を構成する２列目から５列目の画素が、それぞれ、３６，３２，２４，２０番目に点灯され、その８行目を構成する２列目の画素が４０番目に点灯されるように形成された基本パターンを複数そなえて構成され、複数箇所から、互いに同一形状のドットがそれぞれ順番に成長するように該画素の点灯順序を設定されたものであることを特徴とする、印刷方法。
【０１３０】
（付記１０）  多値画像を記憶領域に展開する展開ステップと、
該記憶領域に展開された多値画像を、２値化ディザマトリクスパターンに基づいて２値化し、その２値化結果に基づいて画像を形成する画像形成ステップとをそなえ、
該２値化ディザマトリクスパターンが、順次点灯される複数の画素をマトリクス状に配列した矩形パターンとして構成され、当該矩形パターンが、８行×７列の欠落マトリクスにおいて、その１行目を構成する４列目から６列目の画素が、それぞれ、ｎ＋２８×ｍ，ｎ＋３４×ｍ，ｎ＋３８×ｍ番目に点灯され、その２行目を構成する１列目から６列目の画素が、それぞれ、ｎ＋３６×ｍ，ｎ＋２６×ｍ，ｎ＋１４×ｍ，ｎ＋１６×ｍ，ｎ＋２４×ｍ，ｎ＋３０×ｍ番目に点灯され、その３行目を構成する１列目から６列目の画素が、それぞれ、ｎ＋３２×ｍ，ｎ＋２０×ｍ，ｎ＋８×ｍ，ｎ＋６×ｍ，ｎ＋１０×ｍ，ｎ＋１８×ｍ番目に点灯され、その４行目を構成する１列目から７列目の画素が、それぞれ、ｎ＋２７×ｍ，ｎ＋９×ｍ，ｎ＋２×ｍ，ｎ，ｎ＋４×ｍ，ｎ＋１２×ｍ，ｎ＋２２×ｍ番目に点灯され、その５行目を構成する１列目から７列目の画素が、それぞれ、ｎ＋２１×ｍ，ｎ＋１１×ｍ，ｎ＋３×ｍ，ｎ＋ｍ，ｎ＋５×ｍ，ｎ＋１７×ｍ，ｎ＋３３×ｍ番目に点灯され、その６行目を構成する２列目から７列目の画素が、それぞれ、ｎ＋２５×ｍ，ｎ＋１５×ｍ，ｎ＋７×ｍ，ｎ＋１３×ｍ，ｎ＋２９×ｍ，ｎ＋３７×ｍ番目に点灯され、その７行目を構成する２列目から５列目の画素が、それぞれ、ｎ＋３５×ｍ，ｎ＋３１×ｍ，ｎ＋２３×ｍ，ｎ＋１９×ｍ番目に点灯され、その８行目を構成する２列目の画素がｎ＋３９×ｍ番目に点灯されるように形成された基本パターン（ただし、ｎは任意の自然数）をｍ個（ただし、ｍは任意の自然数）並べることによって形成されたサブパターンを複数そなえて構成され、当該複数のサブパターンから、互いに同一形状のドットがそれぞれ順番に成長するように該画素の点灯順序を設定されたものであることを特徴とする、印刷方法。
【０１３１】
（付記１１）  順次点灯される複数の画素をマトリクス状に配列した矩形パターンとして構成され、当該矩形パターンが、４行×３列の欠落マトリクスにおいて、その１行目を構成する１列目から３列目の画素が、それぞれ、７，５，９番目に点灯され、その２行目を構成する１列目から３列目の画素が、それぞれ、４，１，３番目に点灯され、その３行目を構成する１列目から３列目の画素が、それぞれ、６，２，８番目に点灯され、その４行目を構成する１列目の画素が１０番目に点灯されるように形成された基本パターンを複数そなえて構成され、複数箇所から、互いに同一形状のドットがそれぞれ順番に成長するように該画素の点灯順序を設定された２値化ディザマトリクスパターンを用意するステップと、
入力された多値画像の画素値に基づいて、該２値化ディザマトリクスパターンにおける、該点灯順序の開始画素から所定の点灯順番が設定された画素までを該点灯順序に従って選択することにより決定された色材を形成する画素に対して色材を形成することにより画像を形成する画像形成ステップとをそなえることを特徴とする、印刷方法。
【０１３２】
（付記１２）  順次点灯される複数の画素をマトリクス状に配列した矩形パターンとして構成され、当該矩形パターンが、４行×３列の欠落マトリクスにおいて、その１行目を構成する１列目から３列目の画素が、それぞれ、ｎ＋６×ｍ，ｎ＋４×ｍ，ｎ＋８×ｍ番目に点灯され、その２行目を構成する１列目から３列目の画素が、それぞれ、ｎ＋３×ｍ，ｎ，ｎ＋２×ｍ番目に点灯され、その３行目を構成する１列目から３列目の画素が、それぞれ、ｎ＋５×ｍ，ｎ＋ｍ，ｎ＋７×ｍ番目に点灯され、その４行目を構成する１列目の画素がｎ＋９×ｍ番目に点灯されるように形成された基本パターン（ただし、ｎは任意の自然数）をｍ個（ただし、ｍは任意の自然数）並べることによって形成されたサブパターンを複数そなえて構成され、当該複数のサブパターンから、互いに同一形状のドットがそれぞれ順番に成長するように該画素の点灯順序を設定された２値化ディザマトリクスパターンを用意するステップと、
入力された多値画像の画素値に基づいて、該２値化ディザマトリクスパターンにおける、該点灯順序の開始画素から所定の点灯順番が設定された画素までを該点灯順序に従って選択することにより決定された色材を形成する画素に対して色材を形成することにより画像を形成する画像形成ステップとをそなえることを特徴とする、印刷方法。
【０１３３】
（付記１３）  順次点灯される複数の画素をマトリクス状に配列した矩形パターンとして構成され、当該矩形パターンが、５行×４列の欠落マトリクスにおいて、その１行目を構成する１列目から４列目の画素が、それぞれ、１４，６，１２，１６番目に点灯され、その２行目を構成する１列目から４列目の画素が、それぞれ、１０，２，４，８番目に点灯され、その３行目を構成する１列目から４列目の画素が、それぞれ、５，１，３，１１番目に点灯され、その４行目を構成する１列目から４列目の画素が、それぞれ、１３，９，７，１５番目に点灯され、その５行目を構成する１列目の画素が１７番目に点灯されるように形成された基本パターンを複数そなえて構成され、複数箇所から、互いに同一形状のドットがそれぞれ順番に成長するように該画素の点灯順序を設定された２値化ディザマトリクスパターンを用意するステップと、
入力された多値画像の画素値に基づいて、該２値化ディザマトリクスパターンにおける、該点灯順序の開始画素から所定の点灯順番が設定された画素までを該点灯順序に従って選択することにより決定された色材を形成する画素に対して色材を形成することにより画像を形成する画像形成ステップとをそなえることを特徴とする、印刷方法。
【０１３４】
（付記１４）  順次点灯される複数の画素をマトリクス状に配列した矩形パターンとして構成され、当該矩形パターンが、５行×４列の欠落マトリクスにおいて、その１行目を構成する１列目から４列目の画素が、それぞれ、ｎ＋１３×ｍ，ｎ＋５×ｍ，ｎ＋１１×ｍ番目，ｎ＋１５×ｍに点灯され、その２行目を構成する１列目から４列目の画素が、それぞれ、ｎ＋９×ｍ，ｎ＋ｍ，ｎ＋３×ｍ，ｎ＋７×ｍ番目に点灯され、その３行目を構成する１列目から４列目の画素が、それぞれ、ｎ＋４×ｍ，ｎ，ｎ＋２×ｍ，ｎ＋１０×ｍ番目に点灯され、その４行目を構成する１列目から４列目の画素が、それぞれ、ｎ＋１２×ｍ，ｎ＋８×ｍ，ｎ＋６×ｍ，ｎ＋１４×ｍ番目に点灯され、その５行目を構成する１列目の画素がｎ＋１６×ｍ番目に点灯されるように形成された基本パターン（ただし、ｎは任意の自然数）をｍ個（ただし、ｍは任意の自然数）並べることによって形成されたサブパターンを複数そなえて構成され、当該複数のサブパターンから、互いに同一形状のドットがそれぞれ順番に成長するように該画素の点灯順序を設定された２値化ディザマトリクスパターンを用意するステップと、
入力された多値画像の画素値に基づいて、該２値化ディザマトリクスパターンにおける、該点灯順序の開始画素から所定の点灯順番が設定された画素までを該点灯順序に従って選択することにより決定された色材を形成する画素に対して色材を形成することにより画像を形成する画像形成ステップとをそなえることを特徴とする、印刷方法。
【０１３５】
（付記１５）  順次点灯される複数の画素をマトリクス状に配列した矩形パターンとして構成され、当該矩形パターンが、６行×５列の欠落マトリクスにおいて、その１行目を構成する１列目から５列目の画素が、それぞれ、２３，１５，１３，２１，２５番目に点灯され、その２行目を構成する１列目から５列目の画素が、それぞれ、１９，７，５，９，１７番目に点灯され、その３行目を構成する１列目から５列目の画素が、それぞれ、１２，４，１，３，１１番目に点灯され、その４行目を構成する１列目から５列目の画素が、それぞれ、１４，６，２，８，２０番目に点灯され、その５行目を構成する１列目から５列目の画素が、それぞれ、２２，１８，１０，１６，２４番目に点灯され、その６行目を構成する１列目の画素が２６番目に点灯されるように形成された基本パターンを複数そなえて構成され、複数箇所から、互いに同一形状のドットがそれぞれ順番に成長するように該画素の点灯順序を設定された２値化ディザマトリクスパターンを用意するステップと、
入力された多値画像の画素値に基づいて、該２値化ディザマトリクスパターンにおける、該点灯順序の開始画素から所定の点灯順番が設定された画素までを該点灯順序に従って選択することにより決定された色材を形成する画素に対して色材を形成することにより画像を形成する画像形成ステップとをそなえることを特徴とする、印刷方法。
【０１３６】
（付記１６）  順次点灯される複数の画素をマトリクス状に配列した矩形パターンとして構成され、当該矩形パターンが、６行×５列の欠落マトリクスにおいて、その１行目を構成する１列目から５列目の画素が、それぞれ、ｎ＋２２×ｍ，ｎ＋１４×ｍ，ｎ＋１２×ｍ，ｎ＋２０×ｍ，ｎ＋２４×ｍ番目に点灯され、その２行目を構成する１列目から５列目の画素が、それぞれ、ｎ＋１８×ｍ，ｎ＋６×ｍ，ｎ＋４×ｍ，ｎ＋８×ｍ，ｎ＋１６×ｍ番目に点灯され、その３行目を構成する１列目から５列目の画素が、それぞれ、ｎ＋１１×ｍ，ｎ＋３×ｍ，ｎ，ｎ＋２×ｍ，ｎ＋１０×ｍ番目に点灯され、その４行目を構成する１列目から５列目の画素が、それぞれ、ｎ＋１３×ｍ，ｎ＋５×ｍ，ｎ＋ｍ，ｎ＋７×ｍ，ｎ＋１９×ｍ番目に点灯され、その５行目を構成する１列目から５列目の画素が、それぞれ、ｎ＋２１×ｍ，ｎ＋１７×ｍ，ｎ＋９×ｍ，ｎ＋１５×ｍ，ｎ＋２３×ｍ番目に点灯され、その６行目を構成する１列目の画素がｎ＋２５×ｍ番目に点灯されるように形成された基本パターン（ただし、ｎは任意の自然数）をｍ個（ただし、ｍは任意の自然数）並べることによって形成されたサブパターンを複数そなえて構成され、当該複数のサブパターンから、互いに同一形状のドットがそれぞれ順番に成長するように該画素の点灯順序を設定された２値化ディザマトリクスパターンを用意するステップと、
入力された多値画像の画素値に基づいて、該２値化ディザマトリクスパターンにおける、該点灯順序の開始画素から所定の点灯順番が設定された画素までを該点灯順序に従って選択することにより決定された色材を形成する画素に対して色材を形成することにより画像を形成する画像形成ステップとをそなえることを特徴とする、印刷方法。
【０１３７】
（付記１７）  順次点灯される複数の画素をマトリクス状に配列した矩形パターンとして構成され、当該矩形パターンが、７行×６列の欠落マトリクスにおいて、その１行目を構成する１列目から６列目の画素が、それぞれ、３４，２６，１４，２４，３２，３６番目に点灯され、その２行目を構成する１列目から６列目の画素が、それぞれ、３０，１６，８，１２，２０，２８番目に点灯され、その３行目を構成する１列目から６列目の画素が、それぞれ、２２，６，２，４，１０，１８番目に点灯され、その４行目を構成する１列目から６列目の画素が、それぞれ、１５，５，１，３，１１，２３番目に点灯され、その５行目を構成する１列目から６列目の画素が、それぞれ、２５，１３，７，９，１９，３１番目に点灯され、その６行目を構成する１列目から６列目の画素が、それぞれ、３３，２９，２１，１７，２７，３５番目に点灯され、その７行目を構成する１列目の画素が３７番目に点灯されるように形成された基本パターンを複数そなえて構成され、複数箇所から、互いに同一形状のドットがそれぞれ順番に成長するように該画素の点灯順序を設定された２値化ディザマトリクスパターンを用意するステップと、
入力された多値画像の画素値に基づいて、該２値化ディザマトリクスパターンにおける、該点灯順序の開始画素から所定の点灯順番が設定された画素までを該点灯順序に従って選択することにより決定された色材を形成する画素に対して色材を形成することにより画像を形成する画像形成ステップとをそなえることを特徴とする、印刷方法。
【０１３８】
（付記１８）  順次点灯される複数の画素をマトリクス状に配列した矩形パターンとして構成され、当該矩形パターンが、７行×６列の欠落マトリクスにおいて、その１行目を構成する１列目から６列目の画素が、それぞれ、ｎ＋３３×ｍ，ｎ＋２５×ｍ，ｎ＋１３×ｍ，ｎ＋２３×ｍ，ｎ＋３１×ｍ，ｎ＋３５×ｍ番目に点灯され、その２行目を構成する１列目から６列目の画素が、それぞれ、ｎ＋２９×ｍ，ｎ＋１５×ｍ，ｎ＋７×ｍ，ｎ＋１１×ｍ，ｎ＋１９×ｍ，ｎ＋２７×ｍ番目に点灯され、その３行目を構成する１列目から６列目の画素が、それぞれ、ｎ＋２１×ｍ，ｎ＋５×ｍ，ｎ＋ｍ，ｎ＋３×ｍ，ｎ＋９×ｍ，ｎ＋１７×ｍ番目に点灯され、その４行目を構成する１列目から６列目の画素が、それぞれ、ｎ＋１４×ｍ，ｎ＋４×ｍ，ｎ，ｎ＋２×ｍ，ｎ＋１０×ｍ，ｎ＋２２×ｍ番目に点灯され、その５行目を構成する１列目から６列目の画素が、それぞれ、ｎ＋２４×ｍ，ｎ＋１２×ｍ，ｎ＋６×ｍ，ｎ＋８×ｍ，ｎ＋１８×ｍ，ｎ＋３０×ｍ番目に点灯され、その６行目を構成する１列目から６列目の画素が、それぞれ、ｎ＋３２×ｍ，ｎ＋２８×ｍ，ｎ＋２０×ｍ，ｎ＋１６×ｍ，ｎ＋２６×ｍ，ｎ＋３４×ｍ番目に点灯され、その７行目を構成する１列目の画素がｎ＋３６×ｍ番目に点灯されるように形成された基本パターン（ただし、ｎは任意の自然数）をｍ個（ただし、ｍは任意の自然数）並べることによって形成されたサブパターンを複数そなえて構成され、当該複数のサブパターンから、互いに同一形状のドットがそれぞれ順番に成長するように該画素の点灯順序を設定された２値化ディザマトリクスパターンを用意するステップと、
入力された多値画像の画素値に基づいて、該２値化ディザマトリクスパターンにおける、該点灯順序の開始画素から所定の点灯順番が設定された画素までを該点灯順序に従って選択することにより決定された色材を形成する画素に対して色材を形成することにより画像を形成する画像形成ステップとをそなえることを特徴とする、印刷方法。
【０１３９】
（付記１９）  順次点灯される複数の画素をマトリクス状に配列した矩形パターンとして構成され、当該矩形パターンが、８行×７列の欠落マトリクスにおいて、その１行目を構成する４列目から６列目の画素が、それぞれ、２９，３５，３９番目に点灯され、その２行目を構成する１列目から６列目の画素が、それぞれ、３７，２７，１５，１７，２５，３１番目に点灯され、その３行目を構成する１列目から６列目の画素が、それぞれ、３３，２１，９，７，１１，１９番目に点灯され、その４行目を構成する１列目から７列目の画素が、それぞれ、２８，１０，３，１，５，１３，２３番目に点灯され、その５行目を構成する１列目から７列目の画素が、それぞれ、２２，１２，４，２，６，１８，３４番目に点灯され、その６行目を構成する２列目から７列目の画素が、それぞれ、２６，１６，８，１４，３０，３８番目に点灯され、その７行目を構成する２列目から５列目の画素が、それぞれ、３６，３２，２４，２０番目に点灯され、その８行目を構成する２列目の画素が４０番目に点灯されるように形成された基本パターンを複数そなえて構成され、複数箇所から、互いに同一形状のドットがそれぞれ順番に成長するように該画素の点灯順序を設定された２値化ディザマトリクスパターンを用意するステップと、
入力された多値画像の画素値に基づいて、該２値化ディザマトリクスパターンにおける、該点灯順序の開始画素から所定の点灯順番が設定された画素までを該点灯順序に従って選択することにより決定された色材を形成する画素に対して色材を形成することにより画像を形成する画像形成ステップとをそなえることを特徴とする、印刷方法。
【０１４０】
（付記２０）  順次点灯される複数の画素をマトリクス状に配列した矩形パターンとして構成され、
当該矩形パターンが、８行×７列の欠落マトリクスにおいて、その１行目を構成する４列目から６列目の画素が、それぞれ、ｎ＋２８×ｍ，ｎ＋３４×ｍ，ｎ＋３８×ｍ番目に点灯され、その２行目を構成する１列目から６列目の画素が、それぞれ、ｎ＋３６×ｍ，ｎ＋２６×ｍ，ｎ＋１４×ｍ，ｎ＋１６×ｍ，ｎ＋２４×ｍ，ｎ＋３０×ｍ番目に点灯され、その３行目を構成する１列目から６列目の画素が、それぞれ、ｎ＋３２×ｍ，ｎ＋２０×ｍ，ｎ＋８×ｍ，ｎ＋６×ｍ，ｎ＋１０×ｍ，ｎ＋１８×ｍ番目に点灯され、その４行目を構成する１列目から７列目の画素が、それぞれ、ｎ＋２７×ｍ，ｎ＋９×ｍ，ｎ＋２×ｍ，ｎ，ｎ＋４×ｍ，ｎ＋１２×ｍ，ｎ＋２２×ｍ番目に点灯され、その５行目を構成する１列目から７列目の画素が、それぞれ、ｎ＋２１×ｍ，ｎ＋１１×ｍ，ｎ＋３×ｍ，ｎ＋ｍ，ｎ＋５×ｍ，ｎ＋１７×ｍ，ｎ＋３３×ｍ番目に点灯され、その６行目を構成する２列目から７列目の画素が、それぞれ、ｎ＋２５×ｍ，ｎ＋１５×ｍ，ｎ＋７×ｍ，ｎ＋１３×ｍ，ｎ＋２９×ｍ，ｎ＋３７×ｍ番目に点灯され、その７行目を構成する２列目から５列目の画素が、それぞれ、ｎ＋３５×ｍ，ｎ＋３１×ｍ，ｎ＋２３×ｍ，ｎ＋１９×ｍ番目に点灯され、その８行目を構成する２列目の画素がｎ＋３９×ｍ番目に点灯されるように形成された基本パターン（ただし、ｎは任意の自然数）をｍ個（ただし、ｍは任意の自然数）並べることによって形成されたサブパターンを複数そなえて構成され、当該複数のサブパターンから、互いに同一形状のドットがそれぞれ順番に成長するように該画素の点灯順序を設定された２値化ディザマトリクスパターンを用意するステップと、
入力された多値画像の画素値に基づいて、該２値化ディザマトリクスパターンにおける、該点灯順序の開始画素から所定の点灯順番が設定された画素までを該点灯順序に従って選択することにより決定された色材を形成する画素に対して色材を形成することにより画像を形成する画像形成ステップとをそなえることを特徴とする、印刷方法。
【０１４１】
【０１４２】
【発明の効果】
以上詳述したように、本発明の印刷方法によれば、以下の効果ないし利点がある。
（１）複数箇所から互いに同一形状のドットがそれぞれ順番に成長するように画素の点灯順序を設定された２値化ディザマトリクスパターンを用いて２値化し、その２値化結果に基づいて画像を形成することにより、モアレやアーティファクト（人工的な縞模様；Ａｒｔｉｆａｃｔ）を軽減することができる（請求項１〜請求項５）。
【０１４３】
（２）集中型の画像形成を行なうことができるので、高解像度の印刷を行なう場合においても、印刷媒体（印刷用紙等）に色材（トナーやインク等）を安定して形成することができる（請求項１〜請求項５）。
（３）２値化ディザマトリクスパターンのディザ角度が１５度に近いので、印刷装置の機構上の特性（例えば、印刷エンジンに使用されている弾性部材の伸び縮み等）が原因で、印刷物に生じる原画像にはない縦縞模様やモアレ等を目立たなくさせることができる（請求項１〜請求項５）。
【０１４４】
（４）２値化ディザマトリクスパターンにおいて、点灯順序を設定された該矩形パターンを９０度もしくは２７０度回転させても、モアレやアーティファクトを軽減することができる。
（５）２値化ディザマトリクスパターンにおいて、ルックアップテーブルを介して点灯順序を変更しても、モアレやアーティファクトを軽減することができる。
【図面の簡単な説明】
【図１】本発明の一実施形態としての印刷システムの機能構成を模式的に示す図である。
【図２】本発明の一実施形態としての印刷システムのハードウェア構成を模式的に示す図である。
【図３】（ａ），（ｂ）は本発明の一実施形態の印刷装置において用いられる２値化用パターン（２値化ディザマトリクスパターン）を示す図である。
【図４】本発明の一実施形態の印刷装置において用いられる２値化用パターンの基本パターンを示す図である。
【図５】本発明の一実施形態の印刷装置において用いられる２値化用パターンの形成方法を説明するための図である。
【図６】本発明の一実施形態の印刷装置において用いられる一次元ルックアップテーブルの例を示す図である。
【図７】本発明の一実施形態の印刷装置に用いられる２値化用パターンの変形例を示す図である。
【図８】本発明の一実施形態の印刷装置に用いられる２値化用パターンの変形例を示す図である。
【図９】本発明の一実施形態の印刷装置に用いられる２値化用パターンの変形例を示す図である。
【図１０】本発明の一実施形態の印刷装置に用いられる２値化用パターンの変形例を示す図である。
【図１１】本発明の一実施形態の印刷装置に用いられる２値化用パターンの変形例を示す図である。
【図１２】本発明の一実施形態の印刷装置に用いられる２値化用パターンの変形例を示す図である。
【図１３】本発明の一実施形態の印刷装置に用いられる２値化用パターンの変形例を示す図である。
【図１４】本発明の一実施形態の印刷装置に用いられる２値化用パターンの変形例を示す図である。
【図１５】本発明の一実施形態の印刷装置に用いられる２値化用パターンの変形例を示す図である。
【図１６】本発明の一実施形態の印刷装置に用いられる２値化用パターンの変形例を示す図である。
【図１７】本発明の一実施形態の印刷装置に用いられる２値化用パターンの変形例を示す図である。
【図１８】本発明の一実施形態の印刷装置に用いられる２値化用パターンの変形例を示す図である。
【図１９】本発明の一実施形態の印刷装置において用いられる２値化パターンの変形例を示す図である。
【図２０】本発明の一実施形態の印刷装置において用いられる２値化パターンの変形例を示す図である。
【図２１】本発明の一実施形態の印刷装置において用いられる２値化用パターンの変形例を示す図である。
【図２２】本発明の一実施形態の印刷装置において用いられる２値化用パターンの変形例を示す図である。
【図２３】本発明の一実施形態の印刷装置において用いられる２値化用パターンの変形例を示す図である。
【図２４】本発明の一実施形態の印刷装置において用いられる２値化用パターンの変形例を示す図である。
【図２５】本発明の一実施形態の印刷装置において用いられる２値化用パターンの変形例を示す図である。
【図２６】本発明の一実施形態の印刷装置において用いられる２値化用パターンの変形例を示す図である。
【符号の説明】
１  ドット生成部
１０  色演算部
１１  画像信号メモリ（記憶領域）
１２  パターンメモリ
１３  階調特性変更部（ルックアップテーブル，点灯順序変更部）
１４  ドットデータ生成部
１５  画像形成部
１２ａ，１２ｂ，１２ｃ，１２ｄ，１２ｅ，１２ｆ，１２ｇ，１２ｈ，１２ｉ，１２ｊ  ２値化用パターン（２値化ディザマトリクスパターン）
１２１，１２２，１２３，１２４，１２５，１２１−１，１２１−２，１２１−３，１２１−４，１２２−１，１２２−２，１２２−３，１２２−４，１２３−１，１２３−２，１２３−３，１２３−４，１２４−１，１２４−２，１２４−３，１２４−４，１２５−１，１２５−２，１２５−３，１２５−４  基本パターン
１２１１，１２２１，１２３１，１２４１，１２５１  サブパターン
【図１】
2004208047.tif 000003
【図２】
2004208047.tif 000004
【図３】
2004208047.tif 000005
【図４】
2004208047.tif 000006
【図５】
2004208047.tif 000007
【図６】
2004208047.tif 000008
【図７】
2004208047.tif 000009
【図８】
2004208047.tif 000010
【図９】
2004208047.tif 000011
【図１０】
2004208047.tif 000012
【図１１】
2004208047.tif 000013
【図１２】
2004208047.tif 000014
【図１３】
2004208047.tif 000015
【図１４】
2004208047.tif 000016
【図１５】
2004208047.tif 000017
【図１６】
2004208047.tif 000018
【図１７】
2004208047.tif 000019
【図１８】
2004208047.tif 000020
【図１９】
2004208047.tif 000021
【図２０】
2004208047.tif 000022
【図２１】
2004208047.tif 000023
【図２２】
2004208047.tif 000024
【図２３】
2004208047.tif 000025
【図２４】
2004208047.tif 000026
【図２５】
2004208047.tif 000027
【図２６】
2004208047.tif 000028